(57)【要約】  本発明は、データ再送方法、装置、及びシステムを開示し、且つ通信の分野に関連し、これにより、送信機が使用するために選択したレイヤ数がコードワードを再送するために必要なレイヤ数よりも大きく且つ新しいデータを送信する必要がない場合に、送信機及び受信機が正常に動作するのが困難であり得るという問題を解決する。前記方法は、再送されるコードワードにより占有される必要のあるレイヤ数が、送信機により使用するために選択されたレイヤ数より少なく且つ新しいデータを送信する必要がない場合において、前記送信機が選択した前記レイヤ数と前記コードワードを再送するために占有される必要のある前記レイヤ数との間の差に従って、特殊コードワードを決定するステップであって、該特殊コードワードに含まれるトランスポートブロックの数は前記差に等しい、ステップ；及びレイヤマッピングにより、前記再送される必要のあるコードワード及び前記特殊コードワードを各トランスポートレイヤに割り当てるステップ；を含む。
2015530012.tif 000002
【特許請求の範囲】
【請求項１】
再送されるコードワードにより占有される必要のあるレイヤ数が、送信機により使用するために選択されたレイヤ数より少なく且つ新しいデータを送信する必要がない場合において、前記送信機が選択した前記レイヤ数と前記コードワードを再送するために占有される必要のある前記レイヤ数との間の差に従って、特殊コードワードを決定するステップであって、該特殊コードワードに含まれるトランスポートブロックの数は前記差に等しい、ステップ；及び
レイヤマッピングにより、前記再送される必要のあるコードワード及び前記特殊コードワードを各トランスポートレイヤに割り当てるステップ；
を含む、データ再送方法。
【請求項２】
前記受信機に特殊コードワード送信表示を送信するステップであって、前記特殊コードワード送信表示は、現在のデータ送信が特殊コードワードを含むことを示すために使用される、ステップ；
をさらに含む、請求項１に記載のデータ再送方法。
【請求項３】
前記特殊コードワードは仮想コードワードであり、且つ該仮想コードワードは空の情報である；又は前記特殊コードワードは充填コードワードであり、且つ該充填コードワードは空でない情報である、
請求項１又は２に記載の方法。
【請求項４】
前記受信機に特殊コードワード送信表示を送信する前記処理は：前記受信機に該特殊コードワード送信表示を送るために、ＨＳ−ＳＣＣＨで該特殊コードワード送信表示を送信するステップ；
をさらに含む、請求項２又は３に記載の方法。
【請求項５】
ＨＳ−ＳＣＣＨで前記特殊コードワード送信表示を送信する前記ステップは：
データ送信関連制御情報を含むパケットに前記特殊コードワード送信表示を識別するために使用されるビットを追加するステップ、及び前記パケットを前記ＨＳ−ＳＣＣＨで送信するステップ；又は
データ送信関連制御情報を含むパケットの中の少なくとも１つの制御情報フィールドに前記特殊コードワード送信表示を識別するために使用される特定の値を設定するステップ、及び前記ＨＳ−ＳＣＣＨで前記パケットを送信するステップ；を含む、
請求項４に記載の方法。
【請求項６】
前記特殊コードワード送信表示は、さらに、どのコードワードが特殊コードワードであるかを識別するため、及び／又はどのコードワードが送信される前記コードワードであるかを識別するために使用される、
請求項１から５のいずれか１項に記載の方法。
【請求項７】
送信機により送られる、複数のコードワード、データ送信関連制御情報、及び特殊コードワード送信表示を受信するステップであって、前記データ送信関連制御情報はプロセス数表示を含み、前記複数のコードワードは、再送されるコードワード及び特殊コードワードを含み、且つ前記特殊コードワード送信表示は現在のデータ送信が特殊コードワードを含むことを識別するために使用される、ステップ；及び
前記特殊コードワード送信表示を検出した際に、前記プロセス数表示に従って、前記複数のコードワードにおいて、前記再送されるコードワード及び／又は前記特殊コードワードを識別するステップ；
を含むデータ再送方法。
【請求項８】
前記プロセス数表示に従って、前記複数のコードワードにおいて、前記再送されるコードワード及び／又は前記特殊コードワードを識別する前記ステップは：
前記プロセス数表示により示されたプロセス又は該プロセスに関連付けられたプロセスに対応するバッファされたデータが正しく復号されたかどうかを決定するステップ；前記バッファされたデータが正しく復号されなかった場合に、前記現在のデータ送信の中の前記示されたプロセス又は前記関連付けられたプロセスに対応するトランスポートブロックが前記再送されるコードワードに属すことを識別するステップ；又は前記バッファされたデータが正しく復号された場合に、前記現在のデータ送信の中の前記示されたプロセス又は前記関連付けられたプロセスに対応するトランスポートブロックが前記特殊コードワードに属すことを識別するステップ；を含む、
請求項７に記載のデータ再送方法。
【請求項９】
送信機から送信される複数のコードワード及び特殊コードワード送信表示を受信するステップであって、前記複数のコードワードは：再送コードワード及び特殊コードワードを含み、且つ前記特殊コードワード送信表示は、現在のデータ送信が特殊コードワードを含むことを識別するために使用され、且つどのコードワードが前記特殊コードワードであるかを識別するため又はどのコードワードが前記再送されるコードワードであるかを識別するために使用される、ステップ；及び
前記特殊コードワード送信表示に従って、前記複数のコードワードの中の前記再送されるコードワード及び／又は前記特殊コードワードを識別するステップ；
を含むデータ再送方法。
【請求項１０】
再送されるコードワードにより占有される必要のあるレイヤ数が送信機により使用するために選択されたレイヤ数より少なく、且つ新しいデータを送信する必要がない場合において、前記送信機が選択した前記レイヤ数と前記コードワードを再送するために占有される必要のある前記レイヤ数との間の差に従って、特殊コードワードを決定するように構成される決定部であって、該特殊コードワードに含まれるトランスポートブロックの数は前記差に等しい、決定部；及び
レイヤマッピングにより、再送される必要のある前記コードワード及び前記決定部により決定された前記特殊コードワードを各トランスポートレイヤに割り当てるように構成される割当部；
を備える送信機。
【請求項１１】
特殊コードワード送信表示を受信機に送信するように構成される送信部であって、前記特殊コードワード送信表示は、現在のデータ送信が特殊コードワードを含むことを示すために使用される、送信部；
をさらに含む、請求項１０に記載の送信機。
【請求項１２】
送信機により送られる、複数のコードワード、データ送信関連制御情報、及び特殊コードワード送信表示を受信するように構成される受信部であって、前記データ送信関連制御情報はプロセス数表示を含み、前記複数のコードワードは、再送されるコードワード及び特殊コードワードを含み、且つ前記特殊コードワード送信表示は現在のデータ送信が特殊コードワードを含むことを識別するために使用される、受信部；及び
前記特殊コードワード送信表示を検出した際に、前記プロセス数表示に従って、前記複数のコードワードにおいて、前記再送されるコードワード及び／又は前記特殊コードワードを識別するように構成される識別部；
を備える受信機。
【請求項１３】
送信機から送信される複数のコードワード及び特殊コードワード送信表示を受信するように構成される受信部であって、前記複数のコードワードは：再送コードワード及び特殊コードワードを含み、且つ前記特殊コードワード送信表示は、現在のデータ送信が特殊コードワードを含むことを識別するために使用され、且つどのコードワードが前記特殊コードワードであるかを識別するため又はどのコードワードが前記再送されるコードワードであるかを識別するために使用される、受信部；及び
前記受信部により受信される前記特殊コードワード送信表示に従って、前記複数のコードワードの中の前記再送されるコードワード及び／又は前記特殊コードワードを識別するように構成される識別部；
を備える受信機。
【請求項１４】
複数のコードワードの一部又は複数のコードワードの全てを再送する必要がある場合に、送信機により、送信に使用されるレイヤ数が前記複数のコードワードの一部を再送するために占有される必要のあるレイヤ数である又は前記複数のコードワードの全てのうちの一部を再送するために占有される必要のあるレイヤ数であると決定するステップ；
レイヤマッピングにより、再送される必要のある前記複数のコードワードの一部又は再送される必要のある前記複数のコードワードの全てのうちの一部に含まれる複数のトランスポートブロックを、前記送信に使用されるレイヤ数に対応する各トランスポートレイヤに割り当てるステップ；及びデータ送信関連制御情報を受信機に送信するステップであって、前記データ送信関連制御情報は、ランク表示ＲＩ及びプロセス数表示を含む、送信するステップ；
を含むデータ再送方法。
【請求項１５】
レイヤマッピングにより、再送される必要のある前記複数のコードワードの一部又は再送される必要のある前記複数のコードワードの全てのうちの一部に含まれる複数のトランスポートブロックを、前記送信に使用されるレイヤ数に対応する各トランスポートレイヤに割り当てる前記ステップは：
前記再送される必要のある複数のコードワードの一部又は前記再送される必要のある複数のコードワードの全てのうちの一部に含まれるトランスポートブロックを、送信に使用されるレイヤ数及びトランスポートブロック対コードワードマッピングにより、再処理されるコードワードにマッピングするステップ、及び前記レイヤマッピングにより、前記再処理されるコードワードを送信に使用される前記レイヤ数に対応する各トランスポートレイヤに割り当てるステップ；
を含む、請求項１４に記載の方法。
【請求項１６】
前記トランスポートブロック対コードワードマッピングは：
コードワードが同じプロセス数を有する複数のトランスポートブロック又所定の関係を有する複数のトランスポートブロック、に対応すること、
を含む、請求項１５に記載の方法。
【請求項１７】
前記トランスポートブロック対コードワードマッピングは：
前記トランスポートブロック対コードワードマッピングがさらに、送信に使用されるレイヤ数が２である場合であって、２つのトランスポートブロックが最初に送信される場合、又は前の送信中の前記ＲＩが２であり且つ前記２つのトランスポートブロックの双方を再送する必要があり且つ前記２つのトランスポートブロックのプロセス数の間の差が第１の固定値である場合に、特殊コードワードに対応するトランスポートブロックのプロセス数及び特殊でないコードワードに対応するトランスポートブロックのプロセス数は異なり、且つ前記２つのプロセス数の間の差は前記第１の固定値であることを含む、
ということを含む、
請求項１６に記載の方法。
【請求項１８】
送信に使用されるレイヤ数が２であり、且つ現在の送信がＲＩ＞２である前記前の送信における複数のコードワードの一部の再送である場合に、
前記データ送信関連制御情報を含むパケットの少なくとも１つの制御情報フィールドを特殊表示に設定するステップであって、該特殊表示は、送信に使用されるレイヤ数が２である場合に、前記特殊でないコードワードの中の前記トランスポートブロック及び前記特殊コードワードの中の前記トランスポートブロックの前記複数のプロセス数が同じである又は所定の関係にあることを識別するために使用される、設定するステップ；又は前記データ送信関連制御情報を含むパケットにビットを加えるステップであって、前記ビットは、送信のために使用される前記レイヤ数が２であり且つ前記現在の送信がＲＩ＞２である前記前の送信における複数のコードワードの一部の再送である場合において、前記特殊表示を送信するために使用される、ステップ；
をさらに含む、請求項１６又は１７に記載の方法。
【請求項１９】
互いに再送結合プロセスである２つのプロセス双方について、前記送信機により受信されるＨＡＲＱ送達確認情報がＡＣＫであった場合に、前記送信機により、前記２つのプロセスにより送信される複数のコードワードは両方とも正しく復号されたと判定し、そうでなければ、再送の最大数に達していない場合に、前記２つのプロセスにより送信された前記複数のコードワードを再送するステップ、
をさらに含む、請求項１４から１８のいずれか１項に記載の方法。
【請求項２０】
送信機により送信されたコードワード及びデータ送信関連制御情報を受信機により受信するステップであって、前記データ送信関連制御情報は、ＲＩ及びプロセス数表示を含む、受信するステップ；及び
前記ＲＩ、前記プロセス数表示、及びトランスポートブロック対コードワードマッピングに従って、前記コードワードに対応するトランスポートブロックの組み合わせを識別するステップ；
を含むデータ再送方法。
【請求項２１】
前記ＲＩ、前記プロセス数表示、及びトランスポートブロック対コードワードマッピングに従って、前記コードワードに対応するトランスポートブロックの組み合わせを識別する前記ステップは：
前記ＲＩが２である場合に、プロセス数表示により示されたプロセスの再送結合プロセスに対応するバッファされたデータが正しく復号されたかどうか確認するステップ；前記バッファされたデータが正しく復号されなかった場合に、特殊でないコードワードの中のトランスポートブロックのプロセス数と前記プロセス数表示の中のプロセス数が同じであるか又は所定の関係にあることを識別するステップ；前記バッファされたデータが正しく復号されなかった場合に、前記特殊でないコードワードの中の前記トランスポートブロックの前記プロセス数と前記プロセス数表示の中の前記プロセス数との間の差が第１の固定値であることを識別するステップ；
を含む、請求項２０に記載のデータ再送方法。
【請求項２２】
前記ＲＩ、前記プロセス数表示、及びトランスポートブロック対コードワードマッピングに従って、前記コードワードに対応するトランスポートブロックの組み合わせを識別する前記ステップは：
前記ＲＩが２である場合に、前記データ送信関連制御情報のパケットが特殊表示で構成されているかどうかを確認するステップ；前記パケットが前記特殊表示で構成されている場合に、特殊でないコードワードの中のプロセス数及び前記プロセス数表示におけるプロセス数が同じであるか又は所定の関係にあることを識別するステップ；前記パケットが前記特殊表示で構成されていない場合に、前記特殊でないコードワードの中の前記トランスポートブロックの前記プロセス数と前記プロセス数表示の中の前記プロセス数との間の差が第１の固定値であることを識別するステップであって、前記特殊表示は、送信に使用されるレイヤ数が２である場合に、前記特殊でないコードワードの中の前記トランスポートブロック及び前記特殊コードワードの中の前記トランスポートブロックの前記複数のプロセス数が同じであるか又は所定の関係にあることを識別するために使用される、識別するステップ；
を含む、請求項２０に記載のデータ再送方法。
【請求項２３】
前記現在の送信において使用されるレイヤ数が２であり且つ前記受信機により受信される２つのコードワードの中の前記複数のトランスポートブロックに対応する前記複数のプロセスが互いに前記再送結合プロセスである場合であって、且つ前記２つのコードワードの中の前記複数のトランスポートブロックの双方が正しく復号される場合であり且つその場合に限り、前記受信機により、前記２つのコードワードに対するＡＣＫを前記送信機に対して同時にフィードバックし、そうでなければ、同時にＮＡＣＫをフィードバックするステップ；
をさらに含む、請求項２０から２２のいずれか１項に記載の方法。
【請求項２４】
複数のコードワードの一部又は複数のコードワードの全てが再送される必要がある場合に、送信に使用されるレイヤ数が前記複数のコードワードの一部を再送するために占有される必要のあるレイヤ数又は前記複数のコードワードの全てのうちの一部を再送するために占有される必要のあるレイヤ数であると決定するように構成される第１決定部；
レイヤマッピングにより、再送される必要のある前記複数のコードワードの一部又は再送される必要のある前記複数のコードワードの全てのうちの一部に含まれる複数のトランスポートブロックを、送信に使用される、前記第１決定部により決定される、レイヤ数に対応する各トランスポートレイヤに割り当てるように構成される割当部；及び
データ送信関連制御情報を受信機に対して送信するように構成される送信部であって、前記データ送信関連制御情報はランク表示ＲＩ及びプロセス数表示を含む、送信部；
を備える送信機。
【請求項２５】
設定部をさらに備え、
前記設定部は、送信に使用されるレイヤ数が２であり且つＲＩ＞２である前の送信における複数のコードワードの一部が現在の送信において再送される場合に、前記データ送信関連制御情報を含むパケットの少なくとも１つの制御情報フィールドを特殊表示に設定し、該特殊表示は、送信に使用されるレイヤ数が２である場合に、特殊でないコードワードの中のトランスポートブロック及び特殊コードワードの中のトランスポートブロックの複数のプロセス数は同じであるか又は所定の関係にあることを識別するようにさらに構成される；又は前記データ送信関連制御情報を含むパケットにビットを追加するようにさらに構成され、送信に使用されるレイヤ数が２であり且つ前記現在の送信がＲＩ＞２である前記前の送信における複数のコードワードの一部の再送のための送信である場合に、前記ビットは前記特殊表示を送信するために使用される、
請求項２４に記載の送信機。
【請求項２６】
プロセスに対するＨＡＲＱ送達確認情報を受信するように構成される受信部；及び
互いに再送結合プロセスである２つのプロセス双方に対する、前記受信部により受信されるＨＡＲＱ送達確認情報がＡＣＫである場合に、前記送信機が前記２つのプロセスにより送信される複数のコードワードの双方は正しく復号されたと決定し；そうでなければ、前記２つのプロセスにより送信される前記複数のコードワードの双方は再送される必要があると決定するように構成される、第２決定部；
をさらに備える、請求項２４又は２５に記載の送信機。
【請求項２７】
送信機により送信されるコードワード及びデータ送信関連制御情報を受信するように構成される受信部であって、前記データ送信関連制御情報はＲＩ及びプロセス数表示を含む、受信部；及び
前記ＲＩ、前記プロセス数表示、及びトランスポートブロック対コードワードマッピングに従って、前記コードワードに対応するトランスポートブロックの組み合わせを識別するように構成される識別部；
を備える受信機。
【請求項２８】
前記現在の送信において使用されるレイヤ数が２であり且つ前記受信機により受信される２つのコードワードの中の複数のトランスポートブロックに対応する複数のプロセスが互いに再送結合プロセスである場合であって、且つ前記２つのコードワードの中の前記複数のトランスポートブロックの双方が正しく復号された場合であり且つその場合に限り、前記受信機は、前記２つのコードワードに対するＡＣＫを前記送信機に同時にフィードバックし、そうでなければ同時にＮＡＣＫをフィードバックするように構成されるフィードバック部；
をさらに備える、請求項２７に記載の受信機。
【請求項２９】
送信機及び受信機を含むデータ再送システムであって、前記送信機は、再送されるコードワードにより占有される必要のあるレイヤ数が前記送信機により使用するために選択されたレイヤ数より少なく、且つ新しいデータを送信する必要がない場合において、前記送信機が選択した前記レイヤ数と前記コードワードを再送するために占有される必要のある前記レイヤ数との間の差に従って、特殊コードワードであって、該特殊コードワードに含まれるトランスポートブロックの数は前記差に等しい、特殊コードワード、を決定し；且つレイヤマッピングにより、再送される必要のある前記コードワード及び前記決定部により決定された前記特殊コードワードを各トランスポートレイヤに割り当てるように構成される、
データ再送システム。
【請求項３０】
前記送信機は、特殊コードワード送信表示を前記受信部に送信するようにさらに構成され、且つ前記特殊コードワード送信表示は、現在のデータ送信が特殊コードワードを含むことを示すために使用され；且つ
前記受信機は、前記送信機により送信される、複数のコードワード、データ送信関連制御情報、及び前記特殊コードワード送信表示を受信するように構成され、前記データ送信関連制御情報はプロセス数表示を含み、前記複数のコードワードは、前記再送されるコードワード及び前記特殊コードワードを含み、且つ前記特殊コードワード送信表示は前記現在のデータ送信が特殊コードワードを含むことを識別するために使用され；且つ前記特殊コードワード送信表示を検出した際に、前記プロセス数表示に従って、前記複数のコードワードにおいて、前記再送されるコードワード及び／又は前記特殊コードワードを識別するように構成される、
請求項２９に記載のシステム。
【請求項３１】
前記送信機は、特殊コードワード送信表示を前記受信機に送信するようにさらに構成され、且つ前記特殊コードワード送信表示は、現在のデータ送信が特殊コードワードを含むことを示すために使用され；且つ
前記受信機は、前記送信機から送信される複数のコードワード及び特殊コードワード送信表示を受信するように構成され、前記複数のコードワードは：前記再送コードワード及び前記特殊コードワードを含み、且つ前記特殊コードワード送信表示は、前記現在のデータ送信が特殊コードワードを含むことを識別するために使用され、且つどのコードワードが前記特殊コードワードであるかを識別するため又はどのコードワードが前記再送されるコードワードであるかを識別するために使用され；且つ前記特殊コードワード送信表示に従って、前記複数のコードワードの中の前記再送されるコードワード及び／又は前記特殊コードワードを識別するように構成される、
請求項２９に記載のシステム。
【請求項３２】
送信機及び受信機を含むデータ再送システムであって、前記送信機は、複数のコードワードの一部又は複数のコードワードの全てが再送される必要がある場合に、送信に使用されるレイヤ数が前記複数のコードワードの一部を再送するために占有される必要のあるレイヤ数又は前記複数のコードワードの全てのうちの一部を再送するために占有される必要のあるレイヤ数であると決定するように構成され；レイヤマッピングにより、再送される必要のある前記複数のコードワードの一部又は再送される必要のある前記複数のコードワードの全てのうちの一部に含まれる複数のトランスポートブロックを、送信に使用される、前記第１決定部により決定される、レイヤ数に対応する各トランスポートレイヤに割り当てるように構成され；且つデータ送信関連制御情報を前記受信機に対して送信するように構成され、前記データ送信関連制御情報はランク表示ＲＩ及びプロセス数表示を含み；且つ
前記受信機は、前記送信機により送信される前記コードワード及び前記データ送信関連制御情報を受信するように構成され、前記データ送信関連制御情報は前記ＲＩ及び前記プロセス数表示を含み；且つ前記ＲＩ、前記プロセス数表示、及びトランスポートブロック対コードワードマッピングに従って、前記コードワードに対応するトランスポートブロックの組み合わせを識別するように構成される、
データ再送システム。
【発明の詳細な説明】
【技術分野】
【０００１】
本発明は、通信の分野に関連し、そして特に、データ再送信方法、装置、及びシステムに関連する。
【背景技術】
【０００２】
通信技術の急速な発展に伴い、３ＧＰＰ（ｔｈｅ  ３ｒｄ  Ｇｅｎｅｒａｔｉｏｎ  Ｐａｒｔｎｅｒｓｈｉｐ  Ｐｒｏｊｅｃｔ、第３世代パートナーシッププロジェクト）により定式化されたリリース７バージョンに導入された２×２ＭＩＭＯ（Ｍｕｌｔｉｐｌｅ−Ｉｎｐｕｔ  Ｍｕｌｔｉｐｌｅ−Ｏｕｔｐｕｔ、マルチ入力マルチ出力）技術において、トランスポートブロックの長さの表示及び各データフローの変調表示は独立しており、単一の現在のデータがスケジュールされているか又は二重の現在のデータがスケジュールされているかにかかわらず、ノードＢ（基地局）は、ＵＥ（Ｕｓｅｒ  Ｅｑｕｉｐｍｅｎｔ、ユーザ装置）に、プライマリトランスポートブロックのプロセス番号ＨＡＰｐｂのみを通知し、そして、セカンダリトランスポートブロックのプロセス番号は、プライマリトランスポートブロックのプロセス番号に従って計算することができる：
ＨＡＰｓｂ＝（ＨＡＰｐｂ＋Ｎｐｒｏｃ／２）ｍｏｄ（Ｎｐｒｏｃ）
【０００３】
リリース７のＭＩＭＯにおいて、プロセスの総数は、６≦Ｎｐｒｏｃ／２≦８を満たす、すなわち、各フローのプロセスの数は、平均して６から８である。
【０００４】
４アンテナのＭＩＭＯが使用される場合の基本的なデータ伝送が、図１に概略的に示される。３ＧＰＰ規格会合が４×４ＭＩＭＯを導入することを決定した後においても、依然として、最大で２つのトランスポート表示と２つの変調表示とが使用されている。表示情報の各部分は、最大で２つのＴＢ（Ｔｒａｎｓｐｏｒｔ  Ｂｌｏｃｋ、トランスポートブロック）を制御することができる。同じ制御情報のセットを使用する１つ又は２つのＴＢを符号化することで取得されるデータは、総括してコードワード（ｃｏｄｅｗｏｒｄ、ＣＷと略す）と呼ばれる。コードは、レイヤマッピングを受けた後、各トランスポートレイヤにおいて送信される。各トランスポートレイヤのデータは、プリコーディングされた後、複数のアンテナポートに転送され、そして他の複数のデータ信号と重畳された後に受信機にエアインターフェースで送信される。エアインターフェースデータ情報及び対応する制御情報を受信した後、受信機は、復調、復号化などの操作を行い、そしてデータがＣＲＣ（ＣｙｃＲＩｃ  Ｒｅｄｕｎｄａｎｃｙ  Ｃｈｅｃｋ、巡回冗長検査）検証に合格したかどうかに従って、各コードワードについてのＡＣＫ／ＮＡＣＫを送信機に対してフィードバックする。送信機がＮＡＣＫフィードバックを受信する場合、対応するコードワードは再送される必要がある。
【０００５】
現在、ＭＩＭＯベースのデータ再送処理の前述のプロセスにおいて、各送信されたコードワードに対応するレイヤの数又はＴＢの数は変更されず、そして再送される複数のコードワードの系列は変化しない。この時、新しいデータを送信する必要がなければ、使用されなければならないレイヤの数がコードワードを再送するために必要なレイヤの数よりも大きいという状況が生じる可能性があり、そしてこの場合において、送信機の動作はまだ定義されていない。このため、送信機は処理を実行する方法を知らず、このことは、送信機及び受信機が正常に動作することを困難にする可能性がある。
【発明の概要】
【発明が解決しようとする課題】
【０００６】
本発明の複数の実施例は、ＭＩＭＯベースのデータ再送処理において、送信機が使用するために選択したレイヤ数がコードワードを再送するために必要なレイヤ数よりも多く且つ新しいデータを送信する必要がない場合において、送信機及び受信機が正常に動作するのが困難であるかもしれないという問題に対する、ＭＩＭＯベースのデータ伝送方法、装置、及びシステムを提供する。
【課題を解決するための手段】
【０００７】
この問題を解決するために、本発明の複数の実施例は、以下の複数の技術的な解決手段を採用する。
【０００８】
第１の態様において、本発明の実施例は、再送されるコードワードにより占有される必要のあるレイヤ数が、送信機により使用するために選択されたレイヤ数より少なく且つ新しいデータを送信する必要がない場合において、前記送信機が選択した前記レイヤ数と前記コードワードを再送するために占有される必要のある前記レイヤ数との間の差に従って、特殊コードワードを決定するステップであって、該特殊コードワードに含まれるトランスポートブロックの数は前記差に等しい、ステップ；及びレイヤマッピングにより、前記再送される必要のあるコードワード及び前記特殊コードワードを各トランスポートレイヤに割り当てるステップ；を含む、データ再送方法を提供する。
【０００９】
前記第１の態様に関する、第１の可能な実施方法において、前記方法は：前記受信機に特殊コードワード送信表示を送信するステップであって、前記特殊コードワード送信表示は、現在のデータ送信が特殊コードワードを含むことを示すために使用される、ステップ；をさらに含む。
【００１０】
前記第１の態様及び前記第１の可能な実施方法のうちのいずれか１つに関する、第２の可能な実施方法において、前記特殊コードワードは仮想コードワードであり且つ該仮想コードワードは空の情報である；又は前記特殊コードワードは充填コードワードであり且つ該充填コードワードは空でない情報である。
【００１１】
前記第１の態様及び前記最初の２つの可能な実施方法のうちのいずれか１つに関する、第３の可能な実施方法において、前記受信機に特殊コードワード送信表示を送信する前記処理は：前記受信機に該特殊コードワード送信表示を送るために、ＨＳ−ＳＣＣＨで該特殊コードワード送信表示を送信するステップ；をさらに含む。
【００１２】
前記第３の可能な実施方法に関する、第４の可能な実施方法において、ＨＳ−ＳＣＣＨで前記特殊コードワード送信表示を送信する前記ステップは：データ送信関連制御情報を含むパケットに前記特殊コードワード送信表示を識別するために使用されるビットを追加するステップ、及び前記パケットを前記ＨＳ−ＳＣＣＨで送信するステップ；又はデータ送信関連制御情報を含むパケットの中の少なくとも１つの制御情報フィールドに前記特殊コードワード送信表示を識別するために使用される特定の値を設定するステップ、及び前記ＨＳ−ＳＣＣＨで前記パケットを送信するステップ；を含む。
【００１３】
前記第１の態様及び前記最初の４つの可能な実施方法のうちのいずれか１つに関する、第５の可能な実施方法において、前記特殊コードワード送信表示は、さらに、どのコードワードが特殊コードワードであるかを識別するため、及び／又はどのコードワードが送信される前記コードワードであるかを識別するために使用される。
【００１４】
第２の態様において、本発明の実施例は：前記送信機により送られる、複数のコードワード、データ送信関連制御情報、及び特殊コードワード送信表示を受信するステップであって、前記データ送信関連制御情報はプロセス数表示を含み、前記複数のコードワードは、再送されるコードワード及び特殊コードワードを含み、且つ前記特殊コードワード送信表示は現在のデータ送信が特殊コードワードを含むことを識別するために使用される、ステップ；及び前記特殊コードワード送信表示を検出した際に、前記プロセス数表示に従って、前記複数のコードワードにおいて、前記再送されるコードワード及び／又は前記特殊コードワードを識別するステップ；を含むデータ再送方法を提供する。
【００１５】
前記第２の態様に関する、第１の可能な実施方法において、前記プロセス数表示に従って、前記複数のコードワードにおいて、前記再送されるコードワード及び／又は前記特殊コードワードを識別する前記ステップは：前記プロセス数表示により示されたプロセス又は該プロセスに関連付けられたプロセスに対応するバッファされたデータが正しく復号されたかどうかを決定するステップ；前記バッファされたデータが正しく復号されなかった場合に、前記現在のデータ送信の中の前記示されたプロセス又は前記関連付けられたプロセスに対応するトランスポートブロックが前記再送されるコードワードに属すことを識別するステップ；又は前記バッファされたデータが正しく復号された場合に、前記現在のデータ送信の中の前記示されたプロセス又は前記関連付けられたプロセスに対応するトランスポートブロックが前記特殊コードワードに属すことを識別するステップ；を含む。
【００１６】
第３の態様において、本発明の実施例は、前記送信機から送信される複数のコードワード及び特殊コードワード送信表示を受信するステップであって、前記複数のコードワードは：再送コードワード及び特殊コードワードを含み、且つ前記特殊コードワード送信表示は、現在のデータ送信が特殊コードワードを含むことを識別するために使用され且つどのコードワードが前記特殊コードワードであるかを識別するため又はどのコードワードが前記再送されるコードワードであるかを識別するために使用される、ステップ；及び前記特殊コードワード送信表示に従って、前記複数のコードワードの中の前記再送されるコードワード及び／又は前記特殊コードワードを識別するステップ；を含むデータ再送方法を提供する。
【００１７】
第４の態様において、本発明の実施例は、再送されるコードワードにより占有される必要のあるレイヤ数が前記送信機により使用するために選択されたレイヤ数より少なく、且つ新しいデータを送信する必要がない場合において、前記送信機が選択した前記レイヤ数と前記コードワードを再送するために占有される必要のある前記レイヤ数との間の差に従って、特殊コードワードを決定するように構成される決定部であって、該特殊コードワードに含まれるトランスポートブロックの数は前記差に等しい、決定部；及びレイヤマッピングにより、再送される必要のある前記コードワード及び前記決定部により決定された前記特殊コードワードを各トランスポートレイヤに割り当てるように構成される割当部；を備える送信機を提供する。
【００１８】
前記第４の態様に関する、第１の可能な実施方法において、本発明の前記実施例により提供される送信機は：特殊コードワード送信表示を受信機に送信するように構成される送信部であって、前記特殊コードワード送信表示は、現在のデータ送信が特殊コードワードを含むことを示すために使用される、送信部；をさらに含む。
【００１９】
第５の態様において、本発明の実施例は：前記送信機により送られる、複数のコードワード、データ送信関連制御情報、及び特殊コードワード送信表示を受信するように構成される受信部であって、前記データ送信関連制御情報はプロセス数表示を含み、前記複数のコードワードは、再送されるコードワード及び特殊コードワードを含み、且つ前記特殊コードワード送信表示は現在のデータ送信が特殊コードワードを含むことを識別するために使用される、受信部；及び前記特殊コードワード送信表示を検出した際に、前記プロセス数表示に従って、前記複数のコードワードにおいて、前記再送されるコードワード及び／又は前記特殊コードワードを識別するように構成される識別部；を備える受信機を提供する。
【００２０】
第６の態様において、本発明の実施例は：前記送信機から送信される複数のコードワード及び特殊コードワード送信表示を受信するように構成される受信部であって、前記複数のコードワードは：再送コードワード及び特殊コードワードを含み、且つ前記特殊コードワード送信表示は、現在のデータ送信が特殊コードワードを含むことを識別するために使用され且つどのコードワードが前記特殊コードワードであるかを識別するため又はどのコードワードが前記再送されるコードワードであるかを識別するために使用される、受信部；及び前記受信部により受信される前記特殊コードワード送信表示に従って、前記複数のコードワードの中の前記再送されるコードワード及び／又は前記特殊コードワードを識別するように構成される識別部；を備える受信機を提供する。
【００２１】
第７の態様において、本発明の実施例は、複数のコードワードの一部又は複数のコードワードの全てを再送する必要がある場合に、送信機により、送信に使用されるレイヤ数が前記複数のコードワードの一部を再送するために占有される必要のあるレイヤ数である又は前記複数のコードワードの全てのうちの一部を再送するために占有される必要のあるレイヤ数であると決定するステップ；レイヤマッピングにより、再送される必要のある前記複数のコードワードの一部又は再送される必要のある前記複数のコードワードの全てのうちの一部に含まれる複数のトランスポートブロックを、前記送信に使用されるレイヤ数に対応する各トランスポートレイヤに割り当てるステップ；及びデータ送信関連制御情報を受信機に送信するステップであって、前記データ送信関連制御情報は、ランク表示ＲＩ及びプロセス数表示を含む、送信するステップ；を含むデータ再送方法を提供する。
【００２２】
前記第７の態様に関する、第１の可能な実施方法において、レイヤマッピングにより、再送される必要のある前記複数のコードワードの一部又は再送される必要のある前記複数のコードワードの全てのうちの一部に含まれる複数のトランスポートブロックを、前記送信に使用されるレイヤ数に対応する各トランスポートレイヤに割り当てる前記ステップは：前記再送される必要のある複数のコードワードの一部又は前記再送される必要のある複数のコードワードの全てのうちの一部に含まれるトランスポートブロックを、送信に使用されるレイヤ数及びトランスポートブロック対コードワードマッピングにより、再処理されるコードワードにマッピングするステップ、及び前記レイヤマッピングにより、前記再処理されるコードワードを送信に使用される前記レイヤ数に対応する各トランスポートレイヤに割り当てるステップ；を含む。
【００２３】
前記第１の可能な実施方法に関する、第２の可能な実施方法において、前記トランスポートブロック対コードワードマッピングは、コードワードが同じプロセス数を有する複数のトランスポートブロック又は差を伴う複数のプロセス数を有する複数のトランスポートブロックであって、所定の関係にある、複数のトランスポートブロック、に対応すること、を含む。
【００２４】
前記第１又は第２の可能な実施方法に関する、第３の可能な実施方法において、前記トランスポートブロック対コードワードマッピングは、前記トランスポートブロック対コードワードマッピングがさらに、送信に使用されるレイヤ数が２である場合であって、２つのトランスポートブロックが最初に送信される場合、又は前の送信中の前記ＲＩが２であり且つ前記２つのトランスポートブロックの双方を再送する必要があり且つ前記２つのトランスポートブロックのプロセス数の間の差が第１の固定値である場合に、特殊コードワードに対応するトランスポートブロックのプロセス数及び特殊でないコードワードに対応するトランスポートブロックのプロセス数は異なり、且つ前記２つのプロセス数の間の差は前記第１の固定値であることを含む、ということを含む。
【００２５】
前記第２又は第３の可能な実施方法に関する、第４の可能な実施方法において、前記方法は：送信に使用されるレイヤ数が２であり、且つ現在の送信がＲＩ＞２である前の送信における複数のコードワードの一部の再送である場合に、前記データ送信関連制御情報を含むパケットの少なくとも１つの制御情報フィールドを特殊表示に設定するステップであって、該特殊表示は、送信に使用されるレイヤ数が２である場合に、前記特殊でないコードワードの中の前記トランスポートブロック及び前記特殊コードワードの中の前記トランスポートブロックの前記複数のプロセス数が同じである又は所定の関係にある（例えば、前記複数のプロセス数の間の差が第２の固定値である）ことを識別するために使用される、設定するステップ；又は前記データ送信関連制御情報を含むパケットにビットを加えるステップであって、前記ビットは、送信のために使用される前記レイヤ数が２であり且つ前記現在の送信がＲＩ＞２である前記前の送信における複数のコードワードの一部の再送である場合において、前記特殊表示を送信するために使用される、ステップ；をさらに含む。
【００２６】
前記第７の態様及び前記最初の４つの可能な実施方法のうちのいずれか１つに関する、第５の実施方法において、互いに再送結合プロセスである２つのプロセス双方について、前記送信機により受信されるＨＡＲＱ送達確認情報がＡＣＫであった場合に、前記送信機は、前記２つのプロセスにより送信される複数のコードワードは両方とも正しく復号されたと判定し、そうでなければ、再送の最大数に達していない場合に、前記２つのプロセスにより送信された前記複数のコードワードを再び再送する。
【００２７】
第８の態様において、本発明の実施例は、送信機により送信されたコードワード及びデータ送信関連制御情報を受信機により受信するステップであって、前記データ送信関連制御情報は、ＲＩ及びプロセス数表示を含む、受信するステップ；及び前記ＲＩ、前記プロセス数表示、及びトランスポートブロック対コードワードマッピングに従って、前記コードワードに対応するトランスポートブロックの組み合わせを識別するステップ；を含むデータ再送方法を提供する。
【００２８】
前記第８の態様に関する、第１の可能な実施方法において、前記ＲＩ、前記プロセス数表示、及びトランスポートブロック対コードワードマッピングに従って、前記コードワードに対応するトランスポートブロックの組み合わせを識別する前記ステップは：前記ＲＩが２である場合に、プロセス数表示により示されたプロセスの再送結合プロセスに対応するバッファされたデータが正しく復号されたかどうか確認するステップ；前記バッファされたデータが正しく復号されなかった場合に、特殊でないコードワードの中のトランスポートブロックのプロセス数と前記プロセス数表示の中のプロセス数が同じであるか又は所定の関係にあることを識別するステップ；前記バッファされたデータが正しく復号されなかった場合に、前記特殊でないコードワードの中の前記トランスポートブロックの前記プロセス数と前記プロセス数表示の中の前記プロセス数との間の差が第１の固定値であることを識別するステップ；を含む。
【００２９】
前記第８の態様に関する、第２の可能な実施方法において、前記ＲＩ、前記プロセス数表示、及びトランスポートブロック対コードワードマッピングに従って、前記コードワードに対応するトランスポートブロックの組み合わせを識別する前記ステップは：前記ＲＩが２である場合に、前記データ送信関連制御情報のパケットが特殊表示で構成されているかどうかを確認するステップ；前記パケットが前記特殊表示で構成されている場合に、特殊でないコードワードの中のプロセス数及び前記プロセス数表示におけるプロセス数が同じであるか又は所定の関係にあることを識別するステップ；前記パケットが前記特殊表示で構成されていない場合に、前記特殊でないコードワードの中の前記トランスポートブロックの前記プロセス数と前記プロセス数表示の中の前記プロセス数との間の差が第１の固定値であることを識別するステップであって、前記特殊表示は、送信に使用されるレイヤ数が２である場合に、前記特殊でないコードワードの中の前記トランスポートブロック及び前記特殊コードワードの中の前記トランスポートブロックの前記複数のプロセス数が同じであるか又は所定の関係にあることを識別するために使用される、識別するステップ；を含む。
【００３０】
前記第８の態様及び前記最初の２つの可能な実施方法のうちのいずれか１つに関する、第３の可能な実施方法において、前記方法は：前記現在の送信において使用されるレイヤ数が２であり且つ前記受信機により受信される２つのコードワードの中の前記複数のトランスポートブロックに対応する前記複数のプロセスが互いに前記再送結合プロセスである場合であって、且つ前記２つのコードワードの中の前記複数のトランスポートブロックの双方が正しく復号される場合であり且つその場合に限り、前記受信機により、前記２つのコードワードに対するＡＣＫを前記送信機に対して同時にフィードバックするステップ、及びそうでなければ、同時にＮＡＣＫをフィードバックするステップ；をさらに含む。
【００３１】
第９の態様において、本発明の実施例は、複数のコードワードの一部又は複数のコードワードの全てが再送される必要がある場合に、送信に使用されるレイヤ数が前記複数のコードワードの一部を再送するために占有される必要のあるレイヤ数又は前記複数のコードワードの全てのうちの一部を再送するために占有される必要のあるレイヤ数であると決定するように構成される第１決定部；レイヤマッピングにより、再送される必要のある前記複数のコードワードの一部又は再送される必要のある前記複数のコードワードの全てのうちの一部に含まれる複数のトランスポートブロックを、送信に使用される、前記第１決定部により決定される、レイヤ数に対応する各トランスポートレイヤに割り当てるように構成される割当部；及びデータ送信関連制御情報を受信機に対して送信するように構成される送信部であって、前記データ送信関連制御情報はランク表示ＲＩ及びプロセス数表示を含む、送信部；を備える送信機を提供する。
【００３２】
前記第９の側面に関する、第１の可能な実施方法において、前記送信機はさらに設定部を備え、前記設定部は、送信に使用されるレイヤ数が２であり且つＲＩ＞２である前の送信における複数のコードワードの一部が現在の送信において再送される場合に、前記データ送信関連制御情報を含むパケットの少なくとも１つの制御情報フィールドを特殊表示に設定し、該特殊表示は、送信に使用されるレイヤ数が２である場合に、特殊でないコードワードの中のトランスポートブロック及び特殊コードワードの中のトランスポートブロックの複数のプロセス数は同じであるか又は所定の関係にあることを識別するようにさらに構成される；又は前記データ送信関連制御情報を含むパケットにビットを追加するようにさらに構成され、送信に使用されるレイヤ数が２であり且つ前記現在の送信がＲＩ＞２である前記前の送信における複数のコードワードの一部の再送のための送信である場合に、前記ビットは前記特殊表示を送信するために使用される。
【００３３】
前記第９の側面及び前記第１の可能な実施方法に関する、第２の可能な実施方法において、前記送信機は：プロセスに対するＨＡＲＱ送達確認情報を受信するように構成される受信部；及び互いに再送結合プロセスである２つのプロセス双方に対する、前記受信部により受信されるＨＡＲＱ送達確認情報がＡＣＫである場合に、前記送信機が前記２つのプロセスにより送信される複数のコードワードの双方は正しく復号されたと決定し；そうでなければ、前記２つのプロセスにより送信される前記複数のコードワードの双方は再送される必要があると決定するように構成される、第２決定部；をさらに備える。
【００３４】
第１０の態様において、本発明の実施例は、送信機により送信されるコードワード及びデータ送信関連制御情報を受信するように構成される受信部であって、前記データ送信関連制御情報はＲＩ及びプロセス数表示を含む、受信部；及び前記ＲＩ、前記プロセス数表示、及びトランスポートブロック対コードワードマッピングに従って、前記コードワードに対応するトランスポートブロックの組み合わせを識別するように構成される識別部；を備える受信機を提供する。
【００３５】
第１０の態様に関する、第１の可能な実施方法において、前記受信機は：前記現在の送信において使用されるレイヤ数が２であり且つ前記受信機により受信される２つのコードワードの中の複数のトランスポートブロックに対応する複数のプロセスが互いに再送結合プロセスである場合であって、且つ前記２つのコードワードの中の前記複数のトランスポートブロックの双方が正しく復号された場合であり且つその場合に限り、前記受信機は、前記２つのコードワードに対するＡＣＫを前記送信機に同時にフィードバックし、そして、そうでなければ同時にＮＡＣＫをフィードバックするように構成されるフィードバック部；をさらに備える。
【００３６】
第１１の側面において、本発明の実施例は、送信機及び受信機を含むデータ再送システムをさらに提供する。前記送信機は、再送されるコードワードにより占有される必要のあるレイヤ数が前記送信機により使用するために選択されたレイヤ数より少なく、且つ新しいデータを送信する必要がない場合において、前記送信機が選択した前記レイヤ数と前記コードワードを再送するために占有される必要のある前記レイヤ数との間の差に従って、特殊コードワードであって、該特殊コードワードに含まれるトランスポートブロックの数は前記差に等しい、特殊コードワード、を決定し；且つレイヤマッピングにより、再送される必要のある前記コードワード及び前記決定部により決定された前記特殊コードワードを各トランスポートレイヤに割り当てるように構成される。
【００３７】
前記第１１の側面に関する、第１の可能な実施方法において、前記送信機は、特殊コードワード送信表示を前記受信部に送信するようにさらに構成され、且つ前記特殊コードワード送信表示は、現在のデータ送信が特殊コードワードを含むことを示すために使用される。
【００３８】
前記受信機は、前記送信機により送られる、複数のコードワード、データ送信関連制御情報、及び前記特殊コードワード送信表示を受信するように構成され、前記データ送信関連制御情報はプロセス数表示を含み、前記複数のコードワードは、前記再送されるコードワード及び前記特殊コードワードを含み、且つ前記特殊コードワード送信表示は現在のデータ送信が特殊コードワードを含むことを識別するために使用され；且つ前記特殊コードワード送信表示を検出した際に、前記プロセス数表示に従って、前記複数のコードワードにおいて、前記再送されるコードワード及び／又は前記特殊コードワードを識別するように構成される。
【００３９】
前記第１１の側面に関する、第２の可能な実施方法において、前記送信機は、特殊コードワード送信表示を前記受信機に送信するようにさらに構成され、且つ前記特殊コードワード送信表示は、現在のデータ送信が特殊コードワードを含むことを示すために使用される。
【００４０】
前記受信機は、前記送信機から送信される複数のコードワード及び特殊コードワード送信表示を受信するように構成され、前記複数のコードワードは：前記再送コードワード及び前記特殊コードワードを含み、且つ前記特殊コードワード送信表示は、前記現在のデータ送信が特殊コードワードを含むことを識別するために使用され且つどのコードワードが前記特殊コードワードであるかを識別するため又はどのコードワードが前記再送されるコードワードであるかを識別するために使用され；且つ前記特殊コードワード送信表示に従って、前記複数のコードワードの中の前記再送されるコードワード及び／又は前記特殊コードワードを識別するように構成される。
【００４１】
第１２の態様において、本発明の実施例は、送信機及び受信機を含むデータ再送システムを提供する。前記送信機は、複数のコードワードの一部又は複数のコードワードの全てが再送される必要がある場合に、送信に使用されるレイヤ数が前記複数のコードワードの一部を再送するために占有される必要のあるレイヤ数又は前記複数のコードワードの全てのうちの一部を再送するために占有される必要のあるレイヤ数であると決定するように構成され；レイヤマッピングにより、再送される必要のある前記複数のコードワードの一部又は再送される必要のある前記複数のコードワードの全てのうちの一部に含まれる複数のトランスポートブロックを、送信に使用される、前記第１決定部により決定される、レイヤ数に対応する各トランスポートレイヤに割り当てるように構成され；且つデータ送信関連制御情報を前記受信機に対して送信するように構成され、前記データ送信関連制御情報はランク表示ＲＩ及びプロセス数表示を含む。
【００４２】
前記受信機は、送信機により送信されるコードワード及びデータ送信関連制御情報を受信するように構成され、前記データ送信関連制御情報はＲＩ及びプロセス数表示を含み；且つ前記ＲＩ、前記プロセス数表示、及びトランスポートブロック対コードワードマッピングに従って、前記コードワードに対応するトランスポートブロックの組み合わせを識別するように構成される。
【００４３】
本発明の複数の実施例はＭＩＭＯベースのデータ再送方法、装置、及びシステムを提供する。解決手段は：送信機がデータを再送する必要がある場合であり、且つ再送される前記データにより必要とされるレイヤ数が前記送信機により選択されたレイヤ数よりも小さく且つ新しいデータを再送する必要がない場合に、特殊コードワードが送信され、これによりこの特殊な場合においてデータの再送が正常に行われる、というものである。他の解決手段は：データ再送処理方法において、送信機が複数のコードワードの一部又は複数のコードワードの全てを送信する必要がある場合に、前記送信機は、送信に使用されるレイヤ数は、前記複数のコードワードの一部の再送のために占有される必要のあるレイヤ数又は前記複数のコードワードの全てのうちの一部の再送のために占有される必要のあるレイヤ数であると決定し、これにより使用されるレイヤ数がコードワードを再送するのに必要とされるレイヤ数より大きくなるという場合を回避し、これによりデータの再送の正常な実行を可能とする、というものである。
【図面の簡単な説明】
【００４４】
【図１】４アンテナＭＩＭＯ技術における基本的なデータ送信のフローチャートである；
【００４５】
【図２】本発明の実施例により提供されるデータ再送方法の概略フローチャートである；
【００４６】
【図３】本発明の実施例により提供される他のデータ再送方法の概略フローチャートである；
【００４７】
【図４】本発明の実施例により提供される他のデータ再送方法の概略フローチャートである；
【００４８】
【図５】本発明の実施例により提供される他のデータ再送方法の概略フローチャートである；
【００４９】
【図６】本発明の実施例により提供される送信機の概略構成図である；
【００５０】
【図７】本発明の実施例により提供される受信機の概略構成図である；
【００５１】
【図８】本発明の実施例により提供される他の受信機の概略構成図である；
【００５２】
【図９】本発明の実施例により提供される他のデータ再送方法の概略フローチャートである；
【００５３】
【図１０】本発明の実施例により提供される他のデータ再送方法の概略フローチャートである；
【００５４】
【図１１】本発明の実施例により提供される他の送信機の概略構成図である；
【００５５】
【図１２】本発明の実施例により提供される他の受信機の概略構成図である；
【００５６】
【図１３】複数のトランスポートブロックの複数のプロセス数の例の図である。
【発明を実施するための形態】
【００５７】
以下において、本発明の複数の実施例における複数の添付図面を参照して本発明の複数の実施例における複数の技術的解決手段を明確かつ完全に説明する。明らかに、説明される複数の実施例は、本発明の全ての実施例ではなく、単なる一部である。創造的な努力をすることなく、本発明の複数の実施例に基づき、当業者によって得られる全ての他の実施例は、本発明の保護範囲に属さなければならない。
【００５８】
本発明の全ての実施例は、送信機が基地局であってもよく且つ受信機が端末であってもよい下りリンクのデータ送信処理におけるデータ再送に対して適用可能であり；そしてまた、送信機が端末であってもよく且つ受信機が基地局であってもよい上りリンクのデータ送信処理におけるデータ再送に対して適用可能である、ということに注意すべきである。
【００５９】
本発明の実施例は、ＭＩＭＯベースのデータ再送方法を提供し、そして図２において示されるように、方法は以下の複数のステップを含んでもよい。
【００６０】
Ｓ１０１：送信されるコードワードにより占有される必要のあるレイヤ数が送信機により使用するために選択されるレイヤ数よりも小さく、かつ送信される必要のある新しいデータがない場合に、送信機は、当該送信機により選択されるレイヤ数とコードワードの再送のために占有される必要のあるレイヤ数との間の差にしたがって、特殊コードワードを決定する。
【００６１】
本発明の全ての実施例において、レイヤ数（ｎｕｍｂｅｒ  ｏｆ  ｌａｙｅｒｓ）はデータフロー数（ｎｕｍｂｅｒ  ｏｆ  ｄａｔａ  ｆｌｏｗｓ）、又は略してフロー数（ｎｕｍｂｅｒ  ｏｆ  ｆｌｏｗｓ）とも呼ばれる。
【００６２】
特殊コードワードの中に含まれるトランスポートブロックの数は、前記差に等しい。特殊コードワードとは、通常のコードワード以外の任意のコードワードのことであり、そして通所のコードワードとは、送信機が実際に受信機に送信する必要のあるデータが配置されるコードワードのことである。
【００６３】
ＭＩＭＯシステムに基づき、送信機は、以下の方法において、どの複数のコードワードを再送する必要があるか、決定してもよい。
【００６４】
送信機は、前回送信されたコードワード（ＣＷ、ｃｏｄｅｗｏｒｄ）及びチャネル状態情報について、受信機によりフィードバックされたＨＡＲＱ−ＡＣＫ（ｈｙｂｒｉｄ  ａｕｔｏｍａｔｉｃ  ｒｅｐｅａｔ−ｒｅｑｕｅｓｔ  ａｃｋｎｏｗｌｅｄｇｅｍｅｎｔ、ハイブリッド自動再送要求送達確認）情報を受信する。
【００６５】
ＨＡＲＱ送達確認情報は、ＡＣＫ又はＮＡＣＫを含む。ＨＡＲＱ送達確認情報がＡＣＫを含む場合、それは、ＨＡＲＱ送達確認情報に対応するコードワードが正常に送信されたことを示す。ＡＲＱ−ＡＣＫ情報がＮＡＣＫを含む場合、それは、ＨＡＲＱ送達確認情報に対するコードワードの送信が成功しなかったこと、及び再送される必要があることを示す。
【００６６】
チャネル状態情報は、ＲＩ（Ｒａｎｄ  Ｉｎｄｅｘ、ランク指標）を含む。さらに、チャネル状態情報は、追加的にＰＣＩ（Ｐｒｅｃｏｄｉｎｇ  Ｃｏｎｔｒｏｌ  Ｉｎｄｉｃａｔｏｒ、プリコーディング制御指標）及びＣＱＩ（Ｃｈａｎｎｅｌ  Ｑｕａｌｉｔｙ  Ｉｎｄｉｃａｔｏｒ、チャネル品質指標）を含んでもよい。また、ＲＩはＬＩ（Ｌａｙｅｒ  ｎｕｍｂｅｒ  Ｉｎｄｉｃａｔｉｏｎ、レイヤ数表示）により示されてもよい。
【００６７】
前述のシナリオにおける、再送されるコードワードにより占有される必要のあるレイヤ数が送信機により使用するために選択されるレイヤ数よりも小さく且つ新しいデータを送信する必要がない場合とは、前回送信された複数のコードワードの中の複数のコードワードの一部に対してフィードバックされるＨＡＲＱ送達確認情報はＮＡＣＫであり、当該複数のコードワードの一部を再送するために必要なレイヤ数は送信機により選択されたレイヤ数より小さく、且つ新しいデータを送信する必要がない場合であってもよい。
【００６８】
一般に、送信機は、再送される必要のある各コードワードに対応するレイヤ数又はＴＢの数が変化しないこと、及びコードワードの系列が変化しないままであることに従って、再送される必要のあるコードワードに対するレイヤ数を選択する。
【００６９】
一例として、４×４ＭＩＭＯシステムを考慮すると、レイヤマッピングはＴａｂｌｅ  １に示される。
【表１】
2015530012.tif 000003
【００７０】
表１のレイヤマッピングによると、本発明の実施例において、前回送信された複数のコードワードの中の複数のコードワードの一部に対してフィードバックされるＨＡＲＱ送達確認情報がＮＡＣＫであるというシナリオについて、前回の送信により使用されるレイヤ数が２又は３又は４であり、かつ複数のコードワードの一部がＣＷ１又はＣＷ２であるということが起こり得る、ということを理解することができる。
【００７１】
例えば、前回送信されたＣＷ２に対してフィードバックされるＨＡＲＱ送達確認情報がＮＡＣＫであり、且つＣＷ１に対してフィードバックされるＨＡＲＱ送達確認情報がＡＣＫである場合、ＣＷ２を再送する必要があることを示し、かつ再送において必要となるレイヤ数は２である。再送されるコードワードの系列を変化しないままとするために、すなわち、この送信において再送されるコードワードを依然としてＣＷ２とするには、この場合において、明らかに、ＣＷ２を再送するために必要となるレイヤ数は、選択されたレイヤ数よりも小さくなる。この場合、新しいデータを送信する必要がない場合には、再送を正常に実行することはできない；しかしながら、この問題は、本発明の実施例の技術的解決手段を使用することにより解決することができる。具体的な解決手段は、以下の通りである：
【００７２】
コードワード系列及びレイヤマッピングに従って選択されたレイヤ数が３である場合、選択されたレイヤ数（３である）とＣＷ２の再送のために必要なレイヤ数（２である）との差は１であり、そのため、当該差に従って定められる、現在の送信における特殊コードワードに含まれるトランスポートブロック数は１でなければならず、これにより特殊コードワードを決定する；或いは
【００７３】
コードワード系列及びレイヤマッピングに従って選択されたレイヤ数が４である場合、選択されたレイヤ数（４である）とＣＷ２の再送のために必要なレイヤ数との間の差は２であり、そのため、当該差に従って定められる、現在の送信における特殊コードワードに含まれるトランスポートブロック数は２でなければならず、これにより特殊コードワードを決定する。
【００７４】
例えば、前回送信されたＣＷ１に対してフィードバックされるＨＡＲＱ送達確認情報がＮＡＣＫであり、ＣＷ２に対してフィードバックされるＨＡＲＱ送達確認情報がＡＣＫである場合、それは、ＣＷ１を再送する必要があることを示し、かつ再送において必要とされるレイヤの数は２である。再送されるコードワードの系列を変化しないままとするため、すなわち、この送信における再送されるコードワードを依然としてＣＷ１とするために、この場合において、送信機により選択されるレイヤ数は４であってもよく、このため、明らかに、ＣＷ２を再送するために必要となるレイヤ数は、選択されたレイヤ数よりも小さくなる。この場合、新しいデータを送信する必要がない場合には、再送を正常に行うことはできない；しかしながら、本発明の実施例の技術的解決手段を使用することにより、この問題を解決することができる。具体的な解決手段は以下の通りである：
【００７５】
選択されたレイヤ数（４である）とＣＷ２を再送するのに必要なレイヤ数（２である）との差は２であり、当該差に従って決定される現在の送信における特殊コードワードの中のトランスポートブロックの数は２でなければならず、これにより特殊コードワードを決定する。
【００７６】
例えば、前回ＣＷ２に対してフィードバックされたＨＡＲＱ送達確認情報がＮＡＣＫであり、かつＣＷ１に対してフィードバックされたＨＡＲＱ送達確認情報がＡＣＫである場合、このことは、ＣＷ２を再送する必要があることを示し、そして再送において必要となるレイヤ数は２である。再送されるコードワードの系列を変化しないままとするため、つまり、この送信において再送されるコードワードが依然としてＣＷ２であるとするには、この場合において、送信機により選択され得るレイヤ数は３又は４であり、これにより、明らかに、ＣＷ２を再送するために必要となるレイヤ数は、選択されたレイヤ数よりも小さくなる。この場合において、新しいデータを送信する必要がない場合には、再送を正常に行うことができない；しかしながら、本発明の実施例の技術的解決手段を使用することにより、この問題を解決することができる。具体的な解決手段は以下の通りである。
【００７７】
選択されたレイヤの数が３である場合、選択されたレイヤ数（３である）とＣＷ２の再送に必要なレイヤ数（２である）との間の差は１であり、このため当該差に従って決定される現在の送信における特殊コードワードの中に含まれるトランスポートブロックの数は１でなければならず、これにより特殊コードワードを決定する。
【００７８】
選択されたレイヤ数が４である場合、選択されたレイヤ数（４である）とＣＷ２の再送に必要なレイヤ数（２である）との差は２であり、このため当該差に従って決定される現在の送信における特殊コードワードに含まれるトランスポートブロックの数は２でなければならず、これにより特殊コードワードを決定する。
【００７９】
例えば、前回送信されたＣＷ２に対してフィードバックされたＨＡＲＱ送達確認情報がＮＡＣＫであり、且つＣＷ１に対してフィードバックされるＨＡＲＱ送達確認情報がＡＣＫである場合、このことは、ＣＷ２を再送する必要があること、及び再送に必要なレイヤ数が１であることを示す。再送されるコードワードの系列を変化しないままとするために、つまり、今回の送信における再送されるコードワードをＣＷ２のままとするために、この場合において、送信機により選択されるレイヤ数は２であってもよく、このため、明らかに、ＣＷ２を再送するために必要なレイヤ数は、選択されたレイヤ数よりも小さい。この場合、新しいデータを送信する必要がない場合には、再送を正常に行うことはできない；しかしながら、本発明の実施例の技術的解決手段を使用することにより、この問題を解決することができる。具体的な解決手段は以下の通りである。
【００８０】
選択されたレイヤ数（２である）とＣＷ２を再送するのに必要なレイヤ数（１である）との差は１であり、当該差に従って決定される現在の送信における特殊コードワードの中のトランスポートブロックの数は１でなければならず、これにより特殊コードワードを決定する。
【００８１】
選択的に、特殊コードワードは仮想コードワードであってもよく、当該仮想コードワードは空の情報であり、そして空の情報に対応するレベルは０であり、これは、例えば、ＤＴＸ（Ｄｉｓｃｏｎｔｉｎｕｏｕｓ  Ｔｒａｎｓｍｉｓｓｉｏｎ、間欠送信）情報であってもよい。仮想コードワードは、必要に従って、１つのトランスポートブロック又は２つのトランスポートブロックを含んでもよい。
【００８２】
選択的に、特殊コードワードは充填コードワードであり、且つ充填コードワードは、任意の空でない情報であり、これは、例えば、ＡＣＫフィードバックの受信に伴い繰り返し送信されるコードワード、又は固定されたビットの系列、又は任意の空でない情報であってもよい。変調方式、トランスポートブロック長、及び冗長バージョン番号等の、充填コードワードの情報は、ランダムに構成されてもよい、ということに注意すべきである。同様に、特殊コードワードもまた、必要に応じて１つのトランスポートブロック又は２つのトランスポートブロックを含んでもよい。
【００８３】
Ｓ１０２：送信機は、レイヤマッピングにより、各トランスポートレイヤに対して、再送される必要のあるコードワード及び特殊コードワードを割り当てる。
【００８４】
Ｓ１０２において決定される特殊コードワードから、再送される必要のあるコードワードに含まれる複数のトランスポートブロック及び特殊コードワードに含まれる複数のトランスポートブロックの総数は、選択される再送レイヤの数と一致し、これにより送信機が通常の再送処理を実行することができる、ということが理解できる。
【００８５】
選択的に、図３において示されるように、データ再送方法は、以下のステップをさらに含んでもよい。
【００８６】
Ｓ１０３：特殊コードワード送信表示を受信機に送信する。
【００８７】
特殊コードワード送信表示は、現在のデータ送信が特殊コードワードを含むことを識別するために使用される。さらに、特殊コードワード送信表示は、どのコードワードが特殊コードワードであるかを識別するため、及び／又はどのコードワードが再送コードワードであるかを識別するために使用される。
【００８８】
送信機は、さらに、従来技術によると、受信機が正常に復号化を実行できるようにするために、データ送信関連制御情報を受信機に送信する、ということに注意すべきである。一般に、データ送信関連制御情報は、プロセス数表示（ＨＡＰＩ、ＨＡＲＱ  ｐｒｏｃｅｓｓ  ｉｎｄｉｃａｔｉｏｎ）、変調表示（ＭＩ、Ｍｏｄｕｌａｔｉｏｎ  ｉｎｄｉｃａｔｉｏｎ）、ランク表示（ＲＩ、ｒａｎｋ  ｉｎｄｉｃａｔｉｏｎ；  これはまた、レイヤ数表示、ＬＩ（Ｌａｙｅｒ  ｎｕｍｂｅｒ  ｉｎｄｉｃａｔｉｏｎ）によっても示される）、トランスポートブロック長表示（ＴＢＳ、ｔｒａｎｓｐｏｒｔ  ｂｌｏｃｋ  ｓｉｚｅ）等を含む。
【００８９】
選択的に、この方法が下りリンクのデータ送信に適用される場合、ステップＳ１０３において、送信機が特殊コードワード送信表示を受信機に送信することは、特殊コードワード送信表示を受信機に送信するために、送信機がＨＳ−ＳＣＣＨ（Ｈｉｇｈ  Ｓｐｅｅｄ  Ｐｈｙｓｉｃａｌ  Ｄｏｗｎｌｉｎｋ  Ｓｈａｒｅｄ  Ｃｏｎｔｒｏｌ  Ｃｈａｎｎｅｌ、高速物理下りリンク共有制御チャネル）において特殊コードワード送信表示を送信することを含んでもよい。
【００９０】
送信機が特殊コードワード送信表示をＨＳ−ＳＣＣＨにおいて送信する方法については、以下の２つの方法のうち、いずれか１つが採用されてもよい。
【００９１】
第１の方法において、データ送信関連制御情報を含むパケットにビットが追加され、且つ特殊コードワード送信表示を識別するために使用され、そしてパケットはＨＳ−ＳＣＣＨにおいて送信される。
【００９２】
データ送信関連制御情報を含むパケットのフォーマットに対して、表２を参照してもよい。
【表２】
2015530012.tif 000004
【００９３】
ここで、ＣＣＳはチャネル化コードセット（Ｃｈａｎｎｅｌｉｚａｔｉｏｎ−ｃｏｄｅ−ｓｅｔ）であり、ＭＩは、変調情報（ｍｏｄｕｌａｔｉｏｎ  ｉｎｆｏｒｍａｔｉｏｎ）を表し、ＨＡＰＩは、ＨＡＲＱプロセス情報（Ｈｙｂｒｉｄ−ＡＲＱ  ｐｒｏｃｅｓｓ  ｉｎｆｏｒｍａｔｉｏｎ）を表し、そしてＲＶは、冗長及びコンステレーションバージョン（Ｒｅｄｕｎｄａｎｃｙ  ａｎｄ  ｃｏｎｓｔｅｌｌａｔｉｏｎ  ｖｅｒｓｉｏｎ）である。
【００９４】
このように、特殊コードワード送信表示を識別するために、表２により示されるパケットの中の第１の部分及び／又は第２の部分にビットが加えられてもよい。
【００９５】
第２の方法において、特殊コードワード送信表示を識別するために、データ送信関連制御情報を含むパケットの中の少なくとも１つの制御情報フィールドは特殊な値に設定され、そして当該パケットはＨＳ−ＳＣＣＨにおいて送信される。特殊な値は、特殊なビット系列であってもよい、つまり、正常な場合においては使用されないビット系列であってもよい。例えば、０−２９は、正常な場合の変調情報を示すために使用され、３０又は３１が特殊な値であると仮定される。
【００９６】
コントロール情報フィールドとは、パケットの中でありかつ表示を送信するために使用される対応するビット系列のことを言う。例えば、ＣＣＳにより占有される７ビットは、ＣＣＳフィールドと呼ばれてもよい。
【００９７】
例えば、ＣＣＳフィールド、ＴＢＳフィールドなどの間の１つ以上のフィールドにおいて特殊な値が設定される。
【００９８】
使用されなければならないレイヤ数がコードワードの再送に必要なレイヤ数よりも大きく、且つ新しいデータを送信する必要がない場合において、ステップＳ１０１−Ｓ１０２により、又はさらにＳ１０３により、送信機は正常にデータ再送を実行することができる。以下、受信機がどのようにしてコードワードを正しく識別するかについて、２つの適用可能な解決手段を詳細に説明する。
【００９９】
解決手段１：特殊コードワード送信表示は現在のデータ送信が特殊コードワードを含むことを識別するためにのみ使用されるが、どのコードワードが特殊コードワードであるかを特定しない場合について。
【０１００】
図４に示されるように、受信機は以下の複数のステップを実行してもよい。
【０１０１】
Ｓ２０１：受信機は、送信機により送信される、複数のコードワード、データ送信関連制御情報、及び特殊コードワード送信表示を受信する。
【０１０２】
データ送信関連制御情報はプロセス番号表示を含み、そして、前述の説明を参照することにより、確かにまた、変調表示等の他の情報を含んでもよい。複数のコードワードは、再送されたコードワード及び特殊コードワードを含む。特殊コードワード送信表示は、現在のデータ送信が特殊コードワードを含むことを示すために使用される。
【０１０３】
特殊コードワード送信表示は、どのコードワードが特殊コードワードであるかを示さず、このため受信機は、再送されるコードワードを復号するために、Ｓ２０２により、特殊コードワード及び再送されるコードワードを特定する必要がある。
【０１０４】
Ｓ２０２：特殊コードワード送信表示を検出すると、受信機は、プロセス数表示に従って、複数のコードワードの中の再送されたコードワード及び／又は特殊コードワードを識別する。
【０１０５】
このステップは、特殊コードワード送信表示を検出すると、受信機が、プロセス数表示により示されるプロセス又は当該プロセスに関連付けられるプロセスに対応するバッファされたデータが正しく復号されるかどうかに従い、当該示されたプロセス又は関連付けられたプロセスに対応するトランスポートブロックが特殊コードワード又は再送されるコードワードに属するかどうかを識別する、ということを含んでもよい。
【０１０６】
本発明の実施例において、プロセスＩに関連するプロセスとは、プロセスであって、そのプロセス数とプロセスＩのそれとの間の差が第１の固定値である、プロセス、のことを言う。具体的には、プロセス数表示におけるプロセス数がｋである場合、当該プロセスに関連付けられたプロセスとは、（ｋ＋Ｎ１）ｍｏｄ（Ｎ２）であるプロセス数を有するプロセスのことを言う。Ｎ１は第１の固定値であり、Ｎ２は第２の固定値であり、そして第２の固定値は第１の固定値の２倍である。
【０１０７】
選択的に、このステップは、具体的には：特殊コードワード送信表示を検出すると、受信機は、プロセス数表示により表示されるプロセスに対応するバッファされたデータが正しく復号されたか判定する；そうでない場合、すなわち、前のデータ送信において、このプロセスに対応するトランスポートブロックが正しく復号されなかった場合、現在のデータ送信における示されたプロセスに対応するトランスポートブロックが再送されるコードワードに属し、且つ他のプロセスに対応する複数のトランスポートブロックが特殊コードワードに属すことを識別するために、現在の送信におけるこのプロセスにおいて、データの再送が確かに実行される；或いは、そうであった場合、すなわち、前のデータ送信においてプロセスが正しく復号された場合、示されたプロセスに対応するトランスポートブロックは特殊コードワードに属し、かつ他のプロセスに対応する複数のトランスポートブロックは再送されるコードワードに属すことが識別される；ということである。
【０１０８】
選択的に、このステップは、具体的には：プロセス数表示により示されたプロセスに関連するプロセスに対応するバッファされたデータが正しく復号されたかどうかを受信機が判定し；バッファされたデータが正しく復号されなかった場合、すなわち、前のデータ送信において、当該関連するプロセスに対応するトランスポートブロックが正しく復号されなかった場合、現在のデータ送信における関連するプロセスに対応するトランスポートブロックが再送されるコードワードに属し、且つ他のプロセスに対応する複数のトランスポートブロックが特殊コードワードに属すということを識別するために、現在の送信において、関連するプロセスについてのデータ再送が確かに実行される；或いは、バッファされたデータが正しく復号された場合、すなわち、前のデータ送信において、関連するプロセスが正しく復号された場合、関連するプロセスに対応するトランスポートブロックは特殊コードワードに属し、かつ他のプロセスに対応する複数のトランスポートブロックは、再送する必要のあるコードワードに属すことが識別される；ということである。
【０１０９】
このように、ステップ２０１及び２０２により、受信機は、送信機により再送されるデータを正常に受信することができ、そしてどのコードワードが特殊コードワードであるか不明な場合、どれが特殊コードワードであり、そしてどれが再送されたコードワードであるかを識別することができる。
【０１１０】
解決手段２：特殊コードワード送信表示が現在のデータ送信が特殊コードワードを含むことを識別するために使用されるだけでなく、どのコードワードが特殊コードワードであるかを識別するため及び／又はどのコードワードが再送されるコードワードであるかを識別するために使用される場合について。
【０１１１】
図５に示されるように、受信機は、以下の複数のステップを実行してもよい。
【０１１２】
Ｓ３０１：受信機は送信機により送信される複数のコードワード及び特殊コードワード送信表示を受信する。ここで、複数のコードワードは、再送されたコードワード及び特殊コードワードを含み、そして特殊コードワード送信表示は、現在のデータ送信が特殊コードワードを含むことを識別するために使用され、且つどのコードワードが特殊コードワードであるかを識別するため又はどのコードワードが再送されるコードワードであるかを識別するために使用される。
【０１１３】
Ｓ３０２：受信機は、特殊コードワード送信表示に従って、複数のコードワードの中の再送されたコードワード及び／又は特殊コードワードを識別する。
【０１１４】
このステップは、どのコードワードが特殊コードワードであるかを識別するために特殊コードワード送信表示が使用される場合に、受信機が特殊コードワード送信表示におけるコードワードが特殊コードワードであり、且つ他のコードワードが再送されたコードワードであることを識別できることを含む。
【０１１５】
どのコードワードが再送されたコードワードであるかを識別するために、特殊コードワード送信表示が使用される場合、受信機は、特殊コードワード送信表示の中のコードワードが再送されたコードワードであり、且つ他のコードワードが特殊コードワードであることを識別することができる。
【０１１６】
どのコードワードが特殊コードワードであり、且つどのコードワードが再送されるコードワードであるかを識別するために、特殊コードワード送信表示が使用される場合、受信機は、当該特殊コードワード送信表示に従って、特殊コードワード及び再送されたコードワードを識別することができる。
【０１１７】
このように、ステップ３０１及び３０２により、受信機は、送信機により再送されたデータを正常に受信することができ、そして特殊コードワード送信表示に従って、どれが特殊コードワードであり、そしてどれが再送されたコードワードであるかを識別することができる。さらに、復号化は、識別された、再送されたコードワードに対して実行されてもよい。
【０１１８】
本発明の実施例は、ＭＩＭＯベースのデータ再送方法を提供する。送信機がデータを再送する必要がある場合であって、且つ再送されるデータにより必要とされるレイヤ数が送信機により選択されたレイヤ数よりも少なく、そして新しいデータを送信する必要がない場合、特殊コードワードが送信され、これによりこの特定の場合において、データ再送が正常に実行される。
【０１１９】
本発明の実施例は、さらに、データ再送方法に対応する装置を提供する。
【０１２０】
図６に示されるように、本発明の実施例は：再送されるコードワードにより占有される必要のあるレイヤ数が送信機により選択されるレイヤ数よりも少なく、且つ新しいデータを送信する必要がない場合に、送信機により選択されるレイヤ数と前記コードワードを再送するために占有される必要のあるレイヤ数との間の差に従って、特殊コードワードを決定するように構成される決定部６１であって、前記特殊コードワードの中に含まれるトランスポートブロック数は、前記差に等しく、前記特殊コードワードは仮想コードワードであり且つ前記仮想コードワードは空の情報であるか、又は前記特殊コードワードは充填コードワードであり且つ前記充填コードワードは任意の空でない情報である、決定部６１；及びレイヤマッピングにより、各トランスポートレイヤに対して、再送される必要のあるコードワード及び特殊コードワードを割り当てるように構成される割当部６２；を備える送信機を提供する。
【０１２１】
さらに、送信機は：特殊コードワード送信表示を受信機に送信するように構成される送信部６３であって、前記特殊コードワード送信表示は特殊コードワードを含む現在のデータ送信を識別するために使用される、送信部６３；をさらに備えてもよい。
【０１２２】
送信機が基地局である場合、送信部６３は、具体的には、特殊コードワード送信表示を送信機（端末）に送信するために、ＨＳ−ＳＣＣＨにおいて特殊コードワード送信表示を送信するように構成されてもよい。
【０１２３】
選択的に、送信部は、特殊コードワード送信表示を識別するために、データ送信関連制御情報を含むパケットにビットを加え、且つＨＳ−ＳＣＣＨにおいて当該パケットを送信するように構成されてもよく；或いは、特殊コードワード送信表示を識別するために、データ送信関連制御情報を含むパケットの中の少なくとも１つの制御情報フィールドを特定の値に設定し、且つＨＳ−ＳＣＣＨにおいて当該パケットを送信するように構成されてもよい。
【０１２４】
選択的に、特殊コードワード送信表示は、さらに、どのコードワードが特殊コードワードであるか、又はどのコードワードが再送されたコードワードであるかを識別するために使用される。
【０１２５】
図７に示されるように、本発明の実施例は、前記送信機により送信される複数のコードワード、データ送信関連制御情報、及び特殊コードワード送信表示を受信するように構成される受信部７１であって、前記データ送信関連制御情報はプロセス数表示を含み、前記複数のコードワードは再送されたコードワード及び特殊コードワードを含み、且つ前記特殊コードワード送信表示は現在のデータ送信が特殊コードワードを含むことを示すために使用される、受信部７１；及び特殊コードワード送信表示を検出すると、プロセス数表示に従って、複数のコードワードの中の再送コードワード及び／又は特殊コードワードを識別するように構成される識別部７２；を含む受信機を提供する。
【０１２６】
識別部７２は、特殊コードワード送信表示を検出すると、プロセス数表示により示されるプロセスに又は当該プロセスに関連するプロセスに対応するバッファされたデータが正しく復号されたかどうかに従って、示されたプロセス又は関連するプロセスに対応するトランスポートブロックが特殊コードワード又は再送されたコードワードに属するかどうかを判定するように構成されてもよい。
【０１２７】
識別部７２は、具体的には、プロセス数表示により示されたプロセス又は当該プロセスに関連するプロセスに対応するバッファされたデータが正しく復号されたかどうか判定するように構成され；バッファされたデータが正しく復号されない場合、現在のデータ送信の中の示されたプロセス又は関連するプロセスに対応するトランスポートブロックは、再送されたコードワードに属すると識別し；或いはバッファされたデータが正しく復号された場合、現在のデータ送信の中の示されたプロセス又は関連するプロセスに対応するトランスポートブロックは、特殊コードワードに属すると識別するように構成される。
【０１２８】
図８に示されるように、本発明の実施例は、送信機により送信される複数のコードワード及び特殊コードワード送信表示を受信するように構成される受信部８１であって、前記複数のコードワードは、再送されたコードワード及び特殊コードワードを含み、且つ特殊コードワード送信表示は、現在のデータ送信が特殊コードワードを含むことを示すために使用され、かつどのコードワードが前記特殊コードワードであるか、又はどのコードワードが前記再送コードワードであるかを識別するために使用される、受信部８１；及び前記特殊コードワード送信表示に従って、前記複数のコードワードの中の前記再送されるコードワード及び／又は前記特殊コードワードを識別するように構成される識別部８２；を含む受信部をさらに提供する。
【０１２９】
本発明の実施例は、さらに、再送されるコードワードにより占有される必要のあるレイヤ数が送信機により選択されたレイヤ数よりも小さく且つ新しいデータを送信する必要がない場合に、送信機により選択されるレイヤ数と前記コードワードを再送するために占有される必要のあるレイヤ数との間の差であって、前記特殊コードワードに含まれるトランスポートブロック数に等しい、差、に従って、特殊コードワードを決定するように構成され；レイヤマッピングにより、再送される必要のあるコードワード及び特殊コードワードを各トランスポートレイヤに割り当てるように、さらに構成されるプロセッサ；を含む送信機を提供する。
【０１３０】
前記特殊コードワードは仮想コードワードであり、且つ前記仮想コードワードは空の情報である；又は前記特殊コードワードは充填コードワードであり、且つ前記充填コードワードは任意の空でない情報である。
【０１３１】
送信機は、受信機にコードワードを送信するように構成される送信コンポーネントをさらに含む。
【０１３２】
さらに、送信コンポーネントは、特殊コードワード送信表示を受信機に送信するようにさらに構成され、ここで特殊コードワード送信表示は、現在のデータ送信が特殊コードワードを含むことを識別するために使用される。
【０１３３】
送信機が基地局である場合、送信コンポーネントは、特殊コードワード送信表示を受信機（端末）に送信するために、ＨＳ−ＳＣＣＨにおいて特殊コードワード送信表示を送信するように構成される。
【０１３４】
選択的に、送信コンポーネントは、データ送信関連制御情報を含むパケットに、特殊コードワード送信表示を識別するためのビットを追加し、かつ前記パケットを前記ＨＳ−ＳＣＣＨにおいて送信するように構成されてもよく；或いは特殊コードワード送信表示を識別するために、データ送信関連制御情報を含むパケットの中の少なくとも１つの制御情報フィールドに、特定の値を設定し、且つ前記パケットをＨＳ−ＳＣＣＨにおいて送信するように構成されてもよい。
【０１３５】
選択的に、前記特殊コードワード送信表示は、どのコードワードが特殊コードワードであるかを識別するため、又はどのコードワードが再送されたコードワードであるかを識別するために、さらに使用される。
【０１３６】
本発明の実施例はさらに、前記送信機により送信される、複数のコードワード、データ送信関連制御情報、及び特殊コードワード送信表示を受信するように構成される受信コンポーネントであって、前記データ送信関連制御情報はプロセス数表示を含み、前記複数のコードワードは、再送されたコードワード及び特殊コードワードを含み、且つ前記特殊コードワード送信表示は、現在のデータ送信が特殊コードワードを含むことを識別するために使用される、受信コンポーネント；及び前記特殊コードワード送信表示を受信すると、前記プロセス数表示に従って、前記複数のコードワードの中の前記再送されたコードワード及び／又は特殊コードワードを識別するように構成されるプロセッサ；を備える受信機を提供する。
【０１３７】
プロセッサは、前記特殊コードワード送信表示を検出すると、プロセス数表示により示されるプロセス又は前記プロセスに関連するプロセスに対応するバッファデータが正しく復号されたかどうかに従って、前記示されたプロセス又は前記関連するプロセスに対応するトランスポートブロックが前記特殊コードワード又は前記再送されたコードワードに属するかどうかを識別するように構成されてもよい。
【０１３８】
プロセッサは、具体的には、前記プロセス数表示により示される前記プロセス又は前記プロセスに関連するプロセスに対応する前記バッファデータが正しく復号化されたかどうかを判定し；前記バッファされたデータが正しく復号されない場合に、現在のデータ送信の中の前記示されたプロセス又は前記関連するプロセスに対応するトランスポートブロックが前記再送されたコードワードに属することを識別し；或いは、バッファされたデータが正しく復号された場合に、前記現在のデータ送信の中の前記示されたプロセス又は前記関連するプロセスに対応するトランスポートブロックは、前記特殊コードワードに属することを識別するように構成されてもよい。
【０１３９】
本発明の実施例は、前記送信機により送信される複数のコードワード及び特殊コードワード送信表示を受信するように構成される受信コンポーネントであって、前記複数のコードワードは、再送されるコードワード及び特殊コードワードを含み、前記特殊コードワード送信表示は、現在のデータ送信が特殊コードワードを含むことを識別するために使用され、且つどのコードワードが特殊コードワードであるかを識別するため又はどのコードワードが再送されたコードワードであるかを識別するために使用される、受信コンポーネント；及び前記特殊コードワード送信表示に従って、複数のコードワードの中の送信されたコードワード及び／又は特殊コードワードを識別するように構成されるプロセッサ；を含む送信機をさらに提供する。
【０１４０】
本発明の実施例は、送信機及び受信機を含むデータ再送システムをさらに提供する。前記送信機は、再送されるコードワードにより占有される必要のあるレイヤ数が送信機により選択されるレイヤ数よりも少なく、且つ新しいデータを送信する必要がない場合に、送信機により選択されるレイヤ数と前記コードワードを再送するために占有される必要のあるレイヤ数との間の差に従って、特殊コードワードを決定するように構成され、前記特殊コードワードの中に含まれるトランスポートブロック数は、前記差に等しく、且つレイヤマッピングにより、各トランスポートレイヤに対して、再送される必要のあるコードワード及び特殊コードワードを割り当てるように構成される。
【０１４１】
さらに、前記送信機は、特殊コードワード送信表示を受信機に送信するようにさらに構成され、前記特殊コードワード送信表示は特殊コードワードを含む現在のデータ送信を識別するために使用される。
【０１４２】
前記受信機は、前記送信機により送信される複数のコードワード、データ送信関連制御情報、及び特殊コードワード送信表示を受信するように構成され、前記データ送信関連制御情報はプロセス数表示を含み、前記複数のコードワードは前記再送されたコードワード及び前記特殊コードワードを含み、且つ前記特殊コードワード送信表示は前記現在のデータ送信が特殊コードワードを含むことを示すために使用され；且つ特殊コードワード送信表示を検出すると、プロセス数表示に従って、複数のコードワードの中の前記再送コードワード及び／又は前記特殊コードワードを識別するように構成される。
【０１４３】
前記受信機は、具体的には、前記特殊コードワード送信表示を検出すると、前記プロセス数表示により示されるプロセス又は前記プロセスに関連するプロセスに対応するバッファされたデータが正しく復号されたかどうかに従って、前記示されたプロセス又は前記関連するプロセスに対応するトランスポートブロックが前記特殊コードワード又は前記再送されたコードワードに属するかどうかを識別するように構成されてもよい。さらに、受信機は、前記プロセス数表示により示される前記プロセス又は前記プロセスに関連するプロセスに対応するバッファされたデータが正しく復号されたかどうか判定し；前記バッファされたデータが正しく復号されない場合、前記現在のデータ送信の中の示されたプロセス又は関連するプロセスに対応するトランスポートブロックが再送されるコードワードに属することを識別し；前記バッファされたデータが正しく復号される場合、前記現在のデータ送信の中の前記示されたプロセス又は前記関連するプロセスに対応する前記トランスポートブロックは、前記特殊コードワードに属すことを識別するように構成される。
【０１４４】
代替的に、さらに、送信機は、特殊コードワード送信表示を受信機に送信するようにさらに構成され、前記特殊コードワード送信表示は、現在のデータ送信が特殊コードワードを含むことを識別するために使用される。
【０１４５】
前記受信機は、前記送信機により送信された、複数のコードワード及び前記特殊コードワード送信表示を受信し、前記複数のコードワードは前記送信されたコードワード及び前記特殊コードワードを含み、且つ前記特殊コードワード送信表示は前記現在のデータ送信が特殊コードワードを含むことを識別するために使用され、且つどのコードワードが前記特殊コードワードであるかを識別するため、又はどのコードワードが前記再送されたコードワードであるかを識別するために使用され；且つ前記特殊コードワード送信表示に従って、前記複数のコードワードの中の前記再送されたコードワード及び／又は前記特殊コードワードを識別するように構成される。
【０１４６】
本発明の複数の実施例は、ＭＩＭＯベースのデータ再送装置及びシステムを提供する。送信機がデータを再送する必要があり、且つ再送されるデータにより必要とされるレイヤ数が送信機により選択されたレイヤ数よりも少なく、そして新しいデータを送信する必要がない場合、当該特定の場合においてデータ再送が正常に実行されるようにするために、特殊コードワードが送信される。
【０１４７】
本発明の実施例はさらに、データ再送方法を提供し、そして図９に示されるように、当該方法は以下の複数のステップを含む。
【０１４８】
Ｓ４０１：送信機は、前回送信された複数のコードワード及びチャネル状態情報について、受信機によりフィードバックされたＨＡＲＱ送達確認情報を受信する。
【０１４９】
チャネル状態情報はＲＩを含む。確かに、チャネル状態情報は、ＰＣＩ、ＣＱＩ、その他をさらに含んでもよい。
【０１５０】
前回送信された複数のコードワードの中の複数のコードワードの一部又は複数のコードワードの全てに対してフィードバックされたＨＡＲＱ送達確認情報がＮＡＣＫであった場合、ステップＳ４０２に入る。複数のコードワードの一部は、前回送信されたコードワードの総数が２である場合、当該２つのコードワードのうちの１つが当該複数のコードワードの一部であると理解されてもよい。
【０１５１】
Ｓ４０２：送信機が複数のコードワードの一部又は複数のコードワードの全てを送信する必要がある場合、前記送信機は送信のために使用されるレイヤ数を決定する。
【０１５２】
このステップは、送信機が複数のコードワードの一部又は複数のコードワードの全てを送信する必要がある場合、前記送信機は、送信に使用されるレイヤ数が前記複数のコードワードの一部を再送するために占有される必要のあるレイヤ数又は前記複数のコードワードの全てのうちの一部を再送するために占有される必要のあるレイヤ数であると決定することを含む。
【０１５３】
具体的には、前記送信機が複数のコードワードの一部を再送する必要がある場合、送信機は現在の送信において使用されるレイヤ数が前記複数のコードワードの一部を再送するために占有される必要のあるレイヤ数であることを決定してもよい。例えば、再送される必要のある前記複数のコードワードの一部が２つのトランスポートブロックを含む場合、前記複数のコードワードの一部を再送するために占有される必要のあるレイヤ数は２であり、そしてこの場合、送信機は現在の送信において使用されるレイヤ数は２であると判定する。
【０１５４】
前記送信機が前記複数のコードワードの全てを再送する必要がある場合、前記送信機は、現在の送信において使用されるレイヤ数は前記複数のコードワード全てのうちの一部を再送するために占有される必要のあるレイヤ数であると決定してもよく、或いは前記送信機はさらに、前記現在の送信において使用されるレイヤ数は、前記複数のコードワードの全てを再送するために占有される必要のあるレイヤ数であると決定してもよい。例えば、再送される必要のある前記複数のコードワードの全ての総数が２であり、かつ前記２つのコードワードが、それぞれ、１つのトランスポートブロック及び２つのトランスポートブロックを含む場合、前記送信機は、前記現在の送信において使用されるレイヤ数は、前記２つのコードワードのうちの１つにより占有される必要のあるレイヤ数である１であると判定してもよく、又は前記２つのコードワードのうちの他方により占有される必要のあるレイヤ数である２であると判定してもよく、又は前記複数のコードワードの全てを再送するために占有される必要のあるレイヤ数である３であると判定してもよい。
【０１５５】
Ｓ４０３：再送される必要のある、複数のコードワードの一部又は複数のコードワードの全てのうちの一部に含まれる複数のトランスポートブロックを、レイヤマッピングにより、送信に使用されるレイヤ数に対応する各トランスポートレイヤに割り当てる。
【０１５６】
例えば、再送される必要のある複数のコードワードの一部が２つのトランスポートブロックを含む場合、当該２つのトランスポートブロックは、表１により示されるレイヤマッピングにおける２であるＲＩに対応する複数のトランスポートレイヤ（レイヤ１及びレイヤ２）を使用して送信される。
【０１５７】
例えば、再送される必要のある複数のコードワードの全てのうちの一部が２つのトランスポートブロックを含む場合、当該２つのトランスポートブロックは、表１により示されるレイヤマッピングにおける２であるＲＩに対応する複数のトランスポートレイヤ（レイヤ１及びレイヤ２）を使用することにより送信される。
【０１５８】
例えば、再送される必要のある複数のコードワードの全てのうちの一部が１つのトランスポートブロックを含む場合、当該トランスポートブロックは、表１により示されるレイヤマッピングにおける１であるＲＩに対応するトランスポートレイヤ（レイヤ１）を使用することにより送信される。
【０１５９】
再送される必要のある複数のコードワードの一部又は複数のコードワード全てのうちの一部に含まれるトランスポートブロックが、送信に使用されるレイヤ数及びトランスポートブロック対コードワードマッピングにより、再処理されるコードワードにマッピングされ、且つレイヤマッピングにより、当該再処理されるコードワードが送信に使用されるレイヤ数に対応する各トランスポートレイヤに割り当てられる、ということをステップＳ４０３が含むことが好ましい。レイヤマッピングは表１により示され、そしてトランスポートブロック対コードワードマッピングは、表２により示されるものであってもよい。
【０１６０】
トランスポートブロック対コードワードマッピングを明確に説明するために、本発明の実施例における一例として、４×４ＭＩＭＯを用いる。レイヤ数が１である場合、１つのコードワードがデータ送信を行うために使用され、そして当該コードワードはＣＷ１を使用することにより識別される；レイヤ数が２又は３又は４である場合、データ送信を行うために２つのコードワードが使用され、かつ当該２つのコードワードは、それぞれ、ＣＷ１及びＣＷ２を使用することにより識別される。各コードワードは、最大２つのトランスポートブロックを含む。
【０１６１】
システムついて、各ＴＴＩ（Ｔｒａｎｓｍｉｓｓｉｏｎ  Ｔｉｍｅ  Ｉｎｔｅｒｖａｌ、送信時間間隔）において、最大４つのトランスポートブロックが送信されてもよく、これらは、それぞれ、ＴＢ１、ＴＢ２、ＴＢ３、及びＴＢ４を使用することにより識別される。本発明により提供される解決手段を明確に説明するために、ＴＢ１及びＴＢ２は異なるプロセス数を持ち、そして当該異なる複数のプロセス数の間の差は、第１の固定値であり；ＴＢ１及びＴＢ３は同じプロセス数を持ち、そしてＴＢ２及びＴＢ４は同じプロセス数を持つ。ＴＢ１のプロセス数は、第１の固定値よりも小さく、ＴＢ２のプロセス数は第１の固定値以上且つ第２の固定値未満であり、且つ第２の固定値は第１の固定値の２倍である。第１の固定値は、Ｎ１を使用することにより識別され、そして第２の固定値はＮ２を使用することにより識別される。図１３に示される複数のトランスポートブロックの複数のプロセス数は、一例としてのみ使用される。
【０１６２】
本発明の複数の実施例の全てにおいて、与えられた関係は次のように理解される：ＴＢ１とＴＢ３、及びＴＢ２とＴＢ４は、さらに、他の複数の所定の関係を有してもよい。例えば、ＴＢ１とＴＢ２のプロセス数の間の差は第２の固定値であり、且つＴＢ２とＴＢ４のプロセス数の間の差は第２の固定値である。他の例として、ＴＢ１とＴＢ３のプロセス数の間の差は第３の固定値であり、且つＴＢ２とＴＢ４のプロセス数の間の差は第１の固定値であり、ここで第３の固定値は、第１の固定値の３倍であり、そしてＮ３を使用することにより識別される。
【０１６３】
本発明の実施例において、ＴＢ１のプロセス数はｋを使用することにより識別され、且つ０≦ｋ＜Ｎ１である；ＴＢ２とＴＢ１のプロセス数の間の差はＮ１であり、ＴＢ２のプロセス数は、ＴＢ１のプロセス数よりも大きいと仮定されるので、ＴＢ２のプロセス数はｋ＋Ｎ１であり、ＴＢ２のプロセス数の範囲はＮ１≦ｋ＋Ｎ１＜Ｎ２である；ＴＢ３とＴＢ１は同じプロセス数ｋを持ち；そしてＴＢ４のプロセス数はｋ＋Ｎ１又はｋ＋Ｎ１である。さらに、本発明の実施例において、特殊コードワードとはプロセス数表示に対応するトランスポートブロックが属すコードワードのことであり；特殊でないコードワードとは特殊コードワード以外のコードワードのことである。
【０１６４】
また、ＴＢ１、ＴＢ２、ＴＢ３、及びＴＢ４のプロセス数は、それぞれ、ｋ、ｋ＋Ｎ１、ｋ＋Ｎ２、及び（ｋ＋Ｎ１）＋Ｎ２であってもよい。選択的に、また、ＴＢ１、ＴＢ２、ＴＢ３、及びＴＢ４のプロセス数は、それぞれ、ｋ、ｋ＋Ｎ１、ｋ＋Ｎ３、及び（ｋ＋Ｎ１）＋Ｎ１であってもよい。
【０１６５】
トランスポートブロック対コードワードマッピングは、同じプロセス数を持つ複数のトランスポートブロック又は複数のプロセス数であって、それらの間の差が所定の関係にある、複数のプロセス数、を持つ複数のトランスポートブロックに対応するコードワードを含む。
【０１６６】
また、選択的に、トランスポートブロック対コードワードマッピングはさらに：送信に使用されるレイヤ数が３又は４である場合に、特殊コードワードに対応するトランスポートブロックのプロセス数と特殊でないコードワードに対応するトランスポートブロックのプロセス数とは異なり、そして当該２つのプロセス数の間の差は、第１の固定値である、ということを含む。
【０１６７】
表１から、トランスポートブロック対コードワードマッピングがさらに：送信に使用されるレイヤ数が３である場合、特殊コードワードはトランスポートブロックを含み、且つ特殊でないコードワードは２つのトランスポートブロックを含む；ということ含む、ということが理解できる。
【０１６８】
また、選択的に、トランスポートブロック対コードワードマッピングはさらに：送信に使用されるレイヤ数が２である場合であって、２つのトランスポートブロックが最初に送信される場合又は前の送信中のＲＩが２であり且つ２つのトランスポートブロック双方が再送される必要があり且つ当該２つのトランスポートブロックのプロセス数の間の差が第１の固定値である場合において、特殊コードワードに対応するトランスポートブロックのプロセス数と特殊でないコードワードに対応するトランスポートブロックのプロセス数とは異なり、そして当該２つのプロセス数の間の差は、第１の固定値である；ということを含む。
【０１６９】
この場合において、例えば、トランスポートブロック対コードワードマッピングは表２に示される。
【表３】
2015530012.tif 000005
【０１７０】
表２において示されるプロセス数とは、トランスポートブロック対コードワードマッピングに従って実行されるデータ送信中にプロセス数表示に書き込まれる必要のあるプロセス数のことである。本発明において、特殊コードワードは、例えば、ＣＷ１であり、そしてその結果、特殊でないコードワードはＣＷ２である；確かに、特殊コードワードは、また、ＣＷ２であってもよく、そしてその結果、特殊でないコードワードはＣＷ１である。
【０１７１】
表２において、ＲＩが２である場合に、トランスポートブロックとコードワードとの間のマッピングは、
（外１）
2015530012.tif 000006
であり、ここで、
（外２）
2015530012.tif 000007
は明らかに、レイヤ数が２である場合であって、最初に２つのトランスポートブロックが送信されるか、又は前の送信中のＲＩが２であり且つ２つのトランスポートブロックの双方を再送する必要があり且つ２つのトランスポートブロックのプロセス数の間の差が第２の固定値である場合に対するものであり；そしてその結果、
（外３）
2015530012.tif 000008
は、前の送信中のＲＩが２より大きく且つ２つのトランスポートブロックを含むコードワードを再送する必要がある場合に対するものである。
【０１７２】
送信機は、ステップＳ４０１からステップＳ４０３に従って、データの正常な再送を完了してもよく、そしてまた、送信機はさらに、受信機が受信したデータについて正常な復号を実行できるすることを保証する必要があり、その結果ステップＳ４０４をさらに実行する必要がある、ということに注意すべきである。複数の番号は複数のステップの間の順序関係を示しておらず、そして、例えば、Ｓ４０３及びＳ４０４を同時に実行してもよい、ということに注意すべきである。
【０１７３】
Ｓ４０４：送信機はデータ送信関連制御情報を受信機に送信する。
【０１７４】
データ送信関連制御情報は、ＲＩ及びプロセス数表示を含む。ＲＩは、現在の送信において使用されるレイヤ数を示し、プロセス数表示は、現在の送信における送信機のトランスポートブロックのプロセス数を識別するために使用され、そして、当該トランスポートブロックの属するコードワードは、本発明の実施例において特殊コードワードと呼ばれる。
【０１７５】
ステップＳ４０４により、受信機は、ＲＩに従って、プロセス数表示、及びトランスポートブロック対コードワードマッピング、受信された再送コードワードに対応するトランスポートブロックの組み合わせ、を識別することができる。
【０１７６】
さらに選択的に、送信に使用されるレイヤ数が２であり、且つ現在の送信がＲＩ＞２である前の送信における複数のコードワードの一部を再送するための送信である場合、データ送信関連制御情報を含むパケットの少なくとも１つの制御情報フィールドは特殊表示に設定され、そして、当該特殊表示は、送信に使用されるレイヤ数が２である場合に、特殊でないコードワードの中のトランスポートブロックのプロセス数と特殊コードワードの中のトランスポートブロックのプロセス数とが同じであるか又は所定の関係にあることを識別するために使用される（例えば、複数のプロセス数の間の差は第２の固定値である）。選択的に、当該特殊表示は固定された系列であってもよい。
【０１７７】
例えば、送信に使用されるレイヤ数が２であり、且つ現在の送信がＲＩ＞２である前の送信における複数のコードワードの一部を再送するための送信である場合、特殊表示は、ＣＣＳフィールド、ＴＢＳフィールド、ＭＩフィールド等のうちの１つ以上のフィールドにおいて設定されてもよい。例えば、特殊表示は、固定された系列「１１１１１１」であってもよい。
【０１７８】
代替的に選択的に、データ送信関連制御情報を含むパケットにビットが追加され、そして当該ビットは、送信に使用されるレイヤ数が２であり且つ現在の送信がＲＩ＞２である前の送信における複数のコードワードの一部を再送するために送信である場合に、特殊表示を送信するために使用される。
【０１７９】
このように、受信機は、特殊表示がデータ送信関連制御情報のパケットにおいて設定されるかどうかを検出することにより、受信機により受信されたコードワードに対応するトランスポートブロックの組み合わせを決定することができる。
【０１８０】
前述の方法は、複数の例により、以下において説明される。説明を容易にするため、以下の複数の例において、ＴＢ１のプロセス数はｋ（０≦ｋ＜Ｎ１）を使用することにより識別され、ＴＢ２のプロセス数はｋ＋Ｎ１（Ｎ１≦ｋ＋Ｎ１＜Ｎ２）を使用することにより識別され、ＴＢ３のプロセス数とＴＢ１のプロセス数は同じであり、そしてＴＢ４のプロセス数とＴＢ２のプロセス数は同じである。特殊コードワードはＣＷ１である。
【０１８１】
第１の例から第６の例は、複数のコードワードの一部を再送する必要がある複数の例であり、そして第７の例から第８の例は、複数のコードワードの全てを再送する必要がある複数の例である。
【０１８２】
第１の例において、以下の複数のステップが含まれる。
【０１８３】
（１）前の送信中に、送信機はレイヤ数４を使用する、すなわち、２つのＴＢが、それぞれＣＷ１及びＣＷ２を使用することにより送信される；例えば、ＣＷ１は、ＴＢ１＋ＴＢ３を送信し、ＴＢ１に対応するプロセス数はｋであり、ＣＷ２はＴＢ２＋ＴＢ４を送信し、そしてＴＢ２に対応するプロセス数はｋ＋Ｎ１である。
【０１８４】
（２）送信機は、前回送信されたＣＷ１に対して受信機によりフィードバックされたＡＣＫであるフィードバック及びＣＷ２に対するＮＡＣＫであるフィードバックを受信する。
【０１８５】
（３）送信機は、受信機の複数のフィードバックに従って、ＣＷ２の中の２つのＴＢ（ＴＢ２及びＴＢ４）を再送する必要があると決定する。
【０１８６】
（４）２つのＴＢを再送する必要がある、つまり、ＣＷ２を再送するために占有される必要のあるレイヤ数は２であり、その結果送信機は現在の送信において使用されるレイヤ数は２であると決定する。
【０１８７】
（５）再送される必要のある２つのＴＢは、再処理されるコードワードＣＷ１及びＣＷ２を取得するために、表２により示される２であるＲＩに対応するトランスポートブロック対コードワードマッピングに従ってマッピングされる、すなわち、ＣＷ１はＴＢ２を送信し、対応するプロセス数は依然としてｋ＋Ｎ１であり、ＣＷ２はＴＢ４を送信し、対応するプロセス数は依然としてｋ＋Ｎ１であり、そして、再処理されるコードワードであるＣＷ１及びＣＷ２は、表１のＲＩ＝２のレイヤマッピングに従って、送信のために各トランスポートレイヤに割り当てられる。
【０１８８】
（６）送信機は、データ送信関連制御情報を受信機に送信し、ここで当該制御情報は：現在の送信のＲＩは２であり且つプロセス数表示は現在の送信のＣＷ１におけるＴＢ２のｋ＋Ｎ１であるプロセス数である、ということを含む。
【０１８９】
第２の例において、以下の複数のステップが含まれる。
【０１９０】
（１）前の送信中に、送信機はレイヤ数４を使用する、すなわち、２つのＴＢが、それぞれＣＷ１及びＣＷ２を使用することにより送信される；例えば、ＣＷ１は、ＴＢ１＋ＴＢ３を送信し、ＴＢ１に対応するプロセス数はｋであり、ＣＷ２はＴＢ２＋ＴＢ４を送信し、そしてＴＢ２に対応するプロセス数はｋ＋Ｎ１である。
【０１９１】
（２）送信機は、前回送信されたＣＷ１に対して受信機によりフィードバックされたＮＡＣＫであるフィードバック及びＣＷ２に対するＡＣＫであるフィードバックを受信する。
【０１９２】
（３）送信機は、受信機の複数のフィードバックに従って、ＣＷ１の中の２つのＴＢ（ＴＢ１及びＴＢ３）を再送する必要があると決定する。
【０１９３】
（４）２つのＴＢを再送する必要がある、つまり、ＣＷ２を再送するために占有される必要のあるレイヤ数は２であり、その結果送信機は現在の送信において使用されるレイヤ数は２であると決定する。
【０１９４】
（５）再送される必要のある２つのＴＢは、再処理されるコードワードＣＷ１及びＣＷ２を取得するために、表２により示される２であるＲＩに対応するトランスポートブロック対コードワードマッピングに従ってマッピングされる、すなわち、ＣＷ１はＴＢ１を送信し、対応するプロセス数は依然としてｋであり、ＣＷ２はＴＢ３を送信し、対応するプロセス数は依然としてｋであり、そして、再処理されるコードワードであるＣＷ１及びＣＷ２は、表１のＲＩ＝２のレイヤマッピングに従って、送信のために各トランスポートレイヤに割り当てられる。
【０１９５】
（６）送信機は、データ送信関連制御情報を受信機に送信し、ここで当該制御情報は：現在の送信のＲＩは２であり且つプロセス数表示は現在の送信のＣＷ１におけるＴＢ１のｋであるプロセス数である、ということを含む。
【０１９６】
第３の例において、以下の複数のステップが含まれる。
【０１９７】
（１）前の送信中に、送信機はレイヤ数３を使用する、すなわち、１つのＴＢがＣＷ１を使用することにより送信され、２つのＴＢが、ＣＷ２を使用することにより送信される；例えば、ＣＷ１は、ＴＢ１を送信し、ＴＢ１に対応するプロセス数はｋであり、ＣＷ２はＴＢ２＋ＴＢ４を送信し、そしてＴＢ２に対応するプロセス数はｋ＋Ｎ１である。
【０１９８】
（２）送信機は、前回送信されたＣＷ１に対して受信機によりフィードバックされたＡＣＫであるフィードバック及びＣＷ２に対するＮＡＣＫであるフィードバックを受信する。
【０１９９】
（３）送信機は、受信機の複数のフィードバックに従って、ＣＷ２の中の２つのＴＢ（ＴＢ２及びＴＢ４）を再送する必要があると決定する。
【０２００】
（４）２つのＴＢを再送する必要がある、つまり、ＣＷ２を再送するために占有される必要のあるレイヤ数は２であり、その結果送信機は現在の送信において使用されるレイヤ数は２であると決定する。
【０２０１】
（５）再送される必要のある２つのＴＢは、再処理されるコードワードＣＷ１及びＣＷ２を取得するために、表２により示される２であるＲＩに対応するトランスポートブロック対コードワードマッピングに従ってマッピングされる、すなわち、ＣＷ１はＴＢ２を送信し、対応するプロセス数は依然としてｋ＋Ｎ１であり、ＣＷ２はＴＢ４を送信し、対応するプロセス数は依然としてｋ＋Ｎ１であり、そして、再処理されるコードワードであるＣＷ１及びＣＷ２は、表１のＲＩ＝２のレイヤマッピングに従って、送信のために各トランスポートレイヤに割り当てられる。
【０２０２】
（６）送信機は、データ送信関連制御情報を受信機に送信し、ここで当該制御情報は：現在の送信のＲＩは２であり且つプロセス数表示は現在の送信のＣＷ１におけるＴＢ２のｋ＋Ｎ１であるプロセス数である、ということを含む。
【０２０３】
第４の例において、以下の複数のステップが含まれる。
【０２０４】
（１）前の送信中に、送信機はレイヤ数３を使用する、すなわち、１つのＴＢがＣＷ１を使用することにより送信され、２つのＴＢが、ＣＷ２を使用することにより送信される；例えば、ＣＷ１は、ＴＢ１を送信し、ＴＢ１に対応するプロセス数はｋであり、ＣＷ２はＴＢ２＋ＴＢ４を送信し、そしてＴＢ２に対応するプロセス数はｋ＋Ｎ１である。
【０２０５】
（２）送信機は、前回送信されたＣＷ１に対して受信機によりフィードバックされたＮＡＣＫであるフィードバック及びＣＷ２に対するＡＣＫであるフィードバックを受信する。
【０２０６】
（３）送信機は、受信機の複数のフィードバックに従って、ＣＷ１の中の１つのＴＢ（ＴＢ１）を再送する必要があると決定する。
【０２０７】
（４）１つのＴＢを再送する必要がある、つまり、ＣＷ２を再送するために占有される必要のあるレイヤ数は１であり、その結果送信機は現在の送信において使用されるレイヤ数は１であると決定する。
【０２０８】
（５）再送される必要のあるＴＢは、再処理されるコードワードＣＷ１を取得するために、表２により示される２であるＲＩに対応するトランスポートブロック対コードワードマッピングに従ってマッピングされる、すなわち、ＣＷ１はＴＢ１を送信し、対応するプロセス数は依然としてｋであり、そして、再処理されるコードワードであるＣＷ１は、表１のＲＩ＝１のレイヤマッピングに従って、送信のために各トランスポートレイヤに割り当てられる。
【０２０９】
（６）送信機は、データ送信関連制御情報を受信機に送信し、ここで当該制御情報は：現在の送信のＲＩは１であり且つプロセス数表示は現在の送信のＣＷ１におけるＴＢ１のｋであるプロセス数である、ということを含む。
【０２１０】
第５の例において、以下の複数のステップが含まれる。
【０２１１】
（１）前の送信中に、送信機はレイヤ数２を使用する、すなわち、１つのＴＢが、それぞれＣＷ１及びＣＷ２を使用することにより送信される；例えば、ＣＷ１は、ＴＢ１を送信し、ＴＢ１に対応するプロセス数はｋであり、ＣＷ２はＴＢ２を送信し、そしてＴＢ２に対応するプロセス数はｋ＋Ｎ１である。
【０２１２】
（２）送信機は、前回送信されたＣＷ１に対して受信機によりフィードバックされたＡＣＫであるフィードバック及びＣＷ２に対するＮＡＣＫであるフィードバックを受信する。
【０２１３】
（３）送信機は、受信機の複数のフィードバックに従って、ＣＷ２の中の１つのＴＢ（ＴＢ２）を再送する必要があると決定する。
【０２１４】
（４）１つのＴＢを再送する必要がある、つまり、ＣＷ２を再送するために占有される必要のあるレイヤ数は２であり、その結果送信機は現在の送信において使用されるレイヤ数は１であると決定する。
【０２１５】
（５）再送される必要のあるＴＢは、再処理されるコードワードＣＷ１を取得するために、表２により示される１であるＲＩに対応するトランスポートブロック対コードワードマッピングに従ってマッピングされる、すなわち、ＣＷ１はＴＢ２を送信し、対応するプロセス数は依然としてｋ＋Ｎ１であり、そして、再処理されるコードワードであるＣＷ１は、表１のＲＩ＝１のレイヤマッピングに従って、送信のために各トランスポートレイヤに割り当てられる。
【０２１６】
（６）送信機は、データ送信関連制御情報を受信機に送信し、ここで当該制御情報は：現在の送信のＲＩは１であり且つプロセス数表示は現在の送信のＣＷ１におけるＴＢ２のｋ＋Ｎ１であるプロセス数である、ということを含む。
【０２１７】
第６の例において、以下の複数のステップが含まれる。
【０２１８】
（１）前の送信中に、送信機はレイヤ数２を使用する、すなわち、１つのＴＢが、それぞれＣＷ１及びＣＷ２を使用することにより送信される；例えば、ＣＷ１は、ＴＢ１を送信し、ＴＢ１に対応するプロセス数はｋであり、ＣＷ２はＴＢ２を送信し、そしてＴＢ２に対応するプロセス数はｋ＋Ｎ１である。
【０２１９】
（２）送信機は、前回送信されたＣＷ１に対して受信機によりフィードバックされたＮＡＣＫであるフィードバック及びＣＷ２に対するＡＣＫであるフィードバックを受信する。
【０２２０】
（３）送信機は、受信機の複数のフィードバックに従って、ＣＷ１の中の１つのＴＢ（ＴＢ１）を再送する必要があると決定する。
【０２２１】
（４）１つのＴＢを再送する必要がある、つまり、ＣＷ２を再送するために占有される必要のあるレイヤ数は１であり、その結果送信機は現在の送信において使用されるレイヤ数は１であると決定する。
【０２２２】
（５）再送される必要のあるＴＢは、再処理されるコードワードＣＷ１を取得するために、表２により示される２であるＲＩに対応するトランスポートブロック対コードワードマッピングに従ってマッピングされる、すなわち、ＣＷ１はＴＢ１を送信し、対応するプロセス数は依然としてｋであり、そして、再処理されるコードワードであるＣＷ１は、表１のＲＩ＝１のレイヤマッピングに従って、送信のために各トランスポートレイヤに割り当てられる。
【０２２３】
（６）送信機は、データ送信関連制御情報を受信機に送信し、ここで当該制御情報は：現在の送信のＲＩは１であり且つプロセス数表示は現在の送信のＣＷ１におけるＴＢ１のｋであるプロセス数である、ということを含む。
【０２２４】
第７の例において、以下の複数のステップが含まれる。
【０２２５】
（１）前の送信中に、送信機はレイヤ数４を使用する、すなわち、２つのＴＢが、それぞれＣＷ１及びＣＷ２を使用することにより送信される；例えば、ＣＷ１は、ＴＢ１＋ＴＢ３を送信し、ＴＢ１に対応するプロセス数はｋであり、ＣＷ２はＴＢ２＋ＴＢ４を送信し、そしてＴＢ２に対応するプロセス数はｋ＋Ｎ１である。
【０２２６】
（２）送信機は、前回送信されたＣＷ１に対して受信機によりフィードバックされたＮＡＣＫであるフィードバック及びＣＷ２に対するＮＡＣＫであるフィードバックを受信する。
【０２２７】
（３）送信機は、受信機の複数のフィードバックに従って、両方のコードワードを再送する必要があると決定する。
【０２２８】
（４）送信機は、両方のコードワード（ＣＷ１及びＣＷ２）を送信するために、現在の送信において使用されるレイヤ数は４であると決定するか、或いは当該両方のコードワード（ＣＷ１及びＣＷ２）のうちのいずれかを送信するために、現在の送信において使用されるレイヤ数は２であると決定する。
【０２２９】
現在の送信において使用されるレイヤ数が４であると決定された場合、従来技術に従って、データの再送が実行される。
【０２３０】
現在の送信において使用されるレイヤ数が２であると決定された場合、ＣＷ２の再送は、第１の例の（５）及び（６）に従って実行されてもよく、或いはＣＷ１の再送は、第２の例の（５）及び（６）に従って実行されてもよい。
【０２３１】
第８の例において、以下の複数のステップが含まれる。
【０２３２】
（１）前の送信中に、送信機はレイヤ数３を使用する、すなわち、１つのＴＢがＣＷ１を使用することにより送信され且つ２つのＴＢがＣＷ２を使用することにより送信される；例えば、ＣＷ１は、ＴＢ１を送信し、ＴＢ１に対応するプロセス数はｋであり、ＣＷ２はＴＢ２＋ＴＢ４を送信し、そしてＴＢ２に対応するプロセス数はｋ＋Ｎ１である。
【０２３３】
（２）送信機は、前回送信されたＣＷ１に対して受信機によりフィードバックされたＮＡＣＫであるフィードバック及びＣＷ２に対するＮＡＣＫであるフィードバックを受信する。
【０２３４】
（３）送信機は、受信機の複数のフィードバックに従って、両方のコードワードを再送する必要があると決定する。
【０２３５】
（４）送信機は、両方のコードワード（ＣＷ１及びＣＷ２）を送信するために、現在の送信において使用されるレイヤ数は３であると決定するか、或いは両方のコードワードのうちのいずれか（ＣＷ１）を送信するために、現在の送信において使用されるレイヤ数は１であると決定するか、或いは両方のコードワードのうちのいずれか（ＣＷ２）を送信するために、現在の送信において使用されるレイヤ数は２であると決定する。
【０２３６】
現在の送信において使用されるレイヤ数が３であると決定された場合、データの再送は従来技術に従って実行されてもよい。
【０２３７】
現在の送信において使用されるレイヤ数が２であると決定された場合、ＣＷ２の再送は、第３の例の（５）及び（６）に従って実行されてもよい。
【０２３８】
現在の送信において使用されるレイヤ数が１であると決定された場合、ＣＷ１の再送は、第４の例の（５）及び（６）に従って実行されてもよい。
【０２３９】
本発明の実施例は、さらに、ＭＩＭＯデータ再送方法を提供し、ここでは受信機により受信されたコードワードに対応するトランスポートブロックの組み合わせを受信機がどのように識別するかについて主に紹介され、そして図１０に示されるように、当該方法は以下の複数のステップを含む。
【０２４０】
Ｓ５０１：受信機は、送信機により送信されたコードワード及びデータ送信関連制御情報を受信する。
【０２４１】
データ送信関連制御情報は：ＲＩ及びプロセス数表示、を含む。プロセス数表示は、現在の送信における送信機のトランスポートブロックのプロセス数を識別するために使用され、そして当該トランスポートブロックの属するコードワードは、本発明の実施例において特殊コードワードと呼ばれる。
【０２４２】
Ｓ５０２：ＲＩ、プロセス数表示、及びトランスポートブロック対コードワードマッピングに従って、当該コードワードに対応するトランスポートブロックの組み合わせを識別する。
【０２４３】
トランスポートブロック対コードワードマッピングについて、Ｓ４０３の説明を参照することができる。
【０２４４】
当該トランスポートブロック対コードワードマッピング当該トランスポートブロック対コードワードマッピングは：コードワードが、同じプロセス数を持つ複数のトランスポートブロックに対応すること、又は前述の所定の関係にある差を伴う複数のプロセス数を持つ複数のトランスポートブロックに対応すること、を含む。
【０２４５】
説明を容易にするため、本発明の実施例において、説明のための一例であって、特殊コードワードがＣＷ１であり、かつ特殊でないコードワードがＣＷ２である、一例、が提供される。さらに、特殊コードワードＣＷ１の中の第１のＴＢに対応するプロセス数は、プロセス数表示の中のプロセス数として使用される。
【０２４６】
選択的に、トランスポートブロック対コードワードマッピングは：現在の送信において使用されるレイヤ数が４である場合に、特殊コードワードに対応するトランスポートブロックのプロセス数と特殊でないコードワードに対応するトランスポートブロックのプロセス数とは異なり、且つ当該２つのプロセス数の間の差は第１の固定値である、ということを含む。
【０２４７】
例えば、受信機により受信されるＲＩが４である場合、すなわち、現在の送信において使用されるレイヤ数が４である場合、受信機は、ＣＷ１及びＣＷ２がそれぞれ、２つのトランスポートブロックを含むと決定することができる；受信機により受信されたプロセス数表示におけるプロセス数がｑ（０≦ｑ＜Ｎ２）である場合、受信されたＣＷ１に含まれる第１のトランスポートブロックのプロセス数はｑであると特定され、ＣＷ１に含まれる他のトランスポートブロックのプロセス数はｑ又はｑ＋Ｎ２であり；ＣＷ２に含まれるトランスポートブロックのプロセス数は、（ｑ＋Ｎ１）ｍｏｄ（Ｎ２）又は（ｑ＋Ｎ１）ｍｏｄ（Ｎ２）＋Ｎ２であり、そしてＣＷ２に含まれる他のトランスポートブロックのプロセス数は、また、（ｑ＋Ｎ１）ｍｏｄ（Ｎ２）又は（ｑ＋Ｎ１）ｍｏｄ（Ｎ２）＋Ｎ２である。
【０２４８】
選択的に、トランスポートブロック対コードワードマッピングは：現在の送信において使用されるレイヤ数が３である場合に、特殊コードワードに対応するトランスポートブロックのプロセス数と特殊でないコードワードに対応するトランスポートブロックのプロセス数とは異なり、且つ当該２つのプロセス数の間の差は第１の固定値である、ということを含む。
【０２４９】
例えば、受信機により受信されるＲＩが３である場合、すなわち、現在の送信において使用されるレイヤ数が３である場合、受信機はＣＷ１がトランスポートブロックを含み且つＣＷ２が２つのトランスポートブロックを含むと決定してもよく；受信機により受信されたプロセス数表示の中のプロセス数がｑ（０≦ｑ＜Ｎ２）である場合、受信されたＣＷ１に含まれるトランスポートブロックのプロセス数はｑであり；ＣＷ２に含まれるトランスポートブロックのプロセス数は（ｑ＋Ｎ１）ｍｏｄ（Ｎ２）又は（ｑ＋Ｎ１）ｍｏｄ（Ｎ２）＋Ｎ２であり、ＣＷ２に含まれる他のトランスポートブロックのプロセス数は（ｑ＋Ｎ１）ｍｏｄ（Ｎ２）又は（ｑ＋Ｎ１）ｍｏｄ（Ｎ２）＋Ｎ２であると特定される。
【０２５０】
選択的に、受信機により受信されるＲＩが１である場合、すなわち、現在の送信において使用されるレイヤ数が１である場合、受信機は、ＣＷ１がトランスポートブロックを含むと決定してもよく；受信機により受信されたプロセス数表示の中のプロセス数がｑ（０≦ｑ＜Ｎ２）である場合、受信されたＣＷ１に含まれるトランスポートブロックのプロセス数はｑであると特定される。
【０２５１】
また、選択的に、トランスポートブロック対コードワードマッピングは、さらに：送信に使用されるレイヤ数が２である場合であって、２つのトランスポートブロックが最初に送信される場合、又は前の送信中にＲＩが２であり且つ２つのトランスポートブロックの双方を再送する必要があり且つ２つのトランスポートブロックのプロセス数の間の差が第１の固定値である場合に、特殊コードワードに対応するトランスポートブロックのプロセス数と特殊でないコードワードに対応するトランスポートブロックのプロセス数とは異なり、且つ当該２つのプロセス数の間の差は第１の固定値である、ということを含んでもよい。
【０２５２】
受信機により受信されたＲＩが２である場合、すなわち、現在の送信において使用されるレイヤ数が２である場合、ステップＳ５０２は、以下の２つの方法のうちのいずれか１つを採用することができる。
【０２５３】
方法１：現在の送信において使用されるレイヤ数が２である場合、プロセス数表示により示されるプロセスの再送結合プロセスに対応するバッファされたデータが正しく復号されたかどうかを確認する；バッファされたデータが正しく復号されなかった場合、特殊でないコードワードの中のトランスポートブロックのプロセス数とプロセス数表示の中のプロセス数が同じであるか、又は所定の関係にある（例えば、当該プロセス数の間の差が第２の固定値Ｎ２である）ことを識別する；バッファされたデータが正しく復号された場合、特殊でないコードワードの中のトランスポートブロックのプロセス数とプロセス数表示の中のプロセス数との間の差が第１の固定値Ｎ１であることを識別する。
【０２５４】
本発明の実施例において、プロセスＡの再送結合プロセスとは、プロセス番号がプロセスＡのプロセス番号と同じであるか又はプロセスＡのプロセス番号と所定の関係にある（例えば、当該プロセス番号の間の差が第２の固定値である）プロセスのことである。従って、プロセス番号表示により示されるプロセスの再送結合プロセスとは、プロセス番号表示の中のプロセス番号と同じであるか又はプロセス番号表示の中のプロセス番号と所定の関係にある（例えば、当該プロセス番号の間の差が第２の固定値である）プロセス番号を持つプロセスのことである。
【０２５５】
例えば、現在の送信において使用されるレイヤ数が２である場合、受信機は、表２により示されるトランスポートブロック対コードワードマッピングに従って、２つのコードワードが受信され、且つ各コードワードはトランスポートブロックを含む、ということを決定してもよい。
【０２５６】
受信機により受信されたプロセス番号表示の中のプロセス数がｑ（０≦ｑ＜Ｎ２）であった場合、プロセスｑの再送結合プロセス（プロセスｑ又はプロセスｑ＋Ｎ２）に対応するバッファされたデータが正しく復号されたかどうかを確認する；当該バッファされたデータが正しく復号されなかった場合、そのことは、ＣＷ１の中のトランスポートブロックのプロセス数がｑであり、且つＣＷ２の中のトランスポートブロックのプロセス番号がｑ又はｑ＋Ｎ２であるということを特定するために、送信機が現在の送信の中の再送結合プロセスによりデータを再送する必要があるということを示す；当該バッファされたデータが正しく復号された場合、そのことは、ＣＷ１の中のトランスポートブロックのプロセス数がｑであり、且つＣＷ２の中のトランスポートブロックのプロセス数が（ｑ＋Ｎ１）ｍｏｄｅ（Ｎ２）であるということを特定するために、送信機が現在の送信において、ＣＷ２のトランスポートブロックを送信するために再送結合プロセスを使用しないということを示す。
【０２５７】
方法２：現在の送信において使用されるレイヤ数が２である場合、データ送信関連制御情報のパケットに特殊表示が設定されているかどうかを確認する；当該パケットに特殊表示が設定されている場合、特殊でないコードワードの中のトランスポートブロックのプロセス数とプロセス数表示の中のプロセス数とが同じであるか又は所定の関係にある（例えば、当該プロセス数の間の差が第２の固定値である）ことを識別する；当該パケットに特殊表示が設定されていない場合、特殊でないコードワードの中のトランスポートブロックのプロセス数とプロセス数表示の中のプロセス数との間の差が第１の固定値であると識別する。当該特殊表示は、送信に使用されるレイヤ数が２である場合に、特殊でないコードワードの中のトランスポートブロック及び特殊コードワードの中のトランスポートブロックのプロセス数が同じであるか又は所定の関係にある（例えば、当該プロセス数の間の差が第２の固定値である）ことを識別するために使用される；そして選択的に、当該特殊表示は、固定された系列であってもよい。
【０２５８】
選択的に、当該特殊表示は、例えば、ＣＣＳフィールド、ＴＢＳフィールド、ＭＩフィールド等の、データ送信関連制御情報のパケットの中の少なくとも１つの制御情報フィールドの中に設定されてもよい。また、当該特殊表示は、データ送信関連制御情報のパケットの追加ビットに設定されてもよい。
【０２５９】
例えば、現在の送信において使用されるレイヤ数が２である場合、受信機は、表２により示されるトランスポートブロック対コードワードマッピングに従って、２つのコードワードが受信され且つ各コードワードがトランスポートブロックを含むことを決定してもよい。
【０２６０】
受信機により受信されたプロセス数表示の中のプロセス数がｑ（０≦ｑ＜Ｎ２）である場合、特殊でないコードワードであるＣＷ２のトランスポートブロック長表示が固定された系列に設定されているかどうかを確認する；当該トランスポートブロック長表示が固定された系列に設定されている場合、ＣＷ１の中のトランスポートブロックのプロセス数がｑであり且つＣＷ２の中のトランスポートブロックのプロセス数はｑ又はｑ＋Ｎ２であると特定する；当該トランスポートブロック長表示が固定された系列に設定されていない場合、ＣＷ１の中のトランスポートブロックのプロセス数がｑであり且つＣＷ２の中のトランスポートブロックのプロセス数が（ｑ＋Ｎ１）ｍｏｄ（Ｎ２）であると特定する。
【０２６１】
また、受信機は、さらに、現在の送信の中のコードワードに対するＨＡＲＱ送達確認情報を送信機にフィードバックする必要がある。
【０２６２】
現在の送信の中で使用されるレイヤ数が１又は３又は４である場合、フィードバック方法について、従来技術を参照してもよい。
【０２６３】
現在の送信において使用されるレイヤ数が２であり且つ受信機により受信される２つのコードワードの中の複数のトランスポートブロック（合計で２つのトランスポートブロック）に対応する複数のプロセスが互いに再送結合プロセスである場合であって、２つのコードワードの中の複数のトランスポートブロックの双方が正しく復号された場合であり且つその場合に限り、受信機は、２つのコードワードについて、送信機に対して同時にＡＣＫをフィードバックし、そしてそうでなければ、同時にＮＡＣＫをフィードバックする。
【０２６４】
例えば、現在の送信において使用されるレイヤ数が２である場合、受信機は２つのコードワードを受信し、各コードワードはトランスポートブロックを含み、当該複数のトランスポートブロックのうちの１つのプロセス数はｑ（０≦ｑ＜Ｎ２）であり、且つ当該他のトランスポートブロックのプロセス数はｑ又はｑ＋Ｎ２であり、この場合において、当該２つのトランスポートブロックの双方が正しく復号された場合であり且つその場合に限り、受信機は、当該２つのコードワードについて、送信機にＡＣＫをフィードバックし、そしてそうでなければ、同時にＮＡＣＫをフィードバックする。
【０２６５】
また、送信機は、さらに、受信機によりフィードバックされたＨＡＲＱ送達確認情報に従って、送信が成功したかどうかを判定する必要がある。
【０２６６】
互いに再送結合プロセスである、当該２つのプロセスの双方について、送信機により受信されるＨＡＲＱ送達確認情報がＡＣＫであった場合、送信機は、当該２つのプロセスにより送信された複数のコードワードの両方が正しく復号されたと判定し、そしてそうでなければ、再送の最大数に達していない場合には、当該２つのプロセスにより送信された複数のコードワードを再び再送する必要がある。つまり、互いに再送結合プロセスである当該２つのプロセスのうちの少なくとも１つのＨＡＲＱ送達確認情報がＮＡＣＫであった場合、再送の最大数に達していない限り、当該２つのプロセスにより送信された複数のコードワードは再び再送される必要がある。
【０２６７】
本発明の実施例は、ＭＩＭＯベースのデータ再送方法を提供する。データ再送処理プロセスにおいて、送信機が複数のコードワードの一部又は複数のコードワードの全てを再送する必要がある場合、使用されるレイヤ数がコードワードの再送に必要なレイヤ数より大きく且つ新しいデータを送信する必要がない場合を避けるために、送信機は、送信に必要なレイヤ数は複数のコードワードの一部を再送するために占有される必要のあるレイヤ数である、又は複数のコードワードの全てのうちの一部を再送するために占有する必要のあるレイヤ数であると決定し、これによりデータ再送が正常に実行されることを可能とする。
【０２６８】
本発明の実施例は、さらに当該データ再送方法に対応する装置を提供し、そして当該装置の複数の機能モジュールの説明について、対応する複数のステップを参照することができる。
【０２６９】
図１１に示されるように、本発明の実施例は、複数のコードワードの一部又は複数のコードワードの全てを再送する必要がある場合に、送信に使用されるレイヤ数は、前記複数のコードワードの一部を再送するために占有される必要のあるレイヤ数又は前記複数のコードワードの全てのうちの一部を再送するために占有される必要のあるレイヤ数であると決定するように構成される、第１決定部１１１；レイヤマッピングにより、再送される必要のある前記複数のコードワードの一部又は再送される必要のある前記複数のコードワードの全てのうちの一部に含まれる複数のトランスポートブロックを、前記第１決定部により決定された、送信に使用されるレイヤ数に対応する各トランスポートレイヤに割り当てるように構成される割当部１１２；及びデータ送信関連制御情報を受信機に送信するように構成される送信部１１３であって、前記データ送信関連制御情報は、ランク表示ＲＩ及びプロセス数表示を含む、送信部１１３；を備える送信機を提供する。
【０２７０】
選択的に、前記割当部１１２は、具体的には、送信に使用される前記レイヤ数及びトランスポートブロック対コードワードマッピングにより、再送される必要のある複数のコードワードの前記一部又は再送される必要のある前記複数のコードワードの全てのうちの一部に含まれるトランスポートブロックを、再処理されるコードワードにマッピングし、且つ、前記レイヤマッピングにより、前記再処理されるコードワードを、送信に使用される前記レイヤ数に対応する各トランスポートレイヤに割り当てるように構成される。
【０２７１】
選択的に、トランスポートブロック対コードワードマッピングは：コードワードが、同じプロセス数を持つ複数のトランスポートブロック又は所定の関係にある差を有する複数のプロセス数（例えば、プロセス数の間の差は第２の固定値である）を持つ複数のトランスポートブロックに対応すること、を含む。
【０２７２】
また、選択的に、トランスポートブロック対コードワードマッピングは：トランスポートブロック対コードワードマッピングがさらに：送信に使用されるレイヤ数が２である場合であって、２つのトランスポートブロックが最初に送信される場合、又は前の送信中にＲＩが２であり且つ２つのトランスポートブロック双方を再送する必要があり且つ２つのトランスポートブロックのプロセス数の間の差が第１の固定値である場合に、特殊コードワードに対応するトランスポートブロックのプロセス数と特殊でないコードワードに対応するトランスポートブロックのプロセス数とは異なり、且つ前記２つのプロセス数の間の差は前記第１の固定値である、ということを含む、ということを含む。
【０２７３】
また、前記送信機は、さらに、設定部１１４を含む。前記設定部は、送信に使用されるレイヤ数が２であり、ＲＩ＞２である前の送信における複数のコードワードの一部が現在の送信中に再送される場合に、前記データ送信関連制御情報を含むパケットの少なくとも１つの制御情報フィールドを特殊表示に設定するように構成され、前記特殊表示は、送信に使用されるレイヤ数が２である場合に、前記特殊でないコードワードの中の前記トランスポートブロック及び前記特殊コードワードの中の前記トランスポートブロックの前記複数のプロセス数は、同じであるか、又は所定の関係にある（例えば、前記複数のプロセス数の間の前記差は前記第２の固定値である）ことを識別するために使用される；或いは前記データ送信関連制御情報を含むパケットにビットを追加するように構成され、前記ビットは送信に使用されるレイヤ数が２であり、且つ前記現在の送信がＲＩ＞２である前記前の送信における複数のコードワードの一部の再送のためである場合に、前記特殊表示を送信するために使用される。
【０２７４】
また、前記送信機は、さらに、プロセスについてのＨＡＲＱ送達確認情報を受信するように構成される受信部１１５を含む。
【０２７５】
第２決定部１１６は、前記受信部により受信される、互いに再送結合プロセスである２つのプロセス両方についてのＨＡＲＱ送達確認情報がＡＣＫである場合、送信機が前記２つのプロセスにより送信される複数のコードワードの双方が正しく復号されたと判定し；そうでなければ、前記２つのプロセスにより送信される複数のコードワードの双方は再送される必要があると判定するように構成される。
【０２７６】
図１２に示されるように、本発明の実施例はさらに、送信機により送信されるコードワード及びデータ送信関連制御情報を受信するように構成される受信部１２１であって、前記データ送信関連制御情報はＲＩ及びプロセス数表示を含む、受信部１２１；及び前記ＲＩ、前記プロセス数表示、及びトランスポートブロック対コードワードマッピングに従って、前記コードワードに対応するトランスポートブロックの組み合わせを特定するように構成される識別部１２２、を備える受信機を提供する。
【０２７７】
選択的に、前記識別部１２２は、前記ＲＩが２である場合、前記プロセス数表示により示されるプロセスの再送結合プロセスに対応するバッファされたデータが正しく復号されたかどうかを確認し；前記バッファされたデータが正しく復号されなかった場合、前記特殊でないコードワードの中の前記トランスポートブロックの前記プロセス数と前記プロセス数表示の中の前記プロセス数は同じであるか、又は所定の関係にある（例えば、前記複数のプロセス数の間の差は第２の固定値である）と識別し；前記バッファされたデータが正しく復号された場合、前記特殊でないコードワードの中の前記トランスポートブロックの前記プロセス数と前記プロセス数表示の中の前記プロセス数との間の差は、第１の固定値であると識別するように構成される。
【０２７８】
代替的に選択的に、前記識別部１２２は、前記データ送信関連制御情報の前記パケットに特殊表示が設定されているかどうかを確認するように構成され；前記パケットに前記特殊表示が設定されている場合、前記特殊でないコードワードの中の前記トランスポートブロックの前記プロセス数と前記プロセス数表示の中の前記プロセス数は同じである、又は所定の関係にある（例えば、前記複数のプロセス数の間の差は前記第２の固定値である）と識別するように構成され；前記パケットに前記特殊表示が設定されていない場合、前記特殊でないコードワードの中の前記トランスポートブロックの前記プロセス数と前記プロセス数表示の中の前記プロセス数との間の差は前記第１の固定値であると識別するように構成され、前記特殊表示は、送信に使用されるレイヤ数が２である場合に、前記特殊でないコードワードの中の前記トランスポートブロック及び前記特殊コードワードの中の前記トランスポートブロックの前記複数のプロセス数は同じであるか、又は所定の関係にある（例えば、前記複数のプロセス数の間の差は前記第２の固定値である）ことを識別するために使用される。
【０２７９】
また、前記受信機はさらに、前記現在の送信において使用されるレイヤ数が２であり且つ前記受信機により受信される前記２つのコードワードの中の前記複数のトランスポートブロックに対応する前記複数のプロセスが互いに前記再送結合プロセスである場合であって、且つ前記２つのコードワードの中の前記複数のトランスポートブロックの双方が正しく復号された場合であり且つその場合に限り、前記受信部は、前記２つのコードワードについて、前記ＡＣＫを前記送信機に対して同時にフィードバックし、そしてそうでなければ、前記ＮＡＣＫを同時にフィードバックするように構成される、フィードバック部１２３、を備えてもよい。
【０２８０】
本発明はさらに、複数のコードワードの一部又は複数のコードワード全てを再送する必要がある場合に、送信に使用される前記レイヤ数が前記複数のコードワードの一部を再送するために占有される必要のあるレイヤ数である又は前記複数のコードワードの全てのうちの一部を再送するために占有される必要のあるレイヤ数であると決定するように構成され、そしてさらに、レイヤマッピングにより、再送される必要のある前記複数のコードワードの一部又は再送される必要のある前記複数のコードワードの一部を、前記第１決定部により決定される送信に使用される前記レイヤ数に対応する各トランスポートレイヤに割り当てるように構成されるプロセッサ；及びデータ送信関連制御情報を受信機に対して送信するように構成される送信コンポーネントであって、前記データ送信関連制御情報はランク表示ＲＩ及びプロセス数表示を含む、送信コンポーネント、を備える送信機を提供する。
【０２８１】
選択的に、前記プロセッサは、具体的には、再送される必要のある前記複数のコードワードの一部又は再送される必要のある前記複数のコードワードの全てのうちの一部を、送信に使用されるレイヤ数及びトランスポートブロック対コードワードマッピングにより、再処理されるコードワードにマッピングし、且つ前記レイヤマッピングにより、前記再処理されるコードワードを送信に使用されるレイヤ数に対応する各トランスポートレイヤに割り当てるように構成される。
【０２８２】
選択的に、前記トランスポートブロック対コードワードマッピングは：コードワードが同じプロセス数を持つ複数のトランスポートブロック又は所定の関係にある（例えば、前記複数のプロセス数の間の前記差は第２の固定値である）差を有する複数のプロセス数を持つ複数のトランスポートブロックに対応する、ということを含む。
【０２８３】
さらに選択的に、前記トランスポートブロック対コードワードマッピングは：前記トランスポートブロック対コードワードマッピングがさらに、送信に使用されるレイヤ数が２である場合であって、２つのトランスポートブロックが最初に送信される場合、又は前の送信中に前記ＲＩが２であり且つ前記２つのトランスポートブロックの双方を再送する必要があり且つ前記２つのトランスポートブロックのプロセス数の間の差が第１の固定値である場合に、特殊コードワードに対応するトランスポートブロックのプロセス数と特殊でないコードワードに対応するトランスポートブロックのプロセス数とは異なり、且つ前記２つのプロセス数の間の差は、前記第１の固定値である、ということを含む、ということを含む。
【０２８４】
また、前記プロセッサはさらに、送信に使用されるレイヤ数が２であり且つＲＩ＞２である前の送信における複数のコードワードの一部が現在の送信中に再送される場合に、前記データ送信関連制御情報を含むパケットの少なくとも１つの制御情報フィールドを特殊表示に設定するように構成され、前記特殊表示は、送信に使用されるレイヤ数が２である場合に、前記特殊でないコードワードの中の前記トランスポートブロック及び前記特殊コードワードの中の前記トランスポートブロックの前記複数のプロセス数は同じであるか又は所定の関係にある（例えば、前記複数のプロセス数の間の前記差は第２の固定値である）ことを識別するために使用される；又は、前記データ送信関連制御情報を含むパケットにビットを追加するように構成され、前記ビットは、送信に使用されるレイヤ数が２であり且つ前記現在の送信がＲＩ＞２である前記前の送信における複数のコードワードの一部を再送するための送信である場合に、前記特殊表示を送信するために使用される。
【０２８５】
また、前記送信機は、プロセスに対するＨＡＲＱ送達確認情報を受信するように構成される受信コンポーネントをさらに含む。
【０２８６】
前記プロセッサは、前記受信部により受信される、互いに再送結合プロセスである２つのプロセス双方に対するＨＡＲＱ送達確認情報が前記ＡＣＫである場合に、前記送信機は、前記２つのプロセスにより送信される複数のコードワードの双方は正しく復号されたと判定し；そうでなければ、前記２つのプロセスにより送信された前記複数のコードワードの双方を再送する必要があると判定するように、さらに構成される。
【０２８７】
本発明の実施例は、さらに、送信機により送信されたコードワード及びデータ送信関連制御情報を受信するように構成される受信コンポーネントであって、前記データ送信関連制御情報をＲＩ及びプロセス数表示を含む、受信コンポーネント；及び前記ＲＩ、前記プロセス数表示、及びトランスポートブロック対コードワードマッピングに従って、前記コードワードに対応するトランスポートブロックの組み合わせを識別するように構成されるプロセッサ、を備える受信機を提供する。
【０２８８】
選択的に、前記プロセッサは、前記ＲＩが２である場合に、前記プロセス数表示により示されるプロセスの再送結合プロセスに対応するバッファされたデータが正しく復号されたかどうか確認するように構成され；前記バッファされたデータが正しく復号されなかった場合に、前記特殊でないコードワードの中の前記トランスポートブロックの前記プロセス数と前記プロセス数表示の中の前記プロセス数とが同じである又は所定の関係にある（例えば、前記複数のプロセス数の間の差は第２の固定値である）と識別するように構成され；前記バッファされたデータが正しく復号された場合に、前記特殊でないコードワードの中の前記トランスポートブロックの前記プロセス数と前記プロセス数表示の中の前記プロセス数との間の差は、第１の固定値であると識別するように構成される。
【０２８９】
代替的に選択的に、プロセッサは、前記データ送信関連制御情報の前記パケットに特殊表示が設定されているかどうかを確認するように構成され；前記パケットに前記特殊表示が設定されている場合、前記特殊でないコードワードの中の前記トランスポートブロックの前記プロセス数と前記プロセス数表示の中の前記プロセス数とは同じである又は所定の関係にある（例えば、前記複数のプロセス数の間の差は前記第２の固定値である）ことを識別するように構成され；前記パケットに前記特殊表示が設定されていない場合、前記特殊でないコードワードの中の前記トランスポートブロックの前記プロセス数と前記プロセス数表示の中の前記プロセス数との間の差は前記第１の固定値であると識別するように構成され、前記特殊表示は、送信に使用されるレイヤ数が２である場合に、前記特殊でないコードワードの中の前記トランスポートブロック及び前記特殊コードワードの中の前記トランスポートブロックの前記プロセス数は同じである又は所定の関係にある（例えば、前記複数のプロセス数の間の差は前記第２の固定値である）ことを識別するために使用される。
【０２９０】
また、前記受信機は、前記現在の送信において使用される前記レイヤ数が２であり且つ前記受信機により受信された前記２つのコードワードの中の前記複数のトランスポートブロックに対応する前記複数のプロセスが互いに前記再送結合プロセスである場合であって、且つ前記２つのコードワードの中の前記複数のコードワードの双方が正しく復号された場合であり且つその場合に限り、前記受信機は、前記２つのコードワードについて、前記ＡＣＫを前記送信機に同時にフィードバックし、そしてそうでなければ前記ＮＡＣＫを同時にフィードバックするように構成される送信コンポーネントをさらに含んでもよい。
【０２９１】
本発明の実施例は、さらに、送信機及び受信機を含むデータ再送システムを提供する。送信機は、複数のコードワードの一部又は複数のコードワードの全てを再送する必要がある場合に、送信に使用されるレイヤ数は前記複数のコードワードの一部を再送するために占有される必要のある前記レイヤ数である又は前記複数のコードワードの全てのうちの一部を再送するために占有される必要のあるレイヤ数であると決定し、レイヤマッピングにより、再送される必要のある前記複数のコードワードのうちの一部又は再送される必要のある前記複数のコードワードの全てのうちの一部に含まれる複数のトランスポートブロックを前記第１決定部により決定される送信に使用されるレイヤ数に対応する各トランスポートレイヤに割り当て、且つデータ送信関連制御情報を前記受信機に送信するように構成され、前記データ送信関連制御情報はランク表示ＲＩ及びプロセス数表示を含む。
【０２９２】
前記受信機は、前記送信機により送信された前記コードワード及び前記データ送信関連制御情報を受信し、前記データ送信関連制御情報は前記ＲＩ及び前記プロセス数表示を含み；且つ前記ＲＩ、前記プロセス数表示、及びトランスポートブロック対コードワードマッピングに従って、前記コードワードに対応するトランスポートブロックの組み合わせを識別するように構成される。
【０２９３】
本発明の複数の実施例は装置及びシステムを提供する。前記データ再送処理プロセスにおいて、前記送信機が複数のコードワードの一部又は複数のコードワードの全てを再送する必要がある場合、使用されるレイヤ数がコードワードを再送するために必要なレイヤ数よりも大きくなる場合を避けるために、前記送信機は、送信に使用されるレイヤ数は前記複数のコードワードの一部を再送するために占有される必要のあるレイヤ数である、又は前記複数のコードワードの全てのうちの一部を再送するために占有される必要のあるレイヤ数であると判定し、これによりデータの再送が正常に実行されることを可能とする。
【０２９４】
複数の実施例の前述の説明により、当業者は、本発明はソフトウェアプラス必要な汎用ハードウェアの方法において実施されてもよく、そしてまた、間違いなく、ハードウェアにより実施されてもよい、ということを明確に理解することができる；しかしながら、ほとんどの場合、前者が好ましい実施方法である。そのような理解に基づき、本発明の複数の技術的解決手段は本質的に、又は従来技術に対して貢献する部分は、ソフトウェア製品の形態において実施されてもよい。コンピュータソフトウェア製品は、例えば、コンピュータのフロッピー（登録商標）ディスク、ハードディスク、又は光ディスク等の可読記憶媒体に記憶されてもよく、且つコンピュータ装置（これはパーソナルコンピュータ、サーバ、ネットワーク装置等であってもよい）に本発明の各実施例において説明される方法を実行するように指示するために使用される複数の命令を含む。
【０２９５】
前述の説明は本発明の単なる特定の複数の実施例であり、本発明の保護範囲を限定することは意図されていない。本発明において開示される技術範囲内において当業者により容易に考案される如何なる変更又は置換も、本発明の保護範囲に属さなければならない。従って、本発明の保護範囲は、複数の特許請求項の保護範囲に従わなければならない。
【図１】
2015530012.tif 000009
【図２】
2015530012.tif 000010
【図３】
2015530012.tif 000011
【図４】
2015530012.tif 000012
【図５】
2015530012.tif 000013
【図６】
2015530012.tif 000014
【図７】
2015530012.tif 000015
【図８】
2015530012.tif 000016
【図９】
2015530012.tif 000017
【図１０】
2015530012.tif 000018
【図１１】
2015530012.tif 000019
【図１２】
2015530012.tif 000020
【図１３】
2015530012.tif 000021
【手続補正書】
【提出日】平成27年3月31日(2015.3.31)
【手続補正１】
【補正対象書類名】特許請求の範囲
【補正対象項目名】全文
【補正方法】変更
【補正の内容】
【特許請求の範囲】
【請求項１】
再送されるコードワードにより占有される必要のあるレイヤ数が、送信機により使用するために選択されたレイヤ数より少なく且つ新しいデータを送信する必要がない場合において、前記送信機が選択した前記レイヤ数と前記コードワードを再送するために占有される必要のある前記レイヤ数との間の差に従って、特殊コードワードを決定するステップであって、該特殊コードワードに含まれるトランスポートブロックの数は前記差に等しい、ステップ；及び
レイヤマッピングにより、前記再送される必要のあるコードワード及び前記特殊コードワードを各トランスポートレイヤに割り当てるステップ；
を含む、データ再送方法。
【請求項２】
前記受信機に特殊コードワード送信表示を送信するステップであって、前記特殊コードワード送信表示は、現在のデータ送信が特殊コードワードを含むことを示すために使用される、ステップ；
をさらに含む、請求項１に記載のデータ再送方法。
【請求項３】
前記特殊コードワードは仮想コードワードであり、且つ該仮想コードワードは空の情報である；又は前記特殊コードワードは充填コードワードであり、且つ該充填コードワードは空でない情報である、
請求項１又は２に記載の方法。
【請求項４】
前記受信機に特殊コードワード送信表示を送信する前記処理は：前記受信機に該特殊コードワード送信表示を送るために、ＨＳ−ＳＣＣＨで該特殊コードワード送信表示を送信するステップ；
をさらに含む、請求項２又は３に記載の方法。
【請求項５】
ＨＳ−ＳＣＣＨで前記特殊コードワード送信表示を送信する前記ステップは：
データ送信関連制御情報を含むパケットに前記特殊コードワード送信表示を識別するために使用されるビットを追加するステップ、及び前記パケットを前記ＨＳ−ＳＣＣＨで送信するステップ；又は
データ送信関連制御情報を含むパケットの中の少なくとも１つの制御情報フィールドに前記特殊コードワード送信表示を識別するために使用される特定の値を設定するステップ、及び前記ＨＳ−ＳＣＣＨで前記パケットを送信するステップ；を含む、
請求項４に記載の方法。
【請求項６】
前記特殊コードワード送信表示は、さらに、どのコードワードが特殊コードワードであるかを識別するため、及び／又はどのコードワードが再送される前記コードワードであるかを識別するために使用される、
請求項１から５のいずれか１項に記載の方法。
【請求項７】
送信機により送られる、複数のコードワード、データ送信関連制御情報、及び特殊コードワード送信表示を受信するステップであって、前記データ送信関連制御情報はプロセス数表示を含み、前記複数のコードワードは、再送されるコードワード及び特殊コードワードを含み、且つ前記特殊コードワード送信表示は現在のデータ送信が特殊コードワードを含むことを識別するために使用される、ステップ；及び
前記特殊コードワード送信表示を検出した際に、前記プロセス数表示に従って、前記複数のコードワードにおいて、前記再送されるコードワード及び／又は前記特殊コードワードを識別するステップ；
を含むデータ再送方法。
【請求項８】
前記プロセス数表示に従って、前記複数のコードワードにおいて、前記再送されるコードワード及び／又は前記特殊コードワードを識別する前記ステップは：
前記プロセス数表示により示されたプロセス又は該プロセスに関連付けられたプロセスに対応するバッファされたデータが正しく復号されたかどうかを決定するステップ；前記バッファされたデータが正しく復号されなかった場合に、前記現在のデータ送信の中の前記示されたプロセス又は前記関連付けられたプロセスに対応するトランスポートブロックが前記再送されるコードワードに属すことを識別するステップ；又は前記バッファされたデータが正しく復号された場合に、前記現在のデータ送信の中の前記示されたプロセス又は前記関連付けられたプロセスに対応するトランスポートブロックが前記特殊コードワードに属すことを識別するステップ；を含む、
請求項７に記載のデータ再送方法。
【請求項９】
送信機から送信される複数のコードワード及び特殊コードワード送信表示を受信するステップであって、前記複数のコードワードは：再送コードワード及び特殊コードワードを含み、且つ前記特殊コードワード送信表示は、現在のデータ送信が特殊コードワードを含むことを識別するために使用され、且つどのコードワードが前記特殊コードワードであるかを識別するため又はどのコードワードが前記再送されるコードワードであるかを識別するために使用される、ステップ；及び
前記特殊コードワード送信表示に従って、前記複数のコードワードの中の前記再送されるコードワード及び／又は前記特殊コードワードを識別するステップ；
を含むデータ再送方法。
【請求項１０】
再送されるコードワードにより占有される必要のあるレイヤ数が送信機により使用するために選択されたレイヤ数より少なく、且つ新しいデータを送信する必要がない場合において、前記送信機が選択した前記レイヤ数と前記コードワードを再送するために占有される必要のある前記レイヤ数との間の差に従って、特殊コードワードを決定するように構成される決定部であって、該特殊コードワードに含まれるトランスポートブロックの数は前記差に等しい、決定部；及び
レイヤマッピングにより、再送される必要のある前記コードワード及び前記決定部により決定された前記特殊コードワードを各トランスポートレイヤに割り当てるように構成される割当部；
を備える送信機。
【請求項１１】
特殊コードワード送信表示を受信機に送信するように構成される送信部であって、前記特殊コードワード送信表示は、現在のデータ送信が特殊コードワードを含むことを示すために使用される、送信部；
をさらに含む、請求項１０に記載の送信機。
【請求項１２】
送信機により送られる、複数のコードワード、データ送信関連制御情報、及び特殊コードワード送信表示を受信するように構成される受信部であって、前記データ送信関連制御情報はプロセス数表示を含み、前記複数のコードワードは、再送されるコードワード及び特殊コードワードを含み、且つ前記特殊コードワード送信表示は現在のデータ送信が特殊コードワードを含むことを識別するために使用される、受信部；及び
前記特殊コードワード送信表示を検出した際に、前記プロセス数表示に従って、前記複数のコードワードにおいて、前記再送されるコードワード及び／又は前記特殊コードワードを識別するように構成される識別部；
を備える受信機。
【請求項１３】
送信機から送信される複数のコードワード及び特殊コードワード送信表示を受信するように構成される受信部であって、前記複数のコードワードは：再送コードワード及び特殊コードワードを含み、且つ前記特殊コードワード送信表示は、現在のデータ送信が特殊コードワードを含むことを識別するために使用され、且つどのコードワードが前記特殊コードワードであるかを識別するため又はどのコードワードが前記再送されるコードワードであるかを識別するために使用される、受信部；及び
前記受信部により受信される前記特殊コードワード送信表示に従って、前記複数のコードワードの中の前記再送されるコードワード及び／又は前記特殊コードワードを識別するように構成される識別部；
を備える受信機。
【請求項１４】
複数のコードワードの一部又は複数のコードワードの全てを再送する必要がある場合に、送信機により、送信に使用されるレイヤ数が前記複数のコードワードの一部を再送するために占有される必要のあるレイヤ数である又は前記複数のコードワードの全てのうちの一部を再送するために占有される必要のあるレイヤ数であると決定するステップ；
レイヤマッピングにより、再送される必要のある前記複数のコードワードの一部又は再送される必要のある前記複数のコードワードの全てのうちの一部に含まれる複数のトランスポートブロックを、前記送信に使用されるレイヤ数に対応する各トランスポートレイヤに割り当てるステップ；及びデータ送信関連制御情報を受信機に送信するステップであって、前記データ送信関連制御情報は、ランク表示ＲＩ及びプロセス数表示を含む、送信するステップ；
を含むデータ再送方法。
【請求項１５】
レイヤマッピングにより、再送される必要のある前記複数のコードワードの一部又は再送される必要のある前記複数のコードワードの全てのうちの一部に含まれる複数のトランスポートブロックを、前記送信に使用されるレイヤ数に対応する各トランスポートレイヤに割り当てる前記ステップは：
前記再送される必要のある複数のコードワードの一部又は前記再送される必要のある複数のコードワードの全てのうちの一部に含まれるトランスポートブロックを、送信に使用されるレイヤ数及びトランスポートブロック対コードワードマッピングにより、再処理されるコードワードにマッピングするステップ、及び前記レイヤマッピングにより、前記再処理されるコードワードを送信に使用される前記レイヤ数に対応する各トランスポートレイヤに割り当てるステップ；
を含む、請求項１４に記載の方法。
【請求項１６】
前記トランスポートブロック対コードワードマッピングは：
コードワードが同じプロセス数を有する複数のトランスポートブロック又所定の関係を有する複数のトランスポートブロック、に対応すること、
を含む、請求項１５に記載の方法。
【請求項１７】
前記トランスポートブロック対コードワードマッピングは：
さらに、送信に使用されるレイヤ数が２である場合であって、２つのトランスポートブロックが最初に送信される場合、又は前の送信中の前記ＲＩが２であり且つ前記２つのトランスポートブロックの双方を再送する必要があり且つ前記２つのトランスポートブロックのプロセス数の間の差が第１の固定値である場合に、特殊コードワードに対応するトランスポートブロックのプロセス数及び特殊でないコードワードに対応するトランスポートブロックのプロセス数は異なり、且つ前記２つのプロセス数の間の差は前記第１の固定値であることを含む、
請求項１６に記載の方法。
【請求項１８】
送信に使用されるレイヤ数が２であり、且つ現在の送信がＲＩ＞２である前記前の送信における複数のコードワードの一部の再送である場合に、
前記データ送信関連制御情報を含むパケットの少なくとも１つの制御情報フィールドを特殊表示に設定するステップであって、該特殊表示は、送信に使用されるレイヤ数が２である場合に、前記特殊でないコードワードの中の前記トランスポートブロック及び前記特殊コードワードの中の前記トランスポートブロックの前記複数のプロセス数が同じである又は所定の関係にあることを識別するために使用される、設定するステップ；又は前記データ送信関連制御情報を含むパケットにビットを加えるステップであって、前記ビットは、送信のために使用される前記レイヤ数が２であり且つ前記現在の送信がＲＩ＞２である前記前の送信における複数のコードワードの一部の再送である場合において、特殊表示を送信するために使用される、ステップ；
をさらに含む、請求項１６又は１７に記載の方法。
【請求項１９】
互いに再送結合プロセスである２つのプロセス双方について、前記送信機により受信されるＨＡＲＱ送達確認情報がＡＣＫであった場合に、前記送信機により、前記２つのプロセスにより送信される複数のコードワードは両方とも正しく復号されたと判定し、そうでなければ、再送の最大数に達していない場合に、前記２つのプロセスにより送信された前記複数のコードワードを再送するステップ、
をさらに含む、請求項１４から１８のいずれか１項に記載の方法。
【請求項２０】
送信機により送信されたコードワード及びデータ送信関連制御情報を受信機により受信するステップであって、前記データ送信関連制御情報は、ＲＩ及びプロセス数表示を含む、受信するステップ；及び
前記ＲＩ、前記プロセス数表示、及びトランスポートブロック対コードワードマッピングに従って、前記コードワードに対応するトランスポートブロックの組み合わせを識別するステップ；
を含むデータ再送方法。
【請求項２１】
前記ＲＩ、前記プロセス数表示、及びトランスポートブロック対コードワードマッピングに従って、前記コードワードに対応するトランスポートブロックの組み合わせを識別する前記ステップは：
前記ＲＩが２である場合に、プロセス数表示により示されたプロセスの再送結合プロセスに対応するバッファされたデータが正しく復号されたかどうか確認するステップ；前記バッファされたデータが正しく復号されなかった場合に、特殊でないコードワードの中のトランスポートブロックのプロセス数と前記プロセス数表示の中のプロセス数が同じであるか又は所定の関係にあることを識別するステップ；前記バッファされたデータが正しく復号されなかった場合に、前記特殊でないコードワードの中の前記トランスポートブロックの前記プロセス数と前記プロセス数表示の中の前記プロセス数との間の差が第１の固定値であることを識別するステップ；
を含む、請求項２０に記載のデータ再送方法。
【請求項２２】
前記ＲＩ、前記プロセス数表示、及びトランスポートブロック対コードワードマッピングに従って、前記コードワードに対応するトランスポートブロックの組み合わせを識別する前記ステップは：
前記ＲＩが２である場合に、前記データ送信関連制御情報のパケットが特殊表示で構成されているかどうかを確認するステップ；前記パケットが前記特殊表示で構成されている場合に、特殊でないコードワードの中のプロセス数及び前記プロセス数表示におけるプロセス数が同じであるか又は所定の関係にあることを識別するステップ；前記パケットが前記特殊表示で構成されていない場合に、前記特殊でないコードワードの中の前記トランスポートブロックの前記プロセス数と前記プロセス数表示の中の前記プロセス数との間の差が第１の固定値であることを識別するステップであって、前記特殊表示は、送信に使用されるレイヤ数が２である場合に、前記特殊でないコードワードの中の前記トランスポートブロック及び前記特殊コードワードの中の前記トランスポートブロックの前記複数のプロセス数が同じであるか又は所定の関係にあることを識別するために使用される、識別するステップ；
を含む、請求項２０に記載のデータ再送方法。
【請求項２３】
前記現在の送信において使用されるレイヤ数が２であり且つ前記受信機により受信される２つのコードワードの中の前記複数のトランスポートブロックに対応する前記複数のプロセスが互いに前記再送結合プロセスである場合であって、且つ前記２つのコードワードの中の前記複数のトランスポートブロックの双方が正しく復号される場合であり且つその場合に限り、前記受信機により、前記２つのコードワードに対するＡＣＫを前記送信機に対して同時にフィードバックし、そうでなければ、同時にＮＡＣＫをフィードバックするステップ；
をさらに含む、請求項２０から２２のいずれか１項に記載の方法。
【請求項２４】
複数のコードワードの一部又は複数のコードワードの全てが再送される必要がある場合に、送信に使用されるレイヤ数が前記複数のコードワードの一部を再送するために占有される必要のあるレイヤ数又は前記複数のコードワードの全てのうちの一部を再送するために占有される必要のあるレイヤ数であると決定するように構成される第１決定部；
レイヤマッピングにより、再送される必要のある前記複数のコードワードの一部又は再送される必要のある前記複数のコードワードの全てのうちの一部に含まれる複数のトランスポートブロックを、送信に使用される、前記第１決定部により決定される、レイヤ数に対応する各トランスポートレイヤに割り当てるように構成される割当部；及び
データ送信関連制御情報を受信機に対して送信するように構成される送信部であって、前記データ送信関連制御情報はランク表示ＲＩ及びプロセス数表示を含む、送信部；
を備える送信機。
【請求項２５】
設定部をさらに備え、
前記設定部は、送信に使用されるレイヤ数が２であり且つＲＩ＞２である前の送信における複数のコードワードの一部が現在の送信において再送される場合に、前記データ送信関連制御情報を含むパケットの少なくとも１つの制御情報フィールドを特殊表示に設定し、該特殊表示は、送信に使用されるレイヤ数が２である場合に、特殊でないコードワードの中のトランスポートブロック及び特殊コードワードの中のトランスポートブロックの複数のプロセス数は同じであるか又は所定の関係にあることを識別するようにさらに構成される；又は前記データ送信関連制御情報を含むパケットにビットを追加するようにさらに構成され、送信に使用されるレイヤ数が２であり且つ前記現在の送信がＲＩ＞２である前記前の送信における複数のコードワードの一部の再送のための送信である場合に、前記ビットは前記特殊表示を送信するために使用される、
請求項２４に記載の送信機。
【請求項２６】
プロセスに対するＨＡＲＱ送達確認情報を受信するように構成される受信部；及び
互いに再送結合プロセスである２つのプロセス双方に対する、前記受信部により受信されるＨＡＲＱ送達確認情報がＡＣＫである場合に、前記２つのプロセスにより送信される複数のコードワードの双方は正しく復号されたと決定し；そうでなければ、前記２つのプロセスにより送信される前記複数のコードワードの双方は再送される必要があると決定するように構成される、第２決定部；
をさらに備える、請求項２４又は２５に記載の送信機。
【請求項２７】
送信機により送信されるコードワード及びデータ送信関連制御情報を受信するように構成される受信部であって、前記データ送信関連制御情報はＲＩ及びプロセス数表示を含む、受信部；及び
前記ＲＩ、前記プロセス数表示、及びトランスポートブロック対コードワードマッピングに従って、前記コードワードに対応するトランスポートブロックの組み合わせを識別するように構成される識別部；
を備える受信機。
【請求項２８】
前記現在の送信において使用されるレイヤ数が２であり且つ前記受信機により受信される２つのコードワードの中の複数のトランスポートブロックに対応する複数のプロセスが互いに再送結合プロセスである場合であって、且つ前記２つのコードワードの中の前記複数のトランスポートブロックの双方が正しく復号された場合であり且つその場合に限り、前記受信機は、前記２つのコードワードに対するＡＣＫを前記送信機に同時にフィードバックし、そうでなければ同時にＮＡＣＫをフィードバックするように構成されるフィードバック部；
をさらに備える、請求項２７に記載の受信機。
【手続補正２】
【補正対象書類名】明細書
【補正対象項目名】全文
【補正方法】変更
【補正の内容】
【発明の詳細な説明】
【技術分野】
【０００１】
本発明は、通信の分野に関連し、そして特に、データ再送信方法、装置、及びシステムに関連する。
【背景技術】
【０００２】
通信技術の急速な発展に伴い、３ＧＰＰ（ｔｈｅ  ３ｒｄ  Ｇｅｎｅｒａｔｉｏｎ  Ｐａｒｔｎｅｒｓｈｉｐ  Ｐｒｏｊｅｃｔ、第３世代パートナーシッププロジェクト）により定式化されたリリース７バージョンに導入された２×２ＭＩＭＯ（Ｍｕｌｔｉｐｌｅ−Ｉｎｐｕｔ  Ｍｕｌｔｉｐｌｅ−Ｏｕｔｐｕｔ、マルチ入力マルチ出力）技術において、トランスポートブロックの長さの表示及び各データフローの変調表示は独立しており、単一の現在のデータがスケジュールされているか又は二重の現在のデータがスケジュールされているかにかかわらず、ノードＢ（基地局）は、ＵＥ（Ｕｓｅｒ  Ｅｑｕｉｐｍｅｎｔ、ユーザ装置）に、プライマリトランスポートブロックのプロセス番号ＨＡＰｐｂのみを通知し、そして、セカンダリトランスポートブロックのプロセス番号は、プライマリトランスポートブロックのプロセス番号に従って計算することができる：
ＨＡＰｓｂ＝（ＨＡＰｐｂ＋Ｎｐｒｏｃ／２）ｍｏｄ（Ｎｐｒｏｃ）
【０００３】
リリース７のＭＩＭＯにおいて、プロセスの総数は、６≦Ｎｐｒｏｃ／２≦８を満たす、すなわち、各フローのプロセスの数は、平均して６から８である。
【０００４】
４アンテナのＭＩＭＯが使用される場合の基本的なデータ伝送が、図１に概略的に示される。３ＧＰＰ規格会合が４×４ＭＩＭＯを導入することを決定した後においても、依然として、最大で２つのトランスポート表示と２つの変調表示とが使用されている。表示情報の各部分は、最大で２つのＴＢ（Ｔｒａｎｓｐｏｒｔ  Ｂｌｏｃｋ、トランスポートブロック）を制御することができる。同じ制御情報のセットを使用する１つ又は２つのＴＢを符号化することで取得されるデータは、総括してコードワード（ｃｏｄｅｗｏｒｄ、ＣＷと略す）と呼ばれる。コードワードは、レイヤマッピングを受けた後、各トランスポートレイヤにおいて送信される。各トランスポートレイヤのデータは、プリコーディングされた後、複数のアンテナポートに転送され、そして他の複数のデータ信号と重畳された後に受信機にエアインターフェースで送信される。エアインターフェースデータ情報及び対応する制御情報を受信した後、受信機は、復調、復号化などの操作を行い、そしてデータがＣＲＣ（Ｃｙｃｌｉｃ  Ｒｅｄｕｎｄａｎｃｙ  Ｃｈｅｃｋ、巡回冗長検査）検証に合格したかどうかに従って、各コードワードについてのＡＣＫ／ＮＡＣＫを送信機に対してフィードバックする。送信機がＮＡＣＫフィードバックを受信する場合、対応するコードワードは再送される必要がある。
【０００５】
現在、ＭＩＭＯベースのデータ再送処理の前述のプロセスにおいて、各送信されたコードワードに対応するレイヤの数又はＴＢの数は変更されず、そして再送される複数のコードワードの系列は変化しない。この時、新しいデータを送信する必要がなければ、使用されなければならないレイヤの数がコードワードを再送するために必要なレイヤの数よりも大きいという状況が生じる可能性があり、そしてこの場合において、送信機の動作はまだ定義されていない。このため、送信機は処理を実行する方法を知らず、このことは、送信機及び受信機が正常に動作することを困難にする可能性がある。
【発明の概要】
【発明が解決しようとする課題】
【０００６】
本発明の複数の実施例は、ＭＩＭＯベースのデータ再送処理において、送信機が使用するために選択したレイヤ数がコードワードを再送するために必要なレイヤ数よりも多く且つ新しいデータを送信する必要がない場合において、送信機及び受信機が正常に動作するのが困難であるかもしれないという問題を解決するための、ＭＩＭＯベースのデータ伝送方法、装置、及びシステムを提供する。
【課題を解決するための手段】
【０００７】
この問題を解決するために、本発明の複数の実施例は、以下の複数の技術的な解決手段を採用する。
【０００８】
第１の態様において、本発明の実施例は、再送されるコードワードにより占有される必要のあるレイヤ数が、送信機により使用するために選択されたレイヤ数より少なく且つ新しいデータを送信する必要がない場合において、前記送信機が選択した前記レイヤ数と前記コードワードを再送するために占有される必要のある前記レイヤ数との間の差に従って、特殊コードワードを決定するステップであって、該特殊コードワードに含まれるトランスポートブロックの数は前記差に等しい、ステップ；及びレイヤマッピングにより、前記再送される必要のあるコードワード及び前記特殊コードワードを各トランスポートレイヤに割り当てるステップ；を含む、データ再送方法を提供する。
【０００９】
前記第１の態様に関する、第１の可能な実施方法において、前記方法は：前記受信機に特殊コードワード送信表示を送信するステップであって、前記特殊コードワード送信表示は、現在のデータ送信が特殊コードワードを含むことを示すために使用される、ステップ；をさらに含む。
【００１０】
前記第１の態様及び前記第１の可能な実施方法のうちのいずれか１つに関する、第２の可能な実施方法において、前記特殊コードワードは仮想コードワードであり且つ該仮想コードワードは空の情報である；又は前記特殊コードワードは充填コードワードであり且つ該充填コードワードは空でない情報である。
【００１１】
前記第１の態様及び前記最初の２つの可能な実施方法のうちのいずれか１つに関する、第３の可能な実施方法において、前記受信機に特殊コードワード送信表示を送信する前記処理は：前記受信機に該特殊コードワード送信表示を送るために、ＨＳ−ＳＣＣＨで該特殊コードワード送信表示を送信するステップ；をさらに含む。
【００１２】
前記第３の可能な実施方法に関する、第４の可能な実施方法において、ＨＳ−ＳＣＣＨで前記特殊コードワード送信表示を送信する前記ステップは：データ送信関連制御情報を含むパケットに前記特殊コードワード送信表示を識別するために使用されるビットを追加するステップ、及び前記パケットを前記ＨＳ−ＳＣＣＨで送信するステップ；又はデータ送信関連制御情報を含むパケットの中の少なくとも１つの制御情報フィールドに前記特殊コードワード送信表示を識別するために使用される特定の値を設定するステップ、及び前記ＨＳ−ＳＣＣＨで前記パケットを送信するステップ；を含む。
【００１３】
前記第１の態様及び前記最初の４つの可能な実施方法のうちのいずれか１つに関する、第５の可能な実施方法において、前記特殊コードワード送信表示は、さらに、どのコードワードが特殊コードワードであるかを識別するため、及び／又はどのコードワードが再送される前記コードワードであるかを識別するために使用される。
【００１４】
第２の態様において、本発明の実施例は：前記送信機により送られる、複数のコードワード、データ送信関連制御情報、及び特殊コードワード送信表示を受信するステップであって、前記データ送信関連制御情報はプロセス数表示を含み、前記複数のコードワードは、再送されるコードワード及び特殊コードワードを含み、且つ前記特殊コードワード送信表示は現在のデータ送信が特殊コードワードを含むことを識別するために使用される、ステップ；及び前記特殊コードワード送信表示を検出した際に、前記プロセス数表示に従って、前記複数のコードワードにおいて、前記再送されるコードワード及び／又は前記特殊コードワードを識別するステップ；を含むデータ再送方法を提供する。
【００１５】
前記第２の態様に関する、第１の可能な実施方法において、前記プロセス数表示に従って、前記複数のコードワードにおいて、前記再送されるコードワード及び／又は前記特殊コードワードを識別する前記ステップは：前記プロセス数表示により示されたプロセス又は該プロセスに関連付けられたプロセスに対応するバッファされたデータが正しく復号されたかどうかを決定するステップ；前記バッファされたデータが正しく復号されなかった場合に、前記現在のデータ送信の中の前記示されたプロセス又は前記関連付けられたプロセスに対応するトランスポートブロックが前記再送されるコードワードに属すことを識別するステップ；又は前記バッファされたデータが正しく復号された場合に、前記現在のデータ送信の中の前記示されたプロセス又は前記関連付けられたプロセスに対応するトランスポートブロックが前記特殊コードワードに属すことを識別するステップ；を含む。
【００１６】
第３の態様において、本発明の実施例は、前記送信機から送信される複数のコードワード及び特殊コードワード送信表示を受信するステップであって、前記複数のコードワードは：再送コードワード及び特殊コードワードを含み、且つ前記特殊コードワード送信表示は、現在のデータ送信が特殊コードワードを含むことを識別するために使用され且つどのコードワードが前記特殊コードワードであるかを識別するため又はどのコードワードが前記再送されるコードワードであるかを識別するために使用される、ステップ；及び前記特殊コードワード送信表示に従って、前記複数のコードワードの中の前記再送されるコードワード及び／又は前記特殊コードワードを識別するステップ；を含むデータ再送方法を提供する。
【００１７】
第４の態様において、本発明の実施例は、再送されるコードワードにより占有される必要のあるレイヤ数が前記送信機により使用するために選択されたレイヤ数より少なく、且つ新しいデータを送信する必要がない場合において、前記送信機が選択した前記レイヤ数と前記コードワードを再送するために占有される必要のある前記レイヤ数との間の差に従って、特殊コードワードを決定するように構成される決定部であって、該特殊コードワードに含まれるトランスポートブロックの数は前記差に等しい、決定部；及びレイヤマッピングにより、再送される必要のある前記コードワード及び前記決定部により決定された前記特殊コードワードを各トランスポートレイヤに割り当てるように構成される割当部；を備える送信機を提供する。
【００１８】
前記第４の態様に関する、第１の可能な実施方法において、本発明の前記実施例により提供される送信機は：特殊コードワード送信表示を受信機に送信するように構成される送信部であって、前記特殊コードワード送信表示は、現在のデータ送信が特殊コードワードを含むことを示すために使用される、送信部；をさらに含む。
【００１９】
第５の態様において、本発明の実施例は：前記送信機により送られる、複数のコードワード、データ送信関連制御情報、及び特殊コードワード送信表示を受信するように構成される受信部であって、前記データ送信関連制御情報はプロセス数表示を含み、前記複数のコードワードは、再送されるコードワード及び特殊コードワードを含み、且つ前記特殊コードワード送信表示は現在のデータ送信が特殊コードワードを含むことを識別するために使用される、受信部；及び前記特殊コードワード送信表示を検出した際に、前記プロセス数表示に従って、前記複数のコードワードにおいて、前記再送されるコードワード及び／又は前記特殊コードワードを識別するように構成される識別部；を備える受信機を提供する。
【００２０】
第６の態様において、本発明の実施例は：前記送信機から送信される複数のコードワード及び特殊コードワード送信表示を受信するように構成される受信部であって、前記複数のコードワードは：再送コードワード及び特殊コードワードを含み、且つ前記特殊コードワード送信表示は、現在のデータ送信が特殊コードワードを含むことを識別するために使用され且つどのコードワードが前記特殊コードワードであるかを識別するため又はどのコードワードが前記再送されるコードワードであるかを識別するために使用される、受信部；及び前記受信部により受信される前記特殊コードワード送信表示に従って、前記複数のコードワードの中の前記再送されるコードワード及び／又は前記特殊コードワードを識別するように構成される識別部；を備える受信機を提供する。
【００２１】
第７の態様において、本発明の実施例は、複数のコードワードの一部又は複数のコードワードの全てを再送する必要がある場合に、送信機により、送信に使用されるレイヤ数が前記複数のコードワードの一部を再送するために占有される必要のあるレイヤ数である又は前記複数のコードワードの全てのうちの一部を再送するために占有される必要のあるレイヤ数であると決定するステップ；レイヤマッピングにより、再送される必要のある前記複数のコードワードの一部又は再送される必要のある前記複数のコードワードの全てのうちの一部に含まれる複数のトランスポートブロックを、前記送信に使用されるレイヤ数に対応する各トランスポートレイヤに割り当てるステップ；及びデータ送信関連制御情報を受信機に送信するステップであって、前記データ送信関連制御情報は、ランク表示ＲＩ及びプロセス数表示を含む、送信するステップ；を含むデータ再送方法を提供する。
【００２２】
前記第７の態様に関する、第１の可能な実施方法において、レイヤマッピングにより、再送される必要のある前記複数のコードワードの一部又は再送される必要のある前記複数のコードワードの全てのうちの一部に含まれる複数のトランスポートブロックを、前記送信に使用されるレイヤ数に対応する各トランスポートレイヤに割り当てる前記ステップは：前記再送される必要のある複数のコードワードの一部又は前記再送される必要のある複数のコードワードの全てのうちの一部に含まれるトランスポートブロックを、送信に使用されるレイヤ数及びトランスポートブロック対コードワードマッピングにより、再処理されるコードワードにマッピングするステップ、及び前記レイヤマッピングにより、前記再処理されるコードワードを送信に使用される前記レイヤ数に対応する各トランスポートレイヤに割り当てるステップ；を含む。
【００２３】
前記第１の可能な実施方法に関する、第２の可能な実施方法において、前記トランスポートブロック対コードワードマッピングは、コードワードが同じプロセス数を有する複数のトランスポートブロック又は差を伴う複数のプロセス数を有する複数のトランスポートブロックであって、所定の関係にある、複数のトランスポートブロック、に対応すること、を含む。
【００２４】
前記第１又は第２の可能な実施方法に関する、第３の可能な実施方法において、前記トランスポートブロック対コードワードマッピングはさらに、送信に使用されるレイヤ数が２である場合であって、２つのトランスポートブロックが最初に送信される場合、又は前の送信中の前記ＲＩが２であり且つ前記２つのトランスポートブロックの双方を再送する必要があり且つ前記２つのトランスポートブロックのプロセス数の間の差が第１の固定値である場合に、特殊コードワードに対応するトランスポートブロックのプロセス数及び特殊でないコードワードに対応するトランスポートブロックのプロセス数は異なり、且つ前記２つのプロセス数の間の差は前記第１の固定値である、ということを含む。
【００２５】
前記第２又は第３の可能な実施方法に関する、第４の可能な実施方法において、前記方法は：送信に使用されるレイヤ数が２であり、且つ現在の送信がＲＩ＞２である前の送信における複数のコードワードの一部の再送である場合に、前記データ送信関連制御情報を含むパケットの少なくとも１つの制御情報フィールドを特殊表示に設定するステップであって、該特殊表示は、送信に使用されるレイヤ数が２である場合に、前記特殊でないコードワードの中の前記トランスポートブロック及び前記特殊コードワードの中の前記トランスポートブロックの前記複数のプロセス数が同じである又は所定の関係にある（例えば、前記複数のプロセス数の間の差が第２の固定値である）ことを識別するために使用される、設定するステップ；又は前記データ送信関連制御情報を含むパケットにビットを加えるステップであって、前記ビットは、送信のために使用される前記レイヤ数が２であり且つ前記現在の送信がＲＩ＞２である前記前の送信における複数のコードワードの一部の再送である場合において、前記特殊表示を送信するために使用される、ステップ；をさらに含む。
【００２６】
前記第７の態様及び前記最初の４つの可能な実施方法のうちのいずれか１つに関する、第５の実施方法において、互いに再送結合プロセスである２つのプロセス双方について、前記送信機により受信されるＨＡＲＱ送達確認情報がＡＣＫであった場合に、前記送信機は、前記２つのプロセスにより送信される複数のコードワードは両方とも正しく復号されたと判定し、そうでなければ、再送の最大数に達していない場合に、前記２つのプロセスにより送信された前記複数のコードワードを再び再送する。
【００２７】
第８の態様において、本発明の実施例は、送信機により送信されたコードワード及びデータ送信関連制御情報を受信機により受信するステップであって、前記データ送信関連制御情報は、ＲＩ及びプロセス数表示を含む、受信するステップ；及び前記ＲＩ、前記プロセス数表示、及びトランスポートブロック対コードワードマッピングに従って、前記コードワードに対応するトランスポートブロックの組み合わせを識別するステップ；を含むデータ再送方法を提供する。
【００２８】
前記第８の態様に関する、第１の可能な実施方法において、前記ＲＩ、前記プロセス数表示、及びトランスポートブロック対コードワードマッピングに従って、前記コードワードに対応するトランスポートブロックの組み合わせを識別する前記ステップは：前記ＲＩが２である場合に、プロセス数表示により示されたプロセスの再送結合プロセスに対応するバッファされたデータが正しく復号されたかどうか確認するステップ；前記バッファされたデータが正しく復号されなかった場合に、特殊でないコードワードの中のトランスポートブロックのプロセス数と前記プロセス数表示の中のプロセス数が同じであるか又は所定の関係にあることを識別するステップ；前記バッファされたデータが正しく復号されなかった場合に、前記特殊でないコードワードの中の前記トランスポートブロックの前記プロセス数と前記プロセス数表示の中の前記プロセス数との間の差が第１の固定値であることを識別するステップ；を含む。
【００２９】
前記第８の態様に関する、第２の可能な実施方法において、前記ＲＩ、前記プロセス数表示、及びトランスポートブロック対コードワードマッピングに従って、前記コードワードに対応するトランスポートブロックの組み合わせを識別する前記ステップは：前記ＲＩが２である場合に、前記データ送信関連制御情報のパケットが特殊表示で構成されているかどうかを確認するステップ；前記パケットが前記特殊表示で構成されている場合に、特殊でないコードワードの中のプロセス数及び前記プロセス数表示におけるプロセス数が同じであるか又は所定の関係にあることを識別するステップ；前記パケットが前記特殊表示で構成されていない場合に、前記特殊でないコードワードの中の前記トランスポートブロックの前記プロセス数と前記プロセス数表示の中の前記プロセス数との間の差が第１の固定値であることを識別するステップであって、前記特殊表示は、送信に使用されるレイヤ数が２である場合に、前記特殊でないコードワードの中の前記トランスポートブロック及び前記特殊コードワードの中の前記トランスポートブロックの前記複数のプロセス数が同じであるか又は所定の関係にあることを識別するために使用される、識別するステップ；を含む。
【００３０】
前記第８の態様及び前記最初の２つの可能な実施方法のうちのいずれか１つに関する、第３の可能な実施方法において、前記方法は：前記現在の送信において使用されるレイヤ数が２であり且つ前記受信機により受信される２つのコードワードの中の前記複数のトランスポートブロックに対応する前記複数のプロセスが互いに前記再送結合プロセスである場合であって、且つ前記２つのコードワードの中の前記複数のトランスポートブロックの双方が正しく復号される場合であり且つその場合に限り、前記受信機により、前記２つのコードワードに対するＡＣＫを前記送信機に対して同時にフィードバックするステップ、及びそうでなければ、同時にＮＡＣＫをフィードバックするステップ；をさらに含む。
【００３１】
第９の態様において、本発明の実施例は、複数のコードワードの一部又は複数のコードワードの全てが再送される必要がある場合に、送信に使用されるレイヤ数が前記複数のコードワードの一部を再送するために占有される必要のあるレイヤ数又は前記複数のコードワードの全てのうちの一部を再送するために占有される必要のあるレイヤ数であると決定するように構成される第１決定部；レイヤマッピングにより、再送される必要のある前記複数のコードワードの一部又は再送される必要のある前記複数のコードワードの全てのうちの一部に含まれる複数のトランスポートブロックを、送信に使用される、前記第１決定部により決定される、レイヤ数に対応する各トランスポートレイヤに割り当てるように構成される割当部；及びデータ送信関連制御情報を受信機に対して送信するように構成される送信部であって、前記データ送信関連制御情報はランク表示ＲＩ及びプロセス数表示を含む、送信部；を備える送信機を提供する。
【００３２】
前記第９の側面に関する、第１の可能な実施方法において、前記送信機はさらに設定部を備え、前記設定部は、送信に使用されるレイヤ数が２であり且つＲＩ＞２である前の送信における複数のコードワードの一部が現在の送信において再送される場合に、前記データ送信関連制御情報を含むパケットの少なくとも１つの制御情報フィールドを特殊表示に設定し、該特殊表示は、送信に使用されるレイヤ数が２である場合に、特殊でないコードワードの中のトランスポートブロック及び特殊コードワードの中のトランスポートブロックの複数のプロセス数は同じであるか又は所定の関係にあることを識別するようにさらに構成される；又は前記データ送信関連制御情報を含むパケットにビットを追加するようにさらに構成され、送信に使用されるレイヤ数が２であり且つ前記現在の送信がＲＩ＞２である前記前の送信における複数のコードワードの一部の再送のための送信である場合に、前記ビットは前記特殊表示を送信するために使用される。
【００３３】
前記第９の側面及び前記第１の可能な実施方法に関する、第２の可能な実施方法において、前記送信機は：プロセスに対するＨＡＲＱ送達確認情報を受信するように構成される受信部；及び互いに再送結合プロセスである２つのプロセス双方に対する、前記受信部により受信されるＨＡＲＱ送達確認情報がＡＣＫである場合に、前記２つのプロセスにより送信される複数のコードワードの双方は正しく復号されたと決定し；そうでなければ、前記２つのプロセスにより送信される前記複数のコードワードの双方は再送される必要があると決定するように構成される、第２決定部；をさらに備える。
【００３４】
第１０の態様において、本発明の実施例は、送信機により送信されるコードワード及びデータ送信関連制御情報を受信するように構成される受信部であって、前記データ送信関連制御情報はＲＩ及びプロセス数表示を含む、受信部；及び前記ＲＩ、前記プロセス数表示、及びトランスポートブロック対コードワードマッピングに従って、前記コードワードに対応するトランスポートブロックの組み合わせを識別するように構成される識別部；を備える受信機を提供する。
【００３５】
第１０の態様に関する、第１の可能な実施方法において、前記受信機は：前記現在の送信において使用されるレイヤ数が２であり且つ前記受信機により受信される２つのコードワードの中の複数のトランスポートブロックに対応する複数のプロセスが互いに再送結合プロセスである場合であって、且つ前記２つのコードワードの中の前記複数のトランスポートブロックの双方が正しく復号された場合であり且つその場合に限り、前記２つのコードワードに対するＡＣＫを前記送信機に同時にフィードバックし、そして、そうでなければ同時にＮＡＣＫをフィードバックするように構成されるフィードバック部；をさらに備える。
【００３６】
第１１の側面において、本発明の実施例は、送信機及び受信機を含むデータ再送システムをさらに提供する。前記送信機は、再送されるコードワードにより占有される必要のあるレイヤ数が前記送信機により使用するために選択されたレイヤ数より少なく、且つ新しいデータを送信する必要がない場合において、前記送信機が選択した前記レイヤ数と前記コードワードを再送するために占有される必要のある前記レイヤ数との間の差に従って、特殊コードワードであって、該特殊コードワードに含まれるトランスポートブロックの数は前記差に等しい、特殊コードワード、を決定し；且つレイヤマッピングにより、再送される必要のある前記コードワード及び前記決定部により決定された前記特殊コードワードを各トランスポートレイヤに割り当てるように構成される。
【００３７】
前記第１１の側面に関する、第１の可能な実施方法において、前記送信機は、特殊コードワード送信表示を前記受信部に送信するようにさらに構成され、且つ前記特殊コードワード送信表示は、現在のデータ送信が特殊コードワードを含むことを示すために使用される。
【００３８】
前記受信機は、前記送信機により送られる、複数のコードワード、データ送信関連制御情報、及び前記特殊コードワード送信表示を受信するように構成され、前記データ送信関連制御情報はプロセス数表示を含み、前記複数のコードワードは、前記再送されるコードワード及び前記特殊コードワードを含み、且つ前記特殊コードワード送信表示は現在のデータ送信が特殊コードワードを含むことを識別するために使用され；且つ前記特殊コードワード送信表示を検出した際に、前記プロセス数表示に従って、前記複数のコードワードにおいて、前記再送されるコードワード及び／又は前記特殊コードワードを識別するように構成される。
【００３９】
前記第１１の側面に関する、第２の可能な実施方法において、前記送信機は、特殊コードワード送信表示を前記受信機に送信するようにさらに構成され、且つ前記特殊コードワード送信表示は、現在のデータ送信が特殊コードワードを含むことを示すために使用される。
【００４０】
前記受信機は、前記送信機から送信される複数のコードワード及び特殊コードワード送信表示を受信するように構成され、前記複数のコードワードは：前記再送コードワード及び前記特殊コードワードを含み、且つ前記特殊コードワード送信表示は、前記現在のデータ送信が特殊コードワードを含むことを識別するために使用され且つどのコードワードが前記特殊コードワードであるかを識別するため又はどのコードワードが前記再送されるコードワードであるかを識別するために使用され；且つ前記特殊コードワード送信表示に従って、前記複数のコードワードの中の前記再送されるコードワード及び／又は前記特殊コードワードを識別するように構成される。
【００４１】
第１２の態様において、本発明の実施例は、送信機及び受信機を含むデータ再送システムを提供する。前記送信機は、複数のコードワードの一部又は複数のコードワードの全てが再送される必要がある場合に、送信に使用されるレイヤ数が前記複数のコードワードの一部を再送するために占有される必要のあるレイヤ数又は前記複数のコードワードの全てのうちの一部を再送するために占有される必要のあるレイヤ数であると決定するように構成され；レイヤマッピングにより、再送される必要のある前記複数のコードワードの一部又は再送される必要のある前記複数のコードワードの全てのうちの一部に含まれる複数のトランスポートブロックを、送信に使用される決定されたレイヤ数に対応する各トランスポートレイヤに割り当てるように構成され；且つデータ送信関連制御情報を前記受信機に対して送信するように構成され、前記データ送信関連制御情報はランク表示ＲＩ及びプロセス数表示を含む。
【００４２】
前記受信機は、送信機により送信されるコードワード及びデータ送信関連制御情報を受信するように構成され、前記データ送信関連制御情報はＲＩ及びプロセス数表示を含み；且つ前記ＲＩ、前記プロセス数表示、及びトランスポートブロック対コードワードマッピングに従って、前記コードワードに対応するトランスポートブロックの組み合わせを識別するように構成される。
【００４３】
本発明の複数の実施例はＭＩＭＯベースのデータ再送方法、装置、及びシステムを提供する。解決手段は：送信機がデータを再送する必要がある場合であり、且つ再送される前記データにより必要とされるレイヤ数が前記送信機により選択されたレイヤ数よりも小さく且つ新しいデータを再送する必要がない場合に、特殊コードワードが送信され、これによりこの特殊な場合においてデータの再送が正常に行われる、というものである。他の解決手段は：データ再送処理方法において、送信機が複数のコードワードの一部又は複数のコードワードの全てを送信する必要がある場合に、前記送信機は、送信に使用されるレイヤ数は、前記複数のコードワードの一部の再送のために占有される必要のあるレイヤ数又は前記複数のコードワードの全てのうちの一部の再送のために占有される必要のあるレイヤ数であると決定し、これにより使用されるレイヤ数がコードワードを再送するのに必要とされるレイヤ数より大きくなるという場合を回避し、これによりデータの再送の正常な実行を可能とする、というものである。
【図面の簡単な説明】
【００４４】
【図１】４アンテナＭＩＭＯ技術における基本的なデータ送信のフローチャートである；
【００４５】
【図２】本発明の実施例により提供されるデータ再送方法の概略フローチャートである；
【００４６】
【図３】本発明の実施例により提供される他のデータ再送方法の概略フローチャートである；
【００４７】
【図４】本発明の実施例により提供される他のデータ再送方法の概略フローチャートである；
【００４８】
【図５】本発明の実施例により提供される他のデータ再送方法の概略フローチャートである；
【００４９】
【図６】本発明の実施例により提供される送信機の概略構成図である；
【００５０】
【図７】本発明の実施例により提供される受信機の概略構成図である；
【００５１】
【図８】本発明の実施例により提供される他の受信機の概略構成図である；
【００５２】
【図９】本発明の実施例により提供される他のデータ再送方法の概略フローチャートである；
【００５３】
【図１０】本発明の実施例により提供される他のデータ再送方法の概略フローチャートである；
【００５４】
【図１１】本発明の実施例により提供される他の送信機の概略構成図である；
【００５５】
【図１２】本発明の実施例により提供される他の受信機の概略構成図である；
【００５６】
【図１３】複数のトランスポートブロックの複数のプロセス数の例の図である。
【発明を実施するための形態】
【００５７】
以下において、本発明の複数の実施例における複数の添付図面を参照して本発明の複数の実施例における複数の技術的解決手段を明確に説明する。明らかに、説明される複数の実施例は、本発明の全ての実施例ではなく、単なる一部である。創造的な努力をすることなく、本発明の複数の実施例に基づき、当業者によって得られる全ての他の実施例は、本発明の保護範囲に属さなければならない。
【００５８】
本発明の全ての実施例は、送信機が基地局であってもよく且つ受信機が端末であってもよい下りリンクのデータ送信処理におけるデータ再送に対して適用可能であり；そしてまた、送信機が端末であってもよく且つ受信機が基地局であってもよい上りリンクのデータ送信処理におけるデータ再送に対して適用可能である、ということに注意すべきである。
【００５９】
本発明の実施例は、ＭＩＭＯベースのデータ再送方法を提供し、そして図２において示されるように、方法は以下の複数のステップを含んでもよい。
【００６０】
Ｓ１０１：送信されるコードワードにより占有される必要のあるレイヤ数が送信機により使用するために選択されるレイヤ数よりも小さく、かつ送信される必要のある新しいデータがない場合に、送信機は、当該送信機により選択されるレイヤ数とコードワードの再送のために占有される必要のあるレイヤ数との間の差にしたがって、特殊コードワードを決定する。
【００６１】
本発明の全ての実施例において、レイヤ数（ｎｕｍｂｅｒ  ｏｆ  ｌａｙｅｒｓ）はデータフロー数（ｎｕｍｂｅｒ  ｏｆ  ｄａｔａ  ｆｌｏｗｓ）、又は略してフロー数（ｎｕｍｂｅｒ  ｏｆ  ｆｌｏｗｓ）とも呼ばれる。
【００６２】
特殊コードワードの中に含まれるトランスポートブロックの数は、前記差に等しい。特殊コードワードとは、通常のコードワード以外の任意のコードワードのことであり、そして通所のコードワードとは、送信機が実際に受信機に送信する必要のあるデータが配置されるコードワードのことである。
【００６３】
ＭＩＭＯシステムに基づき、送信機は、以下の方法において、どの複数のコードワードを再送する必要があるか、決定してもよい。
【００６４】
送信機は、前回送信されたコードワード（ＣＷ、ｃｏｄｅｗｏｒｄ）及びチャネル状態情報について、受信機によりフィードバックされたＨＡＲＱ−ＡＣＫ（ｈｙｂｒｉｄ  ａｕｔｏｍａｔｉｃ  ｒｅｐｅａｔ−ｒｅｑｕｅｓｔ  ａｃｋｎｏｗｌｅｄｇｅｍｅｎｔ、ハイブリッド自動再送要求送達確認）情報を受信する。
【００６５】
ＨＡＲＱ送達確認情報は、ＡＣＫ又はＮＡＣＫを含む。ＨＡＲＱ送達確認情報がＡＣＫを含む場合、それは、ＨＡＲＱ送達確認情報に対応するコードワードが正常に送信されたことを示す。ＨＡＲＱ−ＡＣＫ情報がＮＡＣＫを含む場合、それは、ＨＡＲＱ送達確認情報に対するコードワードの送信が成功しなかったこと、及び再送される必要があることを示す。
【００６６】
チャネル状態情報は、ＲＩ（Ｒａｎｋ Ｉｎｄｉｃａｔｉｏｎ、ランク指標）を含む。さらに、チャネル状態情報は、追加的にＰＣＩ（Ｐｒｅｃｏｄｉｎｇ  Ｃｏｎｔｒｏｌ  Ｉｎｄｉｃａｔｏｒ、プリコーディング制御指標）及びＣＱＩ（Ｃｈａｎｎｅｌ  Ｑｕａｌｉｔｙ  Ｉｎｄｉｃａｔｏｒ、チャネル品質指標）を含んでもよい。また、ＲＩはＬＩ（Ｌａｙｅｒ  ｎｕｍｂｅｒ  Ｉｎｄｉｃａｔｉｏｎ、レイヤ数表示）により示されてもよい。
【００６７】
前述のシナリオにおける、再送されるコードワードにより占有される必要のあるレイヤ数が送信機により使用するために選択されるレイヤ数よりも小さく且つ新しいデータを送信する必要がない場合とは、前回送信された複数のコードワードの中の複数のコードワードの一部に対してフィードバックされるＨＡＲＱ送達確認情報はＮＡＣＫであり、当該複数のコードワードの一部を再送するために必要なレイヤ数は送信機により選択されたレイヤ数より小さく、且つ新しいデータを送信する必要がない場合であってもよい。
【００６８】
一般に、送信機は、再送される必要のある各コードワードに対応するレイヤ数又はＴＢの数が変化しないこと、及びコードワードの系列が変化しないままであることに従って、再送される必要のあるコードワードに対するレイヤ数を選択する。
【００６９】
一例として、４×４ＭＩＭＯシステムを考慮すると、レイヤマッピングはＴａｂｌｅ  １に示される。
【表１】
2015530012.tif 000022
【００７０】
表１のレイヤマッピングによると、本発明の実施例において、前回送信された複数のコードワードの中の複数のコードワードの一部に対してフィードバックされるＨＡＲＱ送達確認情報がＮＡＣＫであるというシナリオについて、前回の送信により使用されるレイヤ数が２又は３又は４であり、かつ複数のコードワードの一部がＣＷ１又はＣＷ２であるということが起こり得る、ということを理解することができる。
【００７１】
例えば、前回送信されたＣＷ２に対してフィードバックされるＨＡＲＱ送達確認情報がＮＡＣＫであり、且つＣＷ１に対してフィードバックされるＨＡＲＱ送達確認情報がＡＣＫである場合、ＣＷ２を再送する必要があることを示し、かつ再送において必要となるレイヤ数は２である。再送されるコードワードの系列を変化しないままとするために、すなわち、この送信において再送されるコードワードを依然としてＣＷ２とするには、この場合において、明らかに、ＣＷ２を再送するために必要となるレイヤ数は、選択されたレイヤ数よりも小さくなる。この場合、新しいデータを送信する必要がない場合には、再送を正常に実行することはできない；しかしながら、この問題は、本発明の実施例の技術的解決手段を使用することにより解決することができる。具体的な解決手段は、以下の通りである：
【００７２】
コードワード系列及びレイヤマッピングに従って選択されたレイヤ数が３である場合、選択されたレイヤ数（３である）とＣＷ２の再送のために必要なレイヤ数（２である）との差は１であり、そのため、当該差に従って定められる、現在の送信における特殊コードワードに含まれるトランスポートブロック数は１でなければならず、これにより特殊コードワードを決定する；或いは
【００７３】
コードワード系列及びレイヤマッピングに従って選択されたレイヤ数が４である場合、選択されたレイヤ数（４である）とＣＷ２の再送のために必要なレイヤ数との間の差は２であり、そのため、当該差に従って定められる、現在の送信における特殊コードワードに含まれるトランスポートブロック数は２でなければならず、これにより特殊コードワードを決定する。
【００７４】
例えば、前回送信されたＣＷ１に対してフィードバックされるＨＡＲＱ送達確認情報がＮＡＣＫであり、ＣＷ２に対してフィードバックされるＨＡＲＱ送達確認情報がＡＣＫである場合、それは、ＣＷ１を再送する必要があることを示し、かつ再送において必要とされるレイヤの数は２である。再送されるコードワードの系列を変化しないままとするため、すなわち、この送信における再送されるコードワードを依然としてＣＷ１とするために、この場合において、送信機により選択されるレイヤ数は４であってもよく、このため、明らかに、ＣＷ１を再送するために必要となるレイヤ数は、選択されたレイヤ数よりも小さくなる。この場合、新しいデータを送信する必要がない場合には、再送を正常に行うことはできない；しかしながら、本発明の実施例の技術的解決手段を使用することにより、この問題を解決することができる。具体的な解決手段は以下の通りである：
【００７５】
選択されたレイヤ数（４である）とＣＷ１を再送するのに必要なレイヤ数（２である）との差は２であり、当該差に従って決定される現在の送信における特殊コードワードの中のトランスポートブロックの数は２でなければならず、これにより特殊コードワードを決定する。
【００７６】
例えば、前回ＣＷ２に対してフィードバックされたＨＡＲＱ送達確認情報がＮＡＣＫであり、かつＣＷ１に対してフィードバックされたＨＡＲＱ送達確認情報がＡＣＫである場合、このことは、ＣＷ２を再送する必要があることを示し、そして再送において必要となるレイヤ数は２である。再送されるコードワードの系列を変化しないままとするため、つまり、この送信において再送されるコードワードが依然としてＣＷ２であるとするには、この場合において、送信機により選択され得るレイヤ数は３又は４であり、これにより、明らかに、ＣＷ２を再送するために必要となるレイヤ数は、選択されたレイヤ数よりも小さくなる。この場合において、新しいデータを送信する必要がない場合には、再送を正常に行うことができない；しかしながら、本発明の実施例の技術的解決手段を使用することにより、この問題を解決することができる。具体的な解決手段は以下の通りである。
【００７７】
選択されたレイヤの数が３である場合、選択されたレイヤ数（３である）とＣＷ２の再送に必要なレイヤ数（２である）との間の差は１であり、このため当該差に従って決定される現在の送信における特殊コードワードの中に含まれるトランスポートブロックの数は１でなければならず、これにより特殊コードワードを決定する。
【００７８】
選択されたレイヤ数が４である場合、選択されたレイヤ数（４である）とＣＷ２の再送に必要なレイヤ数（２である）との差は２であり、このため当該差に従って決定される現在の送信における特殊コードワードに含まれるトランスポートブロックの数は２でなければならず、これにより特殊コードワードを決定する。
【００７９】
例えば、前回送信されたＣＷ２に対してフィードバックされたＨＡＲＱ送達確認情報がＮＡＣＫであり、且つＣＷ１に対してフィードバックされるＨＡＲＱ送達確認情報がＡＣＫである場合、このことは、ＣＷ２を再送する必要があること、及び再送に必要なレイヤ数が１であることを示す。再送されるコードワードの系列を変化しないままとするために、つまり、今回の送信における再送されるコードワードをＣＷ２のままとするために、この場合において、送信機により選択されるレイヤ数は２であってもよく、このため、明らかに、ＣＷ２を再送するために必要なレイヤ数は、選択されたレイヤ数よりも小さい。この場合、新しいデータを送信する必要がない場合には、再送を正常に行うことはできない；しかしながら、本発明の実施例の技術的解決手段を使用することにより、この問題を解決することができる。具体的な解決手段は以下の通りである。
【００８０】
選択されたレイヤ数（２である）とＣＷ２を再送するのに必要なレイヤ数（１である）との差は１であり、当該差に従って決定される現在の送信における特殊コードワードの中のトランスポートブロックの数は１でなければならず、これにより特殊コードワードを決定する。
【００８１】
選択的に、特殊コードワードは仮想コードワードであってもよく、当該仮想コードワードは空の情報であり、そして空の情報に対応するレベルは０であり、これは、例えば、ＤＴＸ（Ｄｉｓｃｏｎｔｉｎｕｏｕｓ  Ｔｒａｎｓｍｉｓｓｉｏｎ、間欠送信）情報であってもよい。仮想コードワードは、必要に従って、１つのトランスポートブロック又は２つのトランスポートブロックを含んでもよい。
【００８２】
選択的に、特殊コードワードは充填コードワードであり、且つ充填コードワードは、任意の空でない情報であり、これは、例えば、ＡＣＫフィードバックの受信に伴い繰り返し送信されるコードワード、又は固定されたビットの系列、又は任意の空でない情報であってもよい。変調方式、トランスポートブロック長、及び冗長バージョン番号等の、充填コードワードの情報は、ランダムに構成されてもよい、ということに注意すべきである。同様に、特殊コードワードもまた、必要に応じて１つのトランスポートブロック又は２つのトランスポートブロックを含んでもよい。
【００８３】
Ｓ１０２：送信機は、レイヤマッピングにより、各トランスポートレイヤに対して、再送される必要のあるコードワード及び特殊コードワードを割り当てる。
【００８４】
Ｓ１０２において決定される特殊コードワードから、再送される必要のあるコードワードに含まれる複数のトランスポートブロック及び特殊コードワードに含まれる複数のトランスポートブロックの総数は、選択される再送レイヤの数と一致し、これにより送信機が通常の再送処理を実行することができる、ということが理解できる。
【００８５】
選択的に、図３において示されるように、データ再送方法は、以下のステップをさらに含んでもよい。
【００８６】
Ｓ１０３：特殊コードワード送信表示を受信機に送信する。
【００８７】
特殊コードワード送信表示は、現在のデータ送信が特殊コードワードを含むことを識別するために使用される。さらに、特殊コードワード送信表示は、どのコードワードが特殊コードワードであるかを識別するため、及び／又はどのコードワードが再送コードワードであるかを識別するために使用される。
【００８８】
送信機は、さらに、従来技術によると、受信機が正常に復号化を実行できるようにするために、データ送信関連制御情報を受信機に送信する、ということに注意すべきである。一般に、データ送信関連制御情報は、プロセス数表示（ＨＡＰＩ、ＨＡＲＱ  ｐｒｏｃｅｓｓ  ｉｎｄｉｃａｔｉｏｎ）、変調表示（ＭＩ、Ｍｏｄｕｌａｔｉｏｎ  ｉｎｄｉｃａｔｉｏｎ）、ランク表示（ＲＩ、ｒａｎｋ  ｉｎｄｉｃａｔｉｏｎ；  これはまた、レイヤ数表示、ＬＩ（Ｌａｙｅｒ  ｎｕｍｂｅｒ  ｉｎｄｉｃａｔｉｏｎ）によっても示される）、トランスポートブロック長表示（ＴＢＳ、ｔｒａｎｓｐｏｒｔ  ｂｌｏｃｋ  ｓｉｚｅ）等を含む。
【００８９】
選択的に、この方法が下りリンクのデータ送信に適用される場合、ステップＳ１０３において、送信機が特殊コードワード送信表示を受信機に送信することは、特殊コードワード送信表示を受信機に送信するために、送信機がＨＳ−ＳＣＣＨ（Ｈｉｇｈ  Ｓｐｅｅｄ  Ｐｈｙｓｉｃａｌ  Ｄｏｗｎｌｉｎｋ  Ｓｈａｒｅｄ  Ｃｏｎｔｒｏｌ  Ｃｈａｎｎｅｌ、高速物理下りリンク共有制御チャネル）において特殊コードワード送信表示を送信することを含んでもよい。
【００９０】
送信機が特殊コードワード送信表示をＨＳ−ＳＣＣＨにおいて送信する方法については、以下の２つの方法のうち、いずれか１つが採用されてもよい。
【００９１】
第１の方法において、データ送信関連制御情報を含むパケットにビットが追加され、且つ特殊コードワード送信表示を識別するために使用され、そしてパケットはＨＳ−ＳＣＣＨにおいて送信される。
【００９２】
データ送信関連制御情報を含むパケットのフォーマットに対して、表Ａを参照してもよい。
【表２】
2015530012.tif 000023
【００９３】
ここで、ＣＣＳはチャネル化コードセット（Ｃｈａｎｎｅｌｉｚａｔｉｏｎ−ｃｏｄｅ−ｓｅｔ）であり、ＭＩは、変調情報（ｍｏｄｕｌａｔｉｏｎ  ｉｎｆｏｒｍａｔｉｏｎ）を表し、ＨＡＰＩは、ＨＡＲＱプロセス情報（Ｈｙｂｒｉｄ−ＡＲＱ  ｐｒｏｃｅｓｓ  ｉｎｆｏｒｍａｔｉｏｎ）を表し、そしてＲＶは、冗長及びコンステレーションバージョン（Ｒｅｄｕｎｄａｎｃｙ  ａｎｄ  ｃｏｎｓｔｅｌｌａｔｉｏｎ  ｖｅｒｓｉｏｎ）である。
【００９４】
このように、特殊コードワード送信表示を識別するために、表Ａにより示されるパケットの中の第１の部分及び／又は第２の部分にビットが加えられてもよい。
【００９５】
第２の方法において、特殊コードワード送信表示を識別するために、データ送信関連制御情報を含むパケットの中の少なくとも１つの制御情報フィールドは特殊な値に設定され、そして当該パケットはＨＳ−ＳＣＣＨにおいて送信される。特殊な値は、特殊なビット系列であってもよい、つまり、正常な場合においては使用されないビット系列であってもよい。例えば、０−２９は、正常な場合の変調情報を示すために使用され、３０又は３１が特殊な値であると仮定される。
【００９６】
コントロール情報フィールドとは、パケットの中でありかつ表示を送信するために使用される対応するビット系列のことを言う。例えば、ＣＣＳにより占有される７ビットは、ＣＣＳフィールドと呼ばれてもよい。
【００９７】
例えば、ＣＣＳフィールド、ＴＢＳフィールドなどの間の１つ以上のフィールドにおいて特殊な値が設定される。
【００９８】
使用されなければならないレイヤ数がコードワードの再送に必要なレイヤ数よりも大きく、且つ新しいデータを送信する必要がない場合において、ステップＳ１０１−Ｓ１０２により、又はさらにＳ１０３により、送信機は正常にデータ再送を実行することができる。以下、受信機がどのようにしてコードワードを正しく識別するかについて、２つの適用可能な解決手段を詳細に説明する。
【００９９】
解決手段１：特殊コードワード送信表示は現在のデータ送信が特殊コードワードを含むことを識別するためにのみ使用されるが、どのコードワードが特殊コードワードであるかを特定しない場合について。
【０１００】
図４に示されるように、受信機は以下の複数のステップを実行してもよい。
【０１０１】
Ｓ２０１：受信機は、送信機により送信される、複数のコードワード、データ送信関連制御情報、及び特殊コードワード送信表示を受信する。
【０１０２】
データ送信関連制御情報はプロセス番号表示を含み、そして、前述の説明を参照することにより、確かにまた、変調表示等の他の情報を含んでもよい。複数のコードワードは、再送されたコードワード及び特殊コードワードを含む。特殊コードワード送信表示は、現在のデータ送信が特殊コードワードを含むことを示すために使用される。
【０１０３】
特殊コードワード送信表示は、どのコードワードが特殊コードワードであるかを示さず、このため受信機は、再送されるコードワードを復号するために、Ｓ２０２により、特殊コードワード及び再送されるコードワードを特定する必要がある。
【０１０４】
Ｓ２０２：特殊コードワード送信表示を検出すると、受信機は、プロセス数表示に従って、複数のコードワードの中の再送されたコードワード及び／又は特殊コードワードを識別する。
【０１０５】
このステップは、特殊コードワード送信表示を検出すると、受信機が、プロセス数表示により示されるプロセス又は当該プロセスに関連付けられるプロセスに対応するバッファされたデータが正しく復号されるかどうかに従い、当該示されたプロセス又は関連付けられたプロセスに対応するトランスポートブロックが特殊コードワード又は再送されるコードワードに属するかどうかを識別する、ということを含んでもよい。
【０１０６】
本発明の実施例において、プロセスＩに関連するプロセスとは、プロセスであって、そのプロセス数とプロセスＩのそれとの間の差が第１の固定値である、プロセス、のことを言う。具体的には、プロセス数表示におけるプロセス数がｋである場合、当該プロセスに関連付けられたプロセスとは、（ｋ＋Ｎ１）ｍｏｄ（Ｎ２）であるプロセス数を有するプロセスのことを言う。Ｎ１は第１の固定値であり、Ｎ２は第２の固定値であり、そして第２の固定値は第１の固定値の２倍である。
【０１０７】
選択的に、このステップは、具体的には：特殊コードワード送信表示を検出すると、受信機は、プロセス数表示により表示されるプロセスに対応するバッファされたデータが正しく復号されたか判定する；そうでない場合、すなわち、前のデータ送信において、このプロセスに対応するトランスポートブロックが正しく復号されなかった場合、現在のデータ送信における示されたプロセスに対応するトランスポートブロックが再送されるコードワードに属し、且つ他のプロセスに対応する複数のトランスポートブロックが特殊コードワードに属すことを識別するために、現在の送信におけるこのプロセスにおいて、データの再送が確かに実行される；或いは、そうであった場合、すなわち、前のデータ送信においてプロセスが正しく復号された場合、示されたプロセスに対応するトランスポートブロックは特殊コードワードに属し、かつ他のプロセスに対応する複数のトランスポートブロックは再送されるコードワードに属すことが識別される；ということである。
【０１０８】
選択的に、このステップは、具体的には：プロセス数表示により示されたプロセスに関連するプロセスに対応するバッファされたデータが正しく復号されたかどうかを受信機が判定し；バッファされたデータが正しく復号されなかった場合、すなわち、前のデータ送信において、当該関連するプロセスに対応するトランスポートブロックが正しく復号されなかった場合、現在のデータ送信における関連するプロセスに対応するトランスポートブロックが再送されるコードワードに属し、且つ他のプロセスに対応する複数のトランスポートブロックが特殊コードワードに属すということを識別するために、現在の送信において、関連するプロセスについてのデータ再送が確かに実行される；或いは、バッファされたデータが正しく復号された場合、すなわち、前のデータ送信において、関連するプロセスが正しく復号された場合、関連するプロセスに対応するトランスポートブロックは特殊コードワードに属し、かつ他のプロセスに対応する複数のトランスポートブロックは、再送する必要のあるコードワードに属すことが識別される；ということである。
【０１０９】
このように、ステップ２０１及び２０２により、受信機は、送信機により再送されるデータを正常に受信することができ、そしてどのコードワードが特殊コードワードであるか不明な場合、どれが特殊コードワードであり、そしてどれが再送されたコードワードであるかを識別することができる。
【０１１０】
解決手段２：特殊コードワード送信表示が現在のデータ送信が特殊コードワードを含むことを識別するために使用されるだけでなく、どのコードワードが特殊コードワードであるかを識別するため及び／又はどのコードワードが再送されるコードワードであるかを識別するために使用される場合について。
【０１１１】
図５に示されるように、受信機は、以下の複数のステップを実行してもよい。
【０１１２】
Ｓ３０１：受信機は送信機により送信される複数のコードワード及び特殊コードワード送信表示を受信する。ここで、複数のコードワードは、再送されたコードワード及び特殊コードワードを含み、そして特殊コードワード送信表示は、現在のデータ送信が特殊コードワードを含むことを識別するために使用され、且つどのコードワードが特殊コードワードであるかを識別するため又はどのコードワードが再送されるコードワードであるかを識別するために使用される。
【０１１３】
Ｓ３０２：受信機は、特殊コードワード送信表示に従って、複数のコードワードの中の再送されたコードワード及び／又は特殊コードワードを識別する。
【０１１４】
このステップは、どのコードワードが特殊コードワードであるかを識別するために特殊コードワード送信表示が使用される場合に、受信機が特殊コードワード送信表示におけるコードワードが特殊コードワードであり、且つ他のコードワードが再送されたコードワードであることを識別できることを含む。
【０１１５】
どのコードワードが再送されたコードワードであるかを識別するために、特殊コードワード送信表示が使用される場合、受信機は、特殊コードワード送信表示の中のコードワードが再送されたコードワードであり、且つ他のコードワードが特殊コードワードであることを識別することができる。
【０１１６】
どのコードワードが特殊コードワードであり、且つどのコードワードが再送されるコードワードであるかを識別するために、特殊コードワード送信表示が使用される場合、受信機は、当該特殊コードワード送信表示に従って、特殊コードワード及び再送されたコードワードを識別することができる。
【０１１７】
このように、ステップ３０１及び３０２により、受信機は、送信機により再送されたデータを正常に受信することができ、そして特殊コードワード送信表示に従って、どれが特殊コードワードであり、そしてどれが再送されたコードワードであるかを識別することができる。さらに、復号化は、識別された、再送されたコードワードに対して実行されてもよい。
【０１１８】
本発明の実施例は、ＭＩＭＯベースのデータ再送方法を提供する。送信機がデータを再送する必要がある場合であって、且つ再送されるデータにより必要とされるレイヤ数が送信機により選択されたレイヤ数よりも少なく、そして新しいデータを送信する必要がない場合、特殊コードワードが送信され、これによりこの特定の場合において、データ再送が正常に実行される。
【０１１９】
本発明の実施例は、さらに、データ再送方法に対応する装置を提供する。
【０１２０】
図６に示されるように、本発明の実施例は：再送されるコードワードにより占有される必要のあるレイヤ数が送信機により選択されるレイヤ数よりも少なく、且つ新しいデータを送信する必要がない場合に、送信機により選択されるレイヤ数と前記コードワードを再送するために占有される必要のあるレイヤ数との間の差に従って、特殊コードワードを決定するように構成される決定部６１であって、前記特殊コードワードの中に含まれるトランスポートブロック数は、前記差に等しく、前記特殊コードワードは仮想コードワードであり且つ前記仮想コードワードは空の情報であるか、又は前記特殊コードワードは充填コードワードであり且つ前記充填コードワードは任意の空でない情報である、決定部６１；及びレイヤマッピングにより、各トランスポートレイヤに対して、再送される必要のあるコードワード及び特殊コードワードを割り当てるように構成される割当部６２；を備える送信機を提供する。
【０１２１】
さらに、送信機は：特殊コードワード送信表示を受信機に送信するように構成される送信部６３であって、前記特殊コードワード送信表示は特殊コードワードを含む現在のデータ送信を識別するために使用される、送信部６３；をさらに備えてもよい。
【０１２２】
送信機が基地局である場合、送信部６３は、具体的には、特殊コードワード送信表示を送信機（端末）に送信するために、ＨＳ−ＳＣＣＨにおいて特殊コードワード送信表示を送信するように構成されてもよい。
【０１２３】
選択的に、送信部は、特殊コードワード送信表示を識別するために、データ送信関連制御情報を含むパケットにビットを加え、且つＨＳ−ＳＣＣＨにおいて当該パケットを送信するように構成されてもよく；或いは、特殊コードワード送信表示を識別するために、データ送信関連制御情報を含むパケットの中の少なくとも１つの制御情報フィールドを特定の値に設定し、且つＨＳ−ＳＣＣＨにおいて当該パケットを送信するように構成されてもよい。
【０１２４】
選択的に、特殊コードワード送信表示は、さらに、どのコードワードが特殊コードワードであるか、又はどのコードワードが再送されたコードワードであるかを識別するために使用される。
【０１２５】
図７に示されるように、本発明の実施例は、前記送信機により送信される複数のコードワード、データ送信関連制御情報、及び特殊コードワード送信表示を受信するように構成される受信部７１であって、前記データ送信関連制御情報はプロセス数表示を含み、前記複数のコードワードは再送されたコードワード及び特殊コードワードを含み、且つ前記特殊コードワード送信表示は現在のデータ送信が特殊コードワードを含むことを示すために使用される、受信部７１；及び特殊コードワード送信表示を検出すると、プロセス数表示に従って、複数のコードワードの中の再送コードワード及び／又は特殊コードワードを識別するように構成される識別部７２；を含む受信機を提供する。
【０１２６】
識別部７２は、特殊コードワード送信表示を検出すると、プロセス数表示により示されるプロセスに又は当該プロセスに関連するプロセスに対応するバッファされたデータが正しく復号されたかどうかに従って、示されたプロセス又は関連するプロセスに対応するトランスポートブロックが特殊コードワード又は再送されたコードワードに属するかどうかを判定するように構成されてもよい。
【０１２７】
識別部７２は、具体的には、プロセス数表示により示されたプロセス又は当該プロセスに関連するプロセスに対応するバッファされたデータが正しく復号されたかどうか判定するように構成され；バッファされたデータが正しく復号されない場合、現在のデータ送信の中の示されたプロセス又は関連するプロセスに対応するトランスポートブロックは、再送されたコードワードに属すると識別し；或いはバッファされたデータが正しく復号された場合、現在のデータ送信の中の示されたプロセス又は関連するプロセスに対応するトランスポートブロックは、特殊コードワードに属すると識別するように構成される。
【０１２８】
図８に示されるように、本発明の実施例は、送信機により送信される複数のコードワード及び特殊コードワード送信表示を受信するように構成される受信部８１であって、前記複数のコードワードは、再送されたコードワード及び特殊コードワードを含み、且つ特殊コードワード送信表示は、現在のデータ送信が特殊コードワードを含むことを示すために使用され、かつどのコードワードが前記特殊コードワードであるか、又はどのコードワードが前記再送コードワードであるかを識別するために使用される、受信部８１；及び前記特殊コードワード送信表示に従って、前記複数のコードワードの中の前記再送されるコードワード及び／又は前記特殊コードワードを識別するように構成される識別部８２；を含む受信部をさらに提供する。
【０１２９】
本発明の実施例は、さらに、再送されるコードワードにより占有される必要のあるレイヤ数が送信機により選択されたレイヤ数よりも小さく且つ新しいデータを送信する必要がない場合に、送信機により選択されるレイヤ数と前記コードワードを再送するために占有される必要のあるレイヤ数との間の差であって、前記特殊コードワードに含まれるトランスポートブロック数に等しい、差、に従って、特殊コードワードを決定するように構成され；レイヤマッピングにより、再送される必要のあるコードワード及び特殊コードワードを各トランスポートレイヤに割り当てるように、さらに構成されるプロセッサ；を含む送信機を提供する。
【０１３０】
前記特殊コードワードは仮想コードワードであり、且つ前記仮想コードワードは空の情報である；又は前記特殊コードワードは充填コードワードであり、且つ前記充填コードワードは任意の空でない情報である。
【０１３１】
送信機は、受信機にコードワードを送信するように構成される送信コンポーネントをさらに含む。
【０１３２】
さらに、送信コンポーネントは、特殊コードワード送信表示を受信機に送信するようにさらに構成され、ここで特殊コードワード送信表示は、現在のデータ送信が特殊コードワードを含むことを識別するために使用される。
【０１３３】
送信機が基地局である場合、送信コンポーネントは、特殊コードワード送信表示を受信機（端末）に送信するために、ＨＳ−ＳＣＣＨにおいて特殊コードワード送信表示を送信するように構成される。
【０１３４】
選択的に、送信コンポーネントは、データ送信関連制御情報を含むパケットに、特殊コードワード送信表示を識別するためのビットを追加し、かつ前記パケットを前記ＨＳ−ＳＣＣＨにおいて送信するように構成されてもよく；或いは特殊コードワード送信表示を識別するために、データ送信関連制御情報を含むパケットの中の少なくとも１つの制御情報フィールドに、特定の値を設定し、且つ前記パケットをＨＳ−ＳＣＣＨにおいて送信するように構成されてもよい。
【０１３５】
選択的に、前記特殊コードワード送信表示は、どのコードワードが特殊コードワードであるかを識別するため、又はどのコードワードが再送されたコードワードであるかを識別するために、さらに使用される。
【０１３６】
本発明の実施例はさらに、前記送信機により送信される、複数のコードワード、データ送信関連制御情報、及び特殊コードワード送信表示を受信するように構成される受信コンポーネントであって、前記データ送信関連制御情報はプロセス数表示を含み、前記複数のコードワードは、再送されたコードワード及び特殊コードワードを含み、且つ前記特殊コードワード送信表示は、現在のデータ送信が特殊コードワードを含むことを識別するために使用される、受信コンポーネント；及び前記特殊コードワード送信表示を受信すると、前記プロセス数表示に従って、前記複数のコードワードの中の前記再送されたコードワード及び／又は特殊コードワードを識別するように構成されるプロセッサ；を備える受信機を提供する。
【０１３７】
プロセッサは、前記特殊コードワード送信表示を検出すると、プロセス数表示により示されるプロセス又は前記プロセスに関連するプロセスに対応するバッファデータが正しく復号されたかどうかに従って、前記示されたプロセス又は前記関連するプロセスに対応するトランスポートブロックが前記特殊コードワード又は前記再送されたコードワードに属するかどうかを識別するように構成されてもよい。
【０１３８】
プロセッサは、具体的には、前記プロセス数表示により示される前記プロセス又は前記プロセスに関連するプロセスに対応する前記バッファデータが正しく復号化されたかどうかを判定し；前記バッファされたデータが正しく復号されない場合に、現在のデータ送信の中の前記示されたプロセス又は前記関連するプロセスに対応するトランスポートブロックが前記再送されたコードワードに属することを識別し；或いは、バッファされたデータが正しく復号された場合に、前記現在のデータ送信の中の前記示されたプロセス又は前記関連するプロセスに対応するトランスポートブロックは、前記特殊コードワードに属することを識別するように構成されてもよい。
【０１３９】
本発明の実施例は、前記送信機により送信される複数のコードワード及び特殊コードワード送信表示を受信するように構成される受信コンポーネントであって、前記複数のコードワードは、再送されるコードワード及び特殊コードワードを含み、前記特殊コードワード送信表示は、現在のデータ送信が特殊コードワードを含むことを識別するために使用され、且つどのコードワードが特殊コードワードであるかを識別するため又はどのコードワードが再送されたコードワードであるかを識別するために使用される、受信コンポーネント；及び前記特殊コードワード送信表示に従って、複数のコードワードの中の送信されたコードワード及び／又は特殊コードワードを識別するように構成されるプロセッサ；を含む送信機をさらに提供する。
【０１４０】
本発明の実施例は、送信機及び受信機を含むデータ再送システムをさらに提供する。前記送信機は、再送されるコードワードにより占有される必要のあるレイヤ数が送信機により選択されるレイヤ数よりも少なく、且つ新しいデータを送信する必要がない場合に、送信機により選択されるレイヤ数と前記コードワードを再送するために占有される必要のあるレイヤ数との間の差に従って、特殊コードワードを決定するように構成され、前記特殊コードワードの中に含まれるトランスポートブロック数は、前記差に等しく、且つレイヤマッピングにより、各トランスポートレイヤに対して、再送される必要のあるコードワード及び特殊コードワードを割り当てるように構成される。
【０１４１】
さらに、前記送信機は、特殊コードワード送信表示を受信機に送信するようにさらに構成され、前記特殊コードワード送信表示は特殊コードワードを含む現在のデータ送信を識別するために使用される。
【０１４２】
前記受信機は、前記送信機により送信される複数のコードワード、データ送信関連制御情報、及び特殊コードワード送信表示を受信するように構成され、前記データ送信関連制御情報はプロセス数表示を含み、前記複数のコードワードは前記再送されたコードワード及び前記特殊コードワードを含み、且つ前記特殊コードワード送信表示は前記現在のデータ送信が特殊コードワードを含むことを示すために使用され；且つ特殊コードワード送信表示を検出すると、プロセス数表示に従って、複数のコードワードの中の前記再送コードワード及び／又は前記特殊コードワードを識別するように構成される構成される。
【０１４３】
前記受信機は、具体的には、前記特殊コードワード送信表示を検出すると、前記プロセス数表示により示されるプロセス又は前記プロセスに関連するプロセスに対応するバッファされたデータが正しく復号されたかどうかに従って、前記示されたプロセス又は前記関連するプロセスに対応するトランスポートブロックが前記特殊コードワード又は前記再送されたコードワードに属するかどうかを識別するように構成されてもよい。さらに、受信機は、前記プロセス数表示により示される前記プロセス又は前記プロセスに関連するプロセスに対応するバッファされたデータが正しく復号されたかどうか判定し；前記バッファされたデータが正しく復号されない場合、前記現在のデータ送信の中の示されたプロセス又は関連するプロセスに対応するトランスポートブロックが再送されるコードワードに属することを識別し；前記バッファされたデータが正しく復号される場合、前記現在のデータ送信の中の前記示されたプロセス又は前記関連するプロセスに対応する前記トランスポートブロックは、前記特殊コードワードに属すことを識別するように構成される。
【０１４４】
代替的に、さらに、送信機は、特殊コードワード送信表示を受信機に送信するようにさらに構成され、前記特殊コードワード送信表示は、現在のデータ送信が特殊コードワードを含むことを識別するために使用される。
【０１４５】
前記受信機は、前記送信機により送信された、複数のコードワード及び前記特殊コードワード送信表示を受信し、前記複数のコードワードは前記送信されたコードワード及び前記特殊コードワードを含み、且つ前記特殊コードワード送信表示は前記現在のデータ送信が特殊コードワードを含むことを識別するために使用され、且つどのコードワードが前記特殊コードワードであるかを識別するため、又はどのコードワードが前記再送されたコードワードであるかを識別するために使用され；且つ前記特殊コードワード送信表示に従って、前記複数のコードワードの中の前記再送されたコードワード及び／又は前記特殊コードワードを識別するように構成される。
【０１４６】
本発明の複数の実施例は、ＭＩＭＯベースのデータ再送装置及びシステムを提供する。送信機がデータを再送する必要があり、且つ再送されるデータにより必要とされるレイヤ数が送信機により選択されたレイヤ数よりも少なく、そして新しいデータを送信する必要がない場合、当該特定の場合においてデータ再送が正常に実行されるようにするために、特殊コードワードが送信される。
【０１４７】
本発明の実施例はさらに、データ再送方法を提供し、そして図９に示されるように、当該方法は以下の複数のステップを含む。
【０１４８】
Ｓ４０１：送信機は、前回送信された複数のコードワード及びチャネル状態情報について、受信機によりフィードバックされたＨＡＲＱ送達確認情報を受信する。
【０１４９】
チャネル状態情報はＲＩを含む。確かに、チャネル状態情報は、ＰＣＩ、ＣＱＩ、その他をさらに含んでもよい。
【０１５０】
前回送信された複数のコードワードの中の複数のコードワードの一部又は複数のコードワードの全てに対してフィードバックされたＨＡＲＱ送達確認情報がＮＡＣＫであった場合、ステップＳ４０２に入る。複数のコードワードの一部は、前回送信されたコードワードの総数が２である場合、当該２つのコードワードのうちの１つが当該複数のコードワードの一部であると理解されてもよい。
【０１５１】
Ｓ４０２：送信機が複数のコードワードの一部又は複数のコードワードの全てを送信する必要がある場合、前記送信機は送信のために使用されるレイヤ数を決定する。
【０１５２】
このステップは、送信機が複数のコードワードの一部又は複数のコードワードの全てを送信する必要がある場合、前記送信機は、送信に使用されるレイヤ数が前記複数のコードワードの一部を再送するために占有される必要のあるレイヤ数又は前記複数のコードワードの全てのうちの一部を再送するために占有される必要のあるレイヤ数であると決定することを含む。
【０１５３】
具体的には、前記送信機が複数のコードワードの一部を再送する必要がある場合、送信機は現在の送信において使用されるレイヤ数が前記複数のコードワードの一部を再送するために占有される必要のあるレイヤ数であることを決定してもよい。例えば、再送される必要のある前記複数のコードワードの一部が２つのトランスポートブロックを含む場合、前記複数のコードワードの一部を再送するために占有される必要のあるレイヤ数は２であり、そしてこの場合、送信機は現在の送信において使用されるレイヤ数は２であると判定する。
【０１５４】
前記送信機が前記複数のコードワードの全てを再送する必要がある場合、前記送信機は、現在の送信において使用されるレイヤ数は前記複数のコードワード全てのうちの一部を再送するために占有される必要のあるレイヤ数であると決定してもよく、或いは前記送信機はさらに、前記現在の送信において使用されるレイヤ数は、前記複数のコードワードの全てを再送するために占有される必要のあるレイヤ数であると決定してもよい。例えば、再送される必要のある前記複数のコードワードの全ての総数が２であり、かつ前記２つのコードワードが、それぞれ、１つのトランスポートブロック及び２つのトランスポートブロックを含む場合、前記送信機は、前記現在の送信において使用されるレイヤ数は、前記２つのコードワードのうちの１つにより占有される必要のあるレイヤ数である１であると判定してもよく、又は前記２つのコードワードのうちの他方により占有される必要のあるレイヤ数である２であると判定してもよく、又は前記複数のコードワードの全てを再送するために占有される必要のあるレイヤ数である３であると判定してもよい。
【０１５５】
Ｓ４０３：再送される必要のある、複数のコードワードの一部又は複数のコードワードの全てのうちの一部に含まれる複数のトランスポートブロックを、レイヤマッピングにより、送信に使用されるレイヤ数に対応する各トランスポートレイヤに割り当てる。
【０１５６】
例えば、再送される必要のある複数のコードワードの一部が２つのトランスポートブロックを含む場合、当該２つのトランスポートブロックは、表１により示されるレイヤマッピングにおける２であるＲＩに対応する複数のトランスポートレイヤ（レイヤ１及びレイヤ２）を使用して送信される。
【０１５７】
例えば、再送される必要のある複数のコードワードの全てのうちの一部が２つのトランスポートブロックを含む場合、当該２つのトランスポートブロックは、表１により示されるレイヤマッピングにおける２であるＲＩに対応する複数のトランスポートレイヤ（レイヤ１及びレイヤ２）を使用することにより送信される。
【０１５８】
例えば、再送される必要のある複数のコードワードの全てのうちの一部が１つのトランスポートブロックを含む場合、当該トランスポートブロックは、表１により示されるレイヤマッピングにおける１であるＲＩに対応するトランスポートレイヤ（レイヤ１）を使用することにより送信される。
【０１５９】
再送される必要のある複数のコードワードの一部又は複数のコードワード全てのうちの一部に含まれるトランスポートブロックが、送信に使用されるレイヤ数及びトランスポートブロック対コードワードマッピングにより、再処理されるコードワードにマッピングされ、且つレイヤマッピングにより、当該再処理されるコードワードが送信に使用されるレイヤ数に対応する各トランスポートレイヤに割り当てられる、ということをステップＳ４０３が含むことが好ましい。レイヤマッピングは表１により示され、そしてトランスポートブロック対コードワードマッピングは、表Ａにより示されるものであってもよい。
【０１６０】
トランスポートブロック対コードワードマッピングを明確に説明するために、本発明の実施例における一例として、４×４ＭＩＭＯを用いる。レイヤ数が１である場合、１つのコードワードがデータ送信を行うために使用され、そして当該コードワードはＣＷ１を使用することにより識別される；レイヤ数が２又は３又は４である場合、データ送信を行うために２つのコードワードが使用され、かつ当該２つのコードワードは、それぞれ、ＣＷ１及びＣＷ２を使用することにより識別される。各コードワードは、最大２つのトランスポートブロックを含む。
【０１６１】
システムついて、各ＴＴＩ（Ｔｒａｎｓｍｉｓｓｉｏｎ  Ｔｉｍｅ  Ｉｎｔｅｒｖａｌ、送信時間間隔）において、最大４つのトランスポートブロックが送信されてもよく、これらは、それぞれ、ＴＢ１、ＴＢ２、ＴＢ３、及びＴＢ４を使用することにより識別される。本発明により提供される解決手段を明確に説明するために、ＴＢ１及びＴＢ２は異なるプロセス数を持ち、そして当該異なる複数のプロセス数の間の差は、第１の固定値であり；ＴＢ１及びＴＢ３は同じプロセス数を持ち、そしてＴＢ２及びＴＢ４は同じプロセス数を持つ。ＴＢ１のプロセス数は、第１の固定値よりも小さく、ＴＢ２のプロセス数は第１の固定値以上且つ第２の固定値未満であり、且つ第２の固定値は第１の固定値の２倍である。第１の固定値は、Ｎ１を使用することにより識別され、そして第２の固定値はＮ２を使用することにより識別される。図１３に示される複数のトランスポートブロックの複数のプロセス数は、一例としてのみ使用される。
【０１６２】
本発明の複数の実施例の全てにおいて、与えられた関係は次のように理解される：ＴＢ１とＴＢ３、及びＴＢ２とＴＢ４は、さらに、他の複数の所定の関係を有してもよい。例えば、ＴＢ１とＴＢ２のプロセス数の間の差は第２の固定値であり、且つＴＢ２とＴＢ４のプロセス数の間の差は第２の固定値である。他の例として、ＴＢ１とＴＢ３のプロセス数の間の差は第３の固定値であり、且つＴＢ２とＴＢ４のプロセス数の間の差は第１の固定値であり、ここで第３の固定値は、第１の固定値の３倍であり、そしてＮ３を使用することにより識別される。
【０１６３】
本発明の実施例において、ＴＢ１のプロセス数はｋを使用することにより識別され、且つ０≦ｋ＜Ｎ１である；ＴＢ２とＴＢ１のプロセス数の間の差はＮ１であり、ＴＢ２のプロセス数は、ＴＢ１のプロセス数よりも大きいと仮定されるので、ＴＢ２のプロセス数はｋ＋Ｎ１であり、ＴＢ２のプロセス数の範囲はＮ１≦ｋ＋Ｎ１＜Ｎ２である；ＴＢ３とＴＢ１は同じプロセス数ｋを持ち；そしてＴＢ４のプロセス数はｋ＋Ｎ１である。さらに、本発明の実施例において、特殊コードワードとはプロセス数表示に対応するトランスポートブロックが属すコードワードのことであり；特殊でないコードワードとは特殊コードワード以外のコードワードのことである。
【０１６４】
また、ＴＢ１、ＴＢ２、ＴＢ３、及びＴＢ４のプロセス数は、それぞれ、ｋ、ｋ＋Ｎ１、ｋ＋Ｎ２、及び（ｋ＋Ｎ１）＋Ｎ２であってもよい。選択的に、また、ＴＢ１、ＴＢ２、ＴＢ３、及びＴＢ４のプロセス数は、それぞれ、ｋ、ｋ＋Ｎ１、ｋ＋Ｎ３、及び（ｋ＋Ｎ１）＋Ｎ１であってもよい。
【０１６５】
トランスポートブロック対コードワードマッピングは、同じプロセス数を持つ複数のトランスポートブロック又は複数のプロセス数であって、それらの間の差が所定の関係にある、複数のプロセス数、を持つ複数のトランスポートブロックに対応するコードワードを含む。
【０１６６】
また、選択的に、トランスポートブロック対コードワードマッピングはさらに：送信に使用されるレイヤ数が３又は４である場合に、特殊コードワードに対応するトランスポートブロックのプロセス数と特殊でないコードワードに対応するトランスポートブロックのプロセス数とは異なり、そして当該２つのプロセス数の間の差は、第１の固定値である、ということを含む。
【０１６７】
表１から、トランスポートブロック対コードワードマッピングがさらに：送信に使用されるレイヤ数が３である場合、特殊コードワードはトランスポートブロックを含み、且つ特殊でないコードワードは２つのトランスポートブロックを含む；ということ含む、ということが理解できる。
【０１６８】
また、選択的に、トランスポートブロック対コードワードマッピングはさらに：送信に使用されるレイヤ数が２である場合であって、２つのトランスポートブロックが最初に送信される場合又は前の送信中のＲＩが２であり且つ２つのトランスポートブロック双方が再送される必要があり且つ当該２つのトランスポートブロックのプロセス数の間の差が第１の固定値である場合において、特殊コードワードに対応するトランスポートブロックのプロセス数と特殊でないコードワードに対応するトランスポートブロックのプロセス数とは異なり、そして当該２つのプロセス数の間の差は、第１の固定値である；ということを含む。
【０１６９】
この場合において、例えば、トランスポートブロック対コードワードマッピングは表２に示される。
【表３】
2015530012.tif 000024
【０１７０】
表２において示されるプロセス数とは、トランスポートブロック対コードワードマッピングに従って実行されるデータ送信中にプロセス数表示に書き込まれる必要のあるプロセス数のことである。本発明において、特殊コードワードは、例えば、ＣＷ１であり、そしてその結果、特殊でないコードワードはＣＷ２である；確かに、特殊コードワードは、また、ＣＷ２であってもよく、そしてその結果、特殊でないコードワードはＣＷ１である。
【０１７１】
表２において、ＲＩが２である場合に、トランスポートブロックとコードワードとの間のマッピングは、
（外１）
2015530012.tif 000025
であり、ここで、
（外２）
2015530012.tif 000026
は明らかに、レイヤ数が２である場合であって、最初に２つのトランスポートブロックが送信されるか、又は前の送信中のＲＩが２であり且つ２つのトランスポートブロックの双方を再送する必要があり且つ２つのトランスポートブロックのプロセス数の間の差が第２の固定値である場合に対するものであり；そしてその結果、
（外３）
2015530012.tif 000027
は、前の送信中のＲＩが２より大きく且つ２つのトランスポートブロックを含むコードワードを再送する必要がある場合に対するものである。
【０１７２】
送信機は、ステップＳ４０１からステップＳ４０３に従って、データの正常な再送を完了してもよく、そしてまた、送信機はさらに、受信機が受信したデータについて正常な復号を実行できるようにすることを保証する必要があり、その結果ステップＳ４０４をさらに実行する必要がある、ということに注意すべきである。複数の番号は複数のステップの間の順序関係を示しておらず、そして、例えば、Ｓ４０３及びＳ４０４を同時に実行してもよい、ということに注意すべきである。
【０１７３】
Ｓ４０４：送信機はデータ送信関連制御情報を受信機に送信する。
【０１７４】
データ送信関連制御情報は、ＲＩ及びプロセス数表示を含む。ＲＩは、現在の送信において使用されるレイヤ数を示し、プロセス数表示は、現在の送信における送信機のトランスポートブロックのプロセス数を識別するために使用され、そして、当該トランスポートブロックの属するコードワードは、本発明の実施例において特殊コードワードと呼ばれる。
【０１７５】
ステップＳ４０４により、受信機は、ＲＩに従って、プロセス数表示、及びトランスポートブロック対コードワードマッピング、受信された再送コードワードに対応するトランスポートブロックの組み合わせ、を識別することができる。
【０１７６】
さらに選択的に、送信に使用されるレイヤ数が２であり、且つ現在の送信がＲＩ＞２である前の送信における複数のコードワードの一部を再送するための送信である場合、データ送信関連制御情報を含むパケットの少なくとも１つの制御情報フィールドは特殊表示に設定され、そして、当該特殊表示は、送信に使用されるレイヤ数が２である場合に、特殊でないコードワードの中のトランスポートブロックのプロセス数と特殊コードワードの中のトランスポートブロックのプロセス数とが同じであるか又は所定の関係にあることを識別するために使用される（例えば、複数のプロセス数の間の差は第２の固定値である）。選択的に、当該特殊表示は固定された系列であってもよい。
【０１７７】
例えば、送信に使用されるレイヤ数が２であり、且つ現在の送信がＲＩ＞２である前の送信における複数のコードワードの一部を再送するための送信である場合、特殊表示は、ＣＣＳフィールド、ＴＢＳフィールド、ＭＩフィールド等のうちの１つ以上のフィールドにおいて設定されてもよい。例えば、特殊表示は、固定された系列「１１１１１１」であってもよい。
【０１７８】
選択的に、データ送信関連制御情報を含むパケットにビットが追加され、そして当該ビットは、送信に使用されるレイヤ数が２であり且つ現在の送信がＲＩ＞２である前の送信における複数のコードワードの一部を再送するために送信である場合に、特殊表示を送信するために使用される。
【０１７９】
このように、受信機は、特殊表示がデータ送信関連制御情報のパケットにおいて設定されるかどうかを検出することにより、受信機により受信されたコードワードに対応するトランスポートブロックの組み合わせを決定することができる。
【０１８０】
前述の方法は、複数の例により、以下において説明される。説明を容易にするため、以下の複数の例において、ＴＢ１のプロセス数はｋ（０≦ｋ＜Ｎ１）を使用することにより識別され、ＴＢ２のプロセス数はｋ＋Ｎ１（Ｎ１≦ｋ＋Ｎ１＜Ｎ２）を使用することにより識別され、ＴＢ３のプロセス数とＴＢ１のプロセス数は同じであり、そしてＴＢ４のプロセス数とＴＢ２のプロセス数は同じである。特殊コードワードはＣＷ１である。
【０１８１】
第１の例から第６の例は、複数のコードワードの一部を再送する必要がある複数の例であり、そして第７の例から第８の例は、複数のコードワードの全てを再送する必要がある複数の例である。
【０１８２】
第１の例において、以下の複数のステップが含まれる。
【０１８３】
（１）前の送信中に、送信機はレイヤ数４を使用する、すなわち、２つのＴＢが、それぞれＣＷ１及びＣＷ２を使用することにより送信される；例えば、ＣＷ１は、ＴＢ１＋ＴＢ３を送信し、ＴＢ１に対応するプロセス数はｋであり、ＣＷ２はＴＢ２＋ＴＢ４を送信し、そしてＴＢ２に対応するプロセス数はｋ＋Ｎ１である。
【０１８４】
（２）送信機は、前回送信されたＣＷ１に対して受信機によりフィードバックされたＡＣＫであるフィードバック及びＣＷ２に対するＮＡＣＫであるフィードバックを受信する。
【０１８５】
（３）送信機は、受信機の複数のフィードバックに従って、ＣＷ２の中の２つのＴＢ（ＴＢ２及びＴＢ４）を再送する必要があると決定する。
【０１８６】
（４）２つのＴＢを再送する必要がある、つまり、ＣＷ２を再送するために占有される必要のあるレイヤ数は２であり、その結果送信機は現在の送信において使用されるレイヤ数は２であると決定する。
【０１８７】
（５）再送される必要のある２つのＴＢは、再処理されるコードワードＣＷ１及びＣＷ２を取得するために、表２により示される２であるＲＩに対応するトランスポートブロック対コードワードマッピングに従ってマッピングされる、すなわち、ＣＷ１はＴＢ２を送信し、対応するプロセス数は依然としてｋ＋Ｎ１であり、ＣＷ２はＴＢ４を送信し、対応するプロセス数は依然としてｋ＋Ｎ１であり、そして、再処理されるコードワードであるＣＷ１及びＣＷ２は、表１のＲＩ＝２のレイヤマッピングに従って、送信のために各トランスポートレイヤに割り当てられる。
【０１８８】
（６）送信機は、データ送信関連制御情報を受信機に送信し、ここで当該制御情報は：現在の送信のＲＩは２であり且つプロセス数表示は現在の送信のＣＷ１におけるＴＢ２のｋ＋Ｎ１であるプロセス数である、ということを含む。
【０１８９】
第２の例において、以下の複数のステップが含まれる。
【０１９０】
（１）前の送信中に、送信機はレイヤ数４を使用する、すなわち、２つのＴＢが、それぞれＣＷ１及びＣＷ２を使用することにより送信される；例えば、ＣＷ１は、ＴＢ１＋ＴＢ３を送信し、ＴＢ１に対応するプロセス数はｋであり、ＣＷ２はＴＢ２＋ＴＢ４を送信し、そしてＴＢ２に対応するプロセス数はｋ＋Ｎ１である。
【０１９１】
（２）送信機は、前回送信されたＣＷ１に対して受信機によりフィードバックされたＮＡＣＫであるフィードバック及びＣＷ２に対するＡＣＫであるフィードバックを受信する。
【０１９２】
（３）送信機は、受信機の複数のフィードバックに従って、ＣＷ１の中の２つのＴＢ（ＴＢ１及びＴＢ３）を再送する必要があると決定する。
【０１９３】
（４）２つのＴＢを再送する必要がある、つまり、ＣＷ１を再送するために占有される必要のあるレイヤ数は２であり、その結果送信機は現在の送信において使用されるレイヤ数は２であると決定する。
【０１９４】
（５）再送される必要のある２つのＴＢは、再処理されるコードワードＣＷ１及びＣＷ２を取得するために、表２により示される２であるＲＩに対応するトランスポートブロック対コードワードマッピングに従ってマッピングされる、すなわち、ＣＷ１はＴＢ１を送信し、対応するプロセス数は依然としてｋであり、ＣＷ２はＴＢ３を送信し、対応するプロセス数は依然としてｋであり、そして、再処理されるコードワードであるＣＷ１及びＣＷ２は、表１のＲＩ＝２のレイヤマッピングに従って、送信のために各トランスポートレイヤに割り当てられる。
【０１９５】
（６）送信機は、データ送信関連制御情報を受信機に送信し、ここで当該制御情報は：現在の送信のＲＩは２であり且つプロセス数表示は現在の送信のＣＷ１におけるＴＢ１のｋであるプロセス数である、ということを含む。
【０１９６】
第３の例において、以下の複数のステップが含まれる。
【０１９７】
（１）前の送信中に、送信機はレイヤ数３を使用する、すなわち、１つのＴＢがＣＷ１を使用することにより送信され、２つのＴＢが、ＣＷ２を使用することにより送信される；例えば、ＣＷ１は、ＴＢ１を送信し、ＴＢ１に対応するプロセス数はｋであり、ＣＷ２はＴＢ２＋ＴＢ４を送信し、そしてＴＢ２に対応するプロセス数はｋ＋Ｎ１である。
【０１９８】
（２）送信機は、前回送信されたＣＷ１に対して受信機によりフィードバックされたＡＣＫであるフィードバック及びＣＷ２に対するＮＡＣＫであるフィードバックを受信する。
【０１９９】
（３）送信機は、受信機の複数のフィードバックに従って、ＣＷ２の中の２つのＴＢ（ＴＢ２及びＴＢ４）を再送する必要があると決定する。
【０２００】
（４）２つのＴＢを再送する必要がある、つまり、ＣＷ２を再送するために占有される必要のあるレイヤ数は２であり、その結果送信機は現在の送信において使用されるレイヤ数は２であると決定する。
【０２０１】
（５）再送される必要のある２つのＴＢは、再処理されるコードワードＣＷ１及びＣＷ２を取得するために、表２により示される２であるＲＩに対応するトランスポートブロック対コードワードマッピングに従ってマッピングされる、すなわち、ＣＷ１はＴＢ２を送信し、対応するプロセス数は依然としてｋ＋Ｎ１であり、ＣＷ２はＴＢ４を送信し、対応するプロセス数は依然としてｋ＋Ｎ１であり、そして、再処理されるコードワードであるＣＷ１及びＣＷ２は、表１のＲＩ＝２のレイヤマッピングに従って、送信のために各トランスポートレイヤに割り当てられる。
【０２０２】
（６）送信機は、データ送信関連制御情報を受信機に送信し、ここで当該制御情報は：現在の送信のＲＩは２であり且つプロセス数表示は現在の送信のＣＷ１におけるＴＢ２のｋ＋Ｎ１であるプロセス数である、ということを含む。
【０２０３】
第４の例において、以下の複数のステップが含まれる。
【０２０４】
（１）前の送信中に、送信機はレイヤ数３を使用する、すなわち、１つのＴＢがＣＷ１を使用することにより送信され、２つのＴＢが、ＣＷ２を使用することにより送信される；例えば、ＣＷ１は、ＴＢ１を送信し、ＴＢ１に対応するプロセス数はｋであり、ＣＷ２はＴＢ２＋ＴＢ４を送信し、そしてＴＢ２に対応するプロセス数はｋ＋Ｎ１である。
【０２０５】
（２）送信機は、前回送信されたＣＷ１に対して受信機によりフィードバックされたＮＡＣＫであるフィードバック及びＣＷ２に対するＡＣＫであるフィードバックを受信する。
【０２０６】
（３）送信機は、受信機の複数のフィードバックに従って、ＣＷ１の中の１つのＴＢ（ＴＢ１）を再送する必要があると決定する。
【０２０７】
（４）１つのＴＢを再送する必要がある、つまり、ＣＷ１を再送するために占有される必要のあるレイヤ数は１であり、その結果送信機は現在の送信において使用されるレイヤ数は１であると決定する。
【０２０８】
（５）再送される必要のあるＴＢは、再処理されるコードワードＣＷ１を取得するために、表２により示される１であるＲＩに対応するトランスポートブロック対コードワードマッピングに従ってマッピングされる、すなわち、ＣＷ１はＴＢ１を送信し、対応するプロセス数は依然としてｋであり、そして、再処理されるコードワードであるＣＷ１は、表１のＲＩ＝１のレイヤマッピングに従って、送信のために各トランスポートレイヤに割り当てられる。
【０２０９】
（６）送信機は、データ送信関連制御情報を受信機に送信し、ここで当該制御情報は：現在の送信のＲＩは１であり且つプロセス数表示は現在の送信のＣＷ１におけるＴＢ１のｋであるプロセス数である、ということを含む。
【０２１０】
第５の例において、以下の複数のステップが含まれる。
【０２１１】
（１）前の送信中に、送信機はレイヤ数２を使用する、すなわち、１つのＴＢが、それぞれＣＷ１及びＣＷ２を使用することにより送信される；例えば、ＣＷ１は、ＴＢ１を送信し、ＴＢ１に対応するプロセス数はｋであり、ＣＷ２はＴＢ２を送信し、そしてＴＢ２に対応するプロセス数はｋ＋Ｎ１である。
【０２１２】
（２）送信機は、前回送信されたＣＷ１に対して受信機によりフィードバックされたＡＣＫであるフィードバック及びＣＷ２に対するＮＡＣＫであるフィードバックを受信する。
【０２１３】
（３）送信機は、受信機の複数のフィードバックに従って、ＣＷ２の中の１つのＴＢ（ＴＢ２）を再送する必要があると決定する。
【０２１４】
（４）１つのＴＢを再送する必要がある、つまり、ＣＷ２を再送するために占有される必要のあるレイヤ数は１であり、その結果送信機は現在の送信において使用されるレイヤ数は１であると決定する。
【０２１５】
（５）再送される必要のあるＴＢは、再処理されるコードワードＣＷ２を取得するために、表２により示される１であるＲＩに対応するトランスポートブロック対コードワードマッピングに従ってマッピングされる、すなわち、ＣＷ２はＴＢ２を送信し、対応するプロセス数は依然としてｋ＋Ｎ１であり、そして、再処理されるコードワードであるＣＷ２は、表１のＲＩ＝１のレイヤマッピングに従って、送信のために各トランスポートレイヤに割り当てられる。
【０２１６】
（６）送信機は、データ送信関連制御情報を受信機に送信し、ここで当該制御情報は：現在の送信のＲＩは１であり且つプロセス数表示は現在の送信のＣＷ２におけるＴＢ２のｋ＋Ｎ１であるプロセス数である、ということを含む。
【０２１７】
第６の例において、以下の複数のステップが含まれる。
【０２１８】
（１）前の送信中に、送信機はレイヤ数２を使用する、すなわち、１つのＴＢが、それぞれＣＷ１及びＣＷ２を使用することにより送信される；例えば、ＣＷ１は、ＴＢ１を送信し、ＴＢ１に対応するプロセス数はｋであり、ＣＷ２はＴＢ２を送信し、そしてＴＢ２に対応するプロセス数はｋ＋Ｎ１である。
【０２１９】
（２）送信機は、前回送信されたＣＷ１に対して受信機によりフィードバックされたＮＡＣＫであるフィードバック及びＣＷ２に対するＡＣＫであるフィードバックを受信する。
【０２２０】
（３）送信機は、受信機の複数のフィードバックに従って、ＣＷ１の中の１つのＴＢ（ＴＢ１）を再送する必要があると決定する。
【０２２１】
（４）１つのＴＢを再送する必要がある、つまり、ＣＷ１を再送するために占有される必要のあるレイヤ数は１であり、その結果送信機は現在の送信において使用されるレイヤ数は１であると決定する。
【０２２２】
（５）再送される必要のあるＴＢは、再処理されるコードワードＣＷ１を取得するために、表２により示される２であるＲＩに対応するトランスポートブロック対コードワードマッピングに従ってマッピングされる、すなわち、ＣＷ１はＴＢ１を送信し、対応するプロセス数は依然としてｋであり、そして、再処理されるコードワードであるＣＷ１は、表１のＲＩ＝１のレイヤマッピングに従って、送信のために各トランスポートレイヤに割り当てられる。
【０２２３】
（６）送信機は、データ送信関連制御情報を受信機に送信し、ここで当該制御情報は：現在の送信のＲＩは１であり且つプロセス数表示は現在の送信のＣＷ１におけるＴＢ１のｋであるプロセス数である、ということを含む。
【０２２４】
第７の例において、以下の複数のステップが含まれる。
【０２２５】
（１）前の送信中に、送信機はレイヤ数４を使用する、すなわち、２つのＴＢが、それぞれＣＷ１及びＣＷ２を使用することにより送信される；例えば、ＣＷ１は、ＴＢ１＋ＴＢ３を送信し、ＴＢ１に対応するプロセス数はｋであり、ＣＷ２はＴＢ２＋ＴＢ４を送信し、そしてＴＢ２に対応するプロセス数はｋ＋Ｎ１である。
【０２２６】
（２）送信機は、前回送信されたＣＷ１に対して受信機によりフィードバックされたＮＡＣＫであるフィードバック及びＣＷ２に対するＮＡＣＫであるフィードバックを受信する。
【０２２７】
（３）送信機は、受信機の複数のフィードバックに従って、両方のコードワードを再送する必要があると決定する。
【０２２８】
（４）送信機は、両方のコードワード（ＣＷ１及びＣＷ２）を送信するために、現在の送信において使用されるレイヤ数は４であると決定するか、或いは当該両方のコードワード（ＣＷ１及びＣＷ２）のうちのいずれかを送信するために、現在の送信において使用されるレイヤ数は２であると決定する。
【０２２９】
現在の送信において使用されるレイヤ数が４であると決定された場合、従来技術に従って、データの再送が実行される。
【０２３０】
現在の送信において使用されるレイヤ数が２であると決定された場合、ＣＷ２の再送は、第１の例の（５）及び（６）に従って実行されてもよく、或いはＣＷ１の再送は、第２の例の（５）及び（６）に従って実行されてもよい。
【０２３１】
第８の例において、以下の複数のステップが含まれる。
【０２３２】
（１）前の送信中に、送信機はレイヤ数３を使用する、すなわち、１つのＴＢがＣＷ１を使用することにより送信され且つ２つのＴＢがＣＷ２を使用することにより送信される；例えば、ＣＷ１は、ＴＢ１を送信し、ＴＢ１に対応するプロセス数はｋであり、ＣＷ２はＴＢ２＋ＴＢ４を送信し、そしてＴＢ２に対応するプロセス数はｋ＋Ｎ１である。
【０２３３】
（２）送信機は、前回送信されたＣＷ１に対して受信機によりフィードバックされたＮＡＣＫであるフィードバック及びＣＷ２に対するＮＡＣＫであるフィードバックを受信する。
【０２３４】
（３）送信機は、受信機の複数のフィードバックに従って、両方のコードワードを再送する必要があると決定する。
【０２３５】
（４）送信機は、両方のコードワード（ＣＷ１及びＣＷ２）を送信するために、現在の送信において使用されるレイヤ数は３であると決定するか、或いは両方のコードワードのうちのいずれか（ＣＷ１）を送信するために、現在の送信において使用されるレイヤ数は１であると決定するか、或いは両方のコードワードのうちのいずれか（ＣＷ２）を送信するために、現在の送信において使用されるレイヤ数は２であると決定する。
【０２３６】
現在の送信において使用されるレイヤ数が３であると決定された場合、データの再送は従来技術に従って実行されてもよい。
【０２３７】
現在の送信において使用されるレイヤ数が２であると決定された場合、ＣＷ２の再送は、第３の例の（５）及び（６）に従って実行されてもよい。
【０２３８】
現在の送信において使用されるレイヤ数が１であると決定された場合、ＣＷ１の再送は、第４の例の（５）及び（６）に従って実行されてもよい。
【０２３９】
本発明の実施例は、さらに、ＭＩＭＯデータ再送方法を提供し、ここでは受信機により受信されたコードワードに対応するトランスポートブロックの組み合わせを受信機がどのように識別するかについて主に紹介され、そして図１０に示されるように、当該方法は以下の複数のステップを含む。
【０２４０】
Ｓ５０１：受信機は、送信機により送信されたコードワード及びデータ送信関連制御情報を受信する。
【０２４１】
データ送信関連制御情報は：ＲＩ及びプロセス数表示、を含む。プロセス数表示は、現在の送信における送信機のトランスポートブロックのプロセス数を識別するために使用され、そして当該トランスポートブロックの属するコードワードは、本発明の実施例において特殊コードワードと呼ばれる。
【０２４２】
Ｓ５０２：ＲＩ、プロセス数表示、及びトランスポートブロック対コードワードマッピングに従って、当該コードワードに対応するトランスポートブロックの組み合わせを識別する。
【０２４３】
トランスポートブロック対コードワードマッピングについて、Ｓ４０３の説明を参照することができる。
【０２４４】
当該トランスポートブロック対コードワードマッピングは：コードワードが、同じプロセス数を持つ複数のトランスポートブロックに対応すること、又は前述の所定の関係にある差を伴う複数のプロセス数を持つ複数のトランスポートブロックに対応すること、を含む。
【０２４５】
説明を容易にするため、本発明の実施例において、説明のための一例であって、特殊コードワードがＣＷ１であり、かつ特殊でないコードワードがＣＷ２である、一例、が提供される。さらに、特殊コードワードＣＷ１の中の第１のＴＢに対応するプロセス数は、プロセス数表示の中のプロセス数として使用される。
【０２４６】
選択的に、トランスポートブロック対コードワードマッピングは：現在の送信において使用されるレイヤ数が４である場合に、特殊コードワードに対応するトランスポートブロックのプロセス数と特殊でないコードワードに対応するトランスポートブロックのプロセス数とは異なり、且つ当該２つのプロセス数の間の差は第１の固定値である、ということを含む。
【０２４７】
例えば、受信機により受信されるＲＩが４である場合、すなわち、現在の送信において使用されるレイヤ数が４である場合、受信機は、ＣＷ１及びＣＷ２がそれぞれ、２つのトランスポートブロックを含むと決定することができる；受信機により受信されたプロセス数表示におけるプロセス数がｑ（０≦ｑ＜Ｎ２）である場合、受信されたＣＷ１に含まれる第１のトランスポートブロックのプロセス数はｑであると特定され、ＣＷ１に含まれる他のトランスポートブロックのプロセス数はｑ又はｑ＋Ｎ２であり；ＣＷ２に含まれるトランスポートブロックのプロセス数は、（ｑ＋Ｎ１）ｍｏｄ（Ｎ２）又は（ｑ＋Ｎ１）ｍｏｄ（Ｎ２）＋Ｎ２であり、そしてＣＷ２に含まれる他のトランスポートブロックのプロセス数は、また、（ｑ＋Ｎ１）ｍｏｄ（Ｎ２）又は（ｑ＋Ｎ１）ｍｏｄ（Ｎ２）＋Ｎ２である。
【０２４８】
選択的に、トランスポートブロック対コードワードマッピングは：現在の送信において使用されるレイヤ数が３である場合に、特殊コードワードに対応するトランスポートブロックのプロセス数と特殊でないコードワードに対応するトランスポートブロックのプロセス数とは異なり、且つ当該２つのプロセス数の間の差は第１の固定値である、ということを含む。
【０２４９】
例えば、受信機により受信されるＲＩが３である場合、すなわち、現在の送信において使用されるレイヤ数が３である場合、受信機はＣＷ１がトランスポートブロックを含み且つＣＷ２が２つのトランスポートブロックを含むと決定してもよく；受信機により受信されたプロセス数表示の中のプロセス数がｑ（０≦ｑ＜Ｎ２）である場合、受信されたＣＷ１に含まれるトランスポートブロックのプロセス数はｑであり；ＣＷ２に含まれるトランスポートブロックのプロセス数は（ｑ＋Ｎ１）ｍｏｄ（Ｎ２）又は（ｑ＋Ｎ１）ｍｏｄ（Ｎ２）＋Ｎ２であり、ＣＷ２に含まれる他のトランスポートブロックのプロセス数は（ｑ＋Ｎ１）ｍｏｄ（Ｎ２）又は（ｑ＋Ｎ１）ｍｏｄ（Ｎ２）＋Ｎ２であると特定される。
【０２５０】
選択的に、受信機により受信されるＲＩが１である場合、すなわち、現在の送信において使用されるレイヤ数が１である場合、受信機は、ＣＷ１がトランスポートブロックを含むと決定してもよく；受信機により受信されたプロセス数表示の中のプロセス数がｑ（０≦ｑ＜Ｎ２）である場合、受信されたＣＷ１に含まれるトランスポートブロックのプロセス数はｑであると特定される。
【０２５１】
また、選択的に、トランスポートブロック対コードワードマッピングは、さらに：送信に使用されるレイヤ数が２である場合であって、２つのトランスポートブロックが最初に送信される場合、又は前の送信中にＲＩが２であり且つ２つのトランスポートブロックの双方を再送する必要があり且つ２つのトランスポートブロックのプロセス数の間の差が第１の固定値である場合に、特殊コードワードに対応するトランスポートブロックのプロセス数と特殊でないコードワードに対応するトランスポートブロックのプロセス数とは異なり、且つ当該２つのプロセス数の間の差は第１の固定値である、ということを含んでもよい。
【０２５２】
受信機により受信されたＲＩが２である場合、すなわち、現在の送信において使用されるレイヤ数が２である場合、ステップＳ５０２は、以下の２つの方法のうちのいずれか１つを採用することができる。
【０２５３】
方法１：現在の送信において使用されるレイヤ数が２である場合、プロセス数表示により示されるプロセスの再送結合プロセスに対応するバッファされたデータが正しく復号されたかどうかを確認する；バッファされたデータが正しく復号されなかった場合、特殊でないコードワードの中のトランスポートブロックのプロセス数とプロセス数表示の中のプロセス数が同じであるか、又は所定の関係にある（例えば、当該プロセス数の間の差が第２の固定値Ｎ２である）ことを識別する；バッファされたデータが正しく復号された場合、特殊でないコードワードの中のトランスポートブロックのプロセス数とプロセス数表示の中のプロセス数との間の差が第１の固定値Ｎ１であることを識別する。
【０２５４】
本発明の実施例において、プロセスＡの再送結合プロセスとは、プロセス番号がプロセスＡのプロセス番号と同じであるか又はプロセスＡのプロセス番号と所定の関係にある（例えば、当該プロセス番号の間の差が第２の固定値である）プロセスのことである。従って、プロセス番号表示により示されるプロセスの再送結合プロセスとは、プロセス番号表示の中のプロセス番号と同じであるか又はプロセス番号表示の中のプロセス番号と所定の関係にある（例えば、当該プロセス番号の間の差が第２の固定値である）プロセス番号を持つプロセスのことである。
【０２５５】
例えば、現在の送信において使用されるレイヤ数が２である場合、受信機は、表２により示されるトランスポートブロック対コードワードマッピングに従って、２つのコードワードが受信され、且つ各コードワードはトランスポートブロックを含む、ということを決定してもよい。
【０２５６】
受信機により受信されたプロセス番号表示の中のプロセス数がｑ（０≦ｑ＜Ｎ２）であった場合、プロセスｑの再送結合プロセス（プロセスｑ又はプロセスｑ＋Ｎ２）に対応するバッファされたデータが正しく復号されたかどうかを確認する；当該バッファされたデータが正しく復号されなかった場合、そのことは、ＣＷ１の中のトランスポートブロックのプロセス数がｑであり、且つＣＷ２の中のトランスポートブロックのプロセス番号がｑ又はｑ＋Ｎ２であるということを特定するために、送信機が現在の送信の中の再送結合プロセスによりデータを再送する必要があるということを示す；当該バッファされたデータが正しく復号された場合、そのことは、ＣＷ１の中のトランスポートブロックのプロセス数がｑであり、且つＣＷ２の中のトランスポートブロックのプロセス数が（ｑ＋Ｎ１）ｍｏｄｅ（Ｎ２）であるということを特定するために、送信機が現在の送信において、ＣＷ２のトランスポートブロックを送信するために再送結合プロセスを使用しないということを示す。
【０２５７】
方法２：現在の送信において使用されるレイヤ数が２である場合、データ送信関連制御情報のパケットに特殊表示が設定されているかどうかを確認する；当該パケットに特殊表示が設定されている場合、特殊でないコードワードの中のトランスポートブロックのプロセス数とプロセス数表示の中のプロセス数とが同じであるか又は所定の関係にある（例えば、当該プロセス数の間の差が第２の固定値である）ことを識別する；当該パケットに特殊表示が設定されていない場合、特殊でないコードワードの中のトランスポートブロックのプロセス数とプロセス数表示の中のプロセス数との間の差が第１の固定値であると識別する。当該特殊表示は、送信に使用されるレイヤ数が２である場合に、特殊でないコードワードの中のトランスポートブロック及び特殊コードワードの中のトランスポートブロックのプロセス数が同じであるか又は所定の関係にある（例えば、当該プロセス数の間の差が第２の固定値である）ことを識別するために使用される；そして選択的に、当該特殊表示は、固定された系列であってもよい。
【０２５８】
選択的に、当該特殊表示は、例えば、ＣＣＳフィールド、ＴＢＳフィールド、ＭＩフィールド等の、データ送信関連制御情報のパケットの中の少なくとも１つの制御情報フィールドの中に設定されてもよい。また、当該特殊表示は、データ送信関連制御情報のパケットの追加ビットに設定されてもよい。
【０２５９】
例えば、現在の送信において使用されるレイヤ数が２である場合、受信機は、表２により示されるトランスポートブロック対コードワードマッピングに従って、２つのコードワードが受信され且つ各コードワードがトランスポートブロックを含むことを決定してもよい。
【０２６０】
受信機により受信されたプロセス数表示の中のプロセス数がｑ（０≦ｑ＜Ｎ２）である場合、特殊でないコードワードであるＣＷ２のトランスポートブロック長表示が固定された系列に設定されているかどうかを確認する；当該トランスポートブロック長表示が固定された系列に設定されている場合、ＣＷ１の中のトランスポートブロックのプロセス数がｑであり且つＣＷ２の中のトランスポートブロックのプロセス数はｑ又はｑ＋Ｎ２であると特定する；当該トランスポートブロック長表示が固定された系列に設定されていない場合、ＣＷ１の中のトランスポートブロックのプロセス数がｑであり且つＣＷ２の中のトランスポートブロックのプロセス数が（ｑ＋Ｎ１）ｍｏｄ（Ｎ２）であると特定する。
【０２６１】
また、受信機は、さらに、現在の送信の中のコードワードに対するＨＡＲＱ送達確認情報を送信機にフィードバックする必要がある。
【０２６２】
現在の送信の中で使用されるレイヤ数が１又は３又は４である場合、フィードバック方法について、従来技術を参照してもよい。
【０２６３】
現在の送信において使用されるレイヤ数が２であり且つ受信機により受信される２つのコードワードの中の複数のトランスポートブロック（合計で２つのトランスポートブロック）に対応する複数のプロセスが互いに再送結合プロセスである場合であって、２つのコードワードの中の複数のトランスポートブロックの双方が正しく復号された場合であり且つその場合に限り、受信機は、２つのコードワードについて、送信機に対して同時にＡＣＫをフィードバックし、そしてそうでなければ、同時にＮＡＣＫをフィードバックする。
【０２６４】
例えば、現在の送信において使用されるレイヤ数が２である場合、受信機は２つのコードワードを受信し、各コードワードはトランスポートブロックを含み、当該複数のトランスポートブロックのうちの１つのプロセス数はｑ（０≦ｑ＜Ｎ２）であり、且つ当該他のトランスポートブロックのプロセス数はｑ又はｑ＋Ｎ２であり、この場合において、当該２つのトランスポートブロックの双方が正しく復号された場合であり且つその場合に限り、受信機は、当該２つのコードワードについて、送信機にＡＣＫをフィードバックし、そしてそうでなければ、同時にＮＡＣＫをフィードバックする。
【０２６５】
また、送信機は、さらに、受信機によりフィードバックされたＨＡＲＱ送達確認情報に従って、送信が成功したかどうかを判定する必要がある。
【０２６６】
互いに再送結合プロセスである、当該２つのプロセスの双方について、送信機により受信されるＨＡＲＱ送達確認情報がＡＣＫであった場合、送信機は、当該２つのプロセスにより送信された複数のコードワードの両方が正しく復号されたと判定し、そしてそうでなければ、再送の最大数に達していない場合には、当該２つのプロセスにより送信された複数のコードワードを再び再送する必要がある。つまり、互いに再送結合プロセスである当該２つのプロセスのうちの少なくとも１つのＨＡＲＱ送達確認情報がＮＡＣＫであった場合、再送の最大数に達していない限り、当該２つのプロセスにより送信された複数のコードワードは再び再送される必要がある。
【０２６７】
本発明の実施例は、ＭＩＭＯベースのデータ再送方法を提供する。データ再送処理プロセスにおいて、送信機が複数のコードワードの一部又は複数のコードワードの全てを再送する必要がある場合、使用されるレイヤ数がコードワードの再送に必要なレイヤ数より大きく且つ新しいデータを送信する必要がない場合を避けるために、送信機は、送信に必要なレイヤ数は複数のコードワードの一部を再送するために占有される必要のあるレイヤ数である、又は複数のコードワードの全てのうちの一部を再送するために占有する必要のあるレイヤ数であると決定し、これによりデータ再送が正常に実行されることを可能とする。
【０２６８】
本発明の実施例は、さらに当該データ再送方法に対応する装置を提供し、そして当該装置の複数の機能モジュールの説明について、対応する複数のステップを参照することができる。
【０２６９】
図１１に示されるように、本発明の実施例は、複数のコードワードの一部又は複数のコードワードの全てを再送する必要がある場合に、送信に使用されるレイヤ数は、前記複数のコードワードの一部を再送するために占有される必要のあるレイヤ数又は前記複数のコードワードの全てのうちの一部を再送するために占有される必要のあるレイヤ数であると決定するように構成される、第１決定部１１１；レイヤマッピングにより、再送される必要のある前記複数のコードワードの一部又は再送される必要のある前記複数のコードワードの全てのうちの一部に含まれる複数のトランスポートブロックを、前記第１決定部により決定された、送信に使用されるレイヤ数に対応する各トランスポートレイヤに割り当てるように構成される割当部１１２；及びデータ送信関連制御情報を受信機に送信するように構成される送信部１１３であって、前記データ送信関連制御情報は、ランク表示ＲＩ及びプロセス数表示を含む、送信部１１３；を備える送信機を提供する。
【０２７０】
選択的に、前記割当部１１２は、具体的には、送信に使用される前記レイヤ数及びトランスポートブロック対コードワードマッピングにより、再送される必要のある複数のコードワードの前記一部又は再送される必要のある前記複数のコードワードの全てのうちの一部に含まれるトランスポートブロックを、再処理されるコードワードにマッピングし、且つ、前記レイヤマッピングにより、前記再処理されるコードワードを、送信に使用される前記レイヤ数に対応する各トランスポートレイヤに割り当てるように構成される。
【０２７１】
選択的に、トランスポートブロック対コードワードマッピングは：コードワードが、同じプロセス数を持つ複数のトランスポートブロック又は所定の関係にある差を有する複数のプロセス数（例えば、プロセス数の間の差は第２の固定値である）を持つ複数のトランスポートブロックに対応すること、を含む。
【０２７２】
また、選択的に、トランスポートブロック対コードワードマッピングはさらに：送信に使用されるレイヤ数が２である場合であって、２つのトランスポートブロックが最初に送信される場合、又は前の送信中にＲＩが２であり且つ２つのトランスポートブロック双方を再送する必要があり且つ２つのトランスポートブロックのプロセス数の間の差が第１の固定値である場合に、特殊コードワードに対応するトランスポートブロックのプロセス数と特殊でないコードワードに対応するトランスポートブロックのプロセス数とは異なり、且つ前記２つのプロセス数の間の差は前記第１の固定値である、ということを含む。
【０２７３】
また、前記送信機は、さらに、設定部１１４を含む。前記設定部は、送信に使用されるレイヤ数が２であり、ＲＩ＞２である前の送信における複数のコードワードの一部が現在の送信中に再送される場合に、前記データ送信関連制御情報を含むパケットの少なくとも１つの制御情報フィールドを特殊表示に設定するように構成され、前記特殊表示は、送信に使用されるレイヤ数が２である場合に、前記特殊でないコードワードの中の前記トランスポートブロック及び前記特殊コードワードの中の前記トランスポートブロックの前記複数のプロセス数は、同じであるか、又は所定の関係にある（例えば、前記複数のプロセス数の間の前記差は前記第２の固定値である）ことを識別するために使用される；或いは前記データ送信関連制御情報を含むパケットにビットを追加するように構成され、前記ビットは送信に使用されるレイヤ数が２であり、且つ前記現在の送信がＲＩ＞２である前記前の送信における複数のコードワードの一部の再送のためである場合に、前記特殊表示を送信するために使用される。
【０２７４】
また、前記送信機は、さらに、プロセスについてのＨＡＲＱ送達確認情報を受信するように構成される受信部１１５を含む。
【０２７５】
第２決定部１１６は、前記受信部により受信される、互いに再送結合プロセスである２つのプロセス両方についてのＨＡＲＱ送達確認情報がＡＣＫである場合、前記２つのプロセスにより送信される複数のコードワードの双方が正しく復号されたと判定し；そうでなければ、前記２つのプロセスにより送信される複数のコードワードの双方は再送される必要があると判定するように構成される。
【０２７６】
図１２に示されるように、本発明の実施例はさらに、送信機により送信されるコードワード及びデータ送信関連制御情報を受信するように構成される受信部１２１であって、前記データ送信関連制御情報はＲＩ及びプロセス数表示を含む、受信部１２１；及び前記ＲＩ、前記プロセス数表示、及びトランスポートブロック対コードワードマッピングに従って、前記コードワードに対応するトランスポートブロックの組み合わせを特定するように構成される識別部１２２、を備える受信機を提供する。
【０２７７】
選択的に、前記識別部１２２は、前記ＲＩが２である場合、前記プロセス数表示により示されるプロセスの再送結合プロセスに対応するバッファされたデータが正しく復号されたかどうかを確認し；前記バッファされたデータが正しく復号されなかった場合、前記特殊でないコードワードの中の前記トランスポートブロックの前記プロセス数と前記プロセス数表示の中の前記プロセス数は同じであるか、又は所定の関係にある（例えば、前記複数のプロセス数の間の差は第２の固定値である）と識別し；前記バッファされたデータが正しく復号された場合、前記特殊でないコードワードの中の前記トランスポートブロックの前記プロセス数と前記プロセス数表示の中の前記プロセス数との間の差は、第１の固定値であると識別するように構成される。
【０２７８】
選択的に、前記識別部１２２は、前記データ送信関連制御情報の前記パケットに特殊表示が設定されているかどうかを確認するように構成され；前記パケットに前記特殊表示が設定されている場合、前記特殊でないコードワードの中の前記トランスポートブロックの前記プロセス数と前記プロセス数表示の中の前記プロセス数は同じである、又は所定の関係にある（例えば、前記複数のプロセス数の間の差は前記第２の固定値である）と識別するように構成され；前記パケットに前記特殊表示が設定されていない場合、前記特殊でないコードワードの中の前記トランスポートブロックの前記プロセス数と前記プロセス数表示の中の前記プロセス数との間の差は前記第１の固定値であると識別するように構成され、前記特殊表示は、送信に使用されるレイヤ数が２である場合に、前記特殊でないコードワードの中の前記トランスポートブロック及び前記特殊コードワードの中の前記トランスポートブロックの前記複数のプロセス数は同じであるか、又は所定の関係にある（例えば、前記複数のプロセス数の間の差は前記第２の固定値である）ことを識別するために使用される。
【０２７９】
また、前記受信機はさらに、前記現在の送信において使用されるレイヤ数が２であり且つ前記受信機により受信される前記２つのコードワードの中の前記複数のトランスポートブロックに対応する前記複数のプロセスが互いに前記再送結合プロセスである場合であって、且つ前記２つのコードワードの中の前記複数のトランスポートブロックの双方が正しく復号された場合であり且つその場合に限り、前記受信部は、前記２つのコードワードについて、前記ＡＣＫを前記送信機に対して同時にフィードバックし、そしてそうでなければ、前記ＮＡＣＫを同時にフィードバックするように構成される、フィードバック部１２３、を備えてもよい。
【０２８０】
本発明はさらに、複数のコードワードの一部又は複数のコードワード全てを再送する必要がある場合に、送信に使用される前記レイヤ数が前記複数のコードワードの一部を再送するために占有される必要のあるレイヤ数である又は前記複数のコードワードの全てのうちの一部を再送するために占有される必要のあるレイヤ数であると決定するように構成され、そしてさらに、レイヤマッピングにより、再送される必要のある前記複数のコードワードの一部又は再送される必要のある前記複数のコードワードの一部を、前記第１決定部により決定される送信に使用される前記レイヤ数に対応する各トランスポートレイヤに割り当てるように構成されるプロセッサ；及びデータ送信関連制御情報を受信機に対して送信するように構成される送信コンポーネントであって、前記データ送信関連制御情報はランク表示ＲＩ及びプロセス数表示を含む、送信コンポーネント、を備える送信機を提供する。
【０２８１】
選択的に、前記プロセッサは、具体的には、再送される必要のある前記複数のコードワードの一部又は再送される必要のある前記複数のコードワードの全てのうちの一部を、送信に使用されるレイヤ数及びトランスポートブロック対コードワードマッピングにより、再処理されるコードワードにマッピングし、且つ前記レイヤマッピングにより、前記再処理されるコードワードを送信に使用されるレイヤ数に対応する各トランスポートレイヤに割り当てるように構成される。
【０２８２】
選択的に、前記トランスポートブロック対コードワードマッピングは：コードワードが同じプロセス数を持つ複数のトランスポートブロック又は所定の関係にある（例えば、前記複数のプロセス数の間の前記差は第２の固定値である）差を有する複数のプロセス数を持つ複数のトランスポートブロックに対応する、ということを含む。
【０２８３】
さらに選択的に、前記トランスポートブロック対コードワードマッピングは：前記トランスポートブロック対コードワードマッピングがさらに、送信に使用されるレイヤ数が２である場合であって、２つのトランスポートブロックが最初に送信される場合、又は前の送信中に前記ＲＩが２であり且つ前記２つのトランスポートブロックの双方を再送する必要があり且つ前記２つのトランスポートブロックのプロセス数の間の差が第１の固定値である場合に、特殊コードワードに対応するトランスポートブロックのプロセス数と特殊でないコードワードに対応するトランスポートブロックのプロセス数とは異なり、且つ前記２つのプロセス数の間の差は、前記第１の固定値である、ということを含む、ということを含む。
【０２８４】
また、前記プロセッサはさらに、送信に使用されるレイヤ数が２であり且つＲＩ＞２である前の送信における複数のコードワードの一部が現在の送信中に再送される場合に、前記データ送信関連制御情報を含むパケットの少なくとも１つの制御情報フィールドを特殊表示に設定するように構成され、前記特殊表示は、送信に使用されるレイヤ数が２である場合に、前記特殊でないコードワードの中の前記トランスポートブロック及び前記特殊コードワードの中の前記トランスポートブロックの前記複数のプロセス数は同じであるか又は所定の関係にある（例えば、前記複数のプロセス数の間の前記差は第２の固定値である）ことを識別するために使用される；又は、前記データ送信関連制御情報を含むパケットにビットを追加するように構成され、前記ビットは、送信に使用されるレイヤ数が２であり且つ前記現在の送信がＲＩ＞２である前記前の送信における複数のコードワードの一部を再送するための送信である場合に、前記特殊表示を送信するために使用される。
【０２８５】
また、前記送信機は、プロセスに対するＨＡＲＱ送達確認情報を受信するように構成される受信コンポーネントをさらに含む。
【０２８６】
前記プロセッサは、前記受信部により受信される、互いに再送結合プロセスである２つのプロセス双方に対するＨＡＲＱ送達確認情報が前記ＡＣＫである場合に、前記２つのプロセスにより送信される複数のコードワードの双方は正しく復号されたと判定し；そうでなければ、前記２つのプロセスにより送信された前記複数のコードワードの双方を再送する必要があると判定するように、さらに構成される。
【０２８７】
本発明の実施例は、さらに、送信機により送信されたコードワード及びデータ送信関連制御情報を受信するように構成される受信コンポーネントであって、前記データ送信関連制御情報をＲＩ及びプロセス数表示を含む、受信コンポーネント；及び前記ＲＩ、前記プロセス数表示、及びトランスポートブロック対コードワードマッピングに従って、前記コードワードに対応するトランスポートブロックの組み合わせを識別するように構成されるプロセッサ、を備える受信機を提供する。
【０２８８】
選択的に、前記プロセッサは、前記ＲＩが２である場合に、前記プロセス数表示により示されるプロセスの再送結合プロセスに対応するバッファされたデータが正しく復号されたかどうか確認するように構成され；前記バッファされたデータが正しく復号されなかった場合に、前記特殊でないコードワードの中の前記トランスポートブロックの前記プロセス数と前記プロセス数表示の中の前記プロセス数とが同じである又は所定の関係にある（例えば、前記複数のプロセス数の間の差は第２の固定値である）と識別するように構成され；前記バッファされたデータが正しく復号された場合に、前記特殊でないコードワードの中の前記トランスポートブロックの前記プロセス数と前記プロセス数表示の中の前記プロセス数との間の差は、第１の固定値であると識別するように構成される。
【０２８９】
選択的に、プロセッサは、前記データ送信関連制御情報の前記パケットに特殊表示が設定されているかどうかを確認するように構成され；前記パケットに前記特殊表示が設定されている場合、前記特殊でないコードワードの中の前記トランスポートブロックの前記プロセス数と前記プロセス数表示の中の前記プロセス数とは同じである又は所定の関係にある（例えば、前記複数のプロセス数の間の差は前記第２の固定値である）ことを識別するように構成され；前記パケットに前記特殊表示が設定されていない場合、前記特殊でないコードワードの中の前記トランスポートブロックの前記プロセス数と前記プロセス数表示の中の前記プロセス数との間の差は前記第１の固定値であると識別するように構成され、前記特殊表示は、送信に使用されるレイヤ数が２である場合に、前記特殊でないコードワードの中の前記トランスポートブロック及び前記特殊コードワードの中の前記トランスポートブロックの前記プロセス数は同じである又は所定の関係にある（例えば、前記複数のプロセス数の間の差は前記第２の固定値である）ことを識別するために使用される。
【０２９０】
また、前記受信機は、前記現在の送信において使用される前記レイヤ数が２であり且つ前記受信機により受信された前記２つのコードワードの中の前記複数のトランスポートブロックに対応する前記複数のプロセスが互いに前記再送結合プロセスである場合であって、且つ前記２つのコードワードの中の前記複数のコードワードの双方が正しく復号された場合であり且つその場合に限り、前記受信機は、前記２つのコードワードについて、前記ＡＣＫを前記送信機に同時にフィードバックし、そしてそうでなければ前記ＮＡＣＫを同時にフィードバックするように構成される送信コンポーネントをさらに含んでもよい。
【０２９１】
本発明の実施例は、さらに、送信機及び受信機を含むデータ再送システムを提供する。送信機は、複数のコードワードの一部又は複数のコードワードの全てを再送する必要がある場合に、送信に使用されるレイヤ数は前記複数のコードワードの一部を再送するために占有される必要のある前記レイヤ数である又は前記複数のコードワードの全てのうちの一部を再送するために占有される必要のあるレイヤ数であると決定し、レイヤマッピングにより、再送される必要のある前記複数のコードワードのうちの一部又は再送される必要のある前記複数のコードワードの全てのうちの一部に含まれる複数のトランスポートブロックを前記第１決定部により決定される送信に使用されるレイヤ数に対応する各トランスポートレイヤに割り当て、且つデータ送信関連制御情報を前記受信機に送信するように構成され、前記データ送信関連制御情報はランク表示ＲＩ及びプロセス数表示を含む。
【０２９２】
前記受信機は、前記送信機により送信された前記コードワード及び前記データ送信関連制御情報を受信し、前記データ送信関連制御情報は前記ＲＩ及び前記プロセス数表示を含み；且つ前記ＲＩ、前記プロセス数表示、及びトランスポートブロック対コードワードマッピングに従って、前記コードワードに対応するトランスポートブロックの組み合わせを識別するように構成される。
【０２９３】
本発明の複数の実施例は装置及びシステムを提供する。前記データ再送処理プロセスにおいて、前記送信機が複数のコードワードの一部又は複数のコードワードの全てを再送する必要がある場合、使用されるレイヤ数がコードワードを再送するために必要なレイヤ数よりも大きくなる場合を避けるために、前記送信機は、送信に使用されるレイヤ数は前記複数のコードワードの一部を再送するために占有される必要のあるレイヤ数である、又は前記複数のコードワードの全てのうちの一部を再送するために占有される必要のあるレイヤ数であると判定し、これによりデータの再送が正常に実行されることを可能とする。
【０２９４】
複数の実施例の前述の説明により、当業者は、本発明はソフトウェアプラス必要な汎用ハードウェアの方法において実施されてもよく、そしてまた、間違いなく、ハードウェアにより実施されてもよい、ということを明確に理解することができる；しかしながら、ほとんどの場合、前者が好ましい実施方法である。そのような理解に基づき、本発明の複数の技術的解決手段は本質的に、又は従来技術に対して貢献する部分は、ソフトウェア製品の形態において実施されてもよい。コンピュータソフトウェア製品は、例えば、コンピュータのフロッピー（登録商標）ディスク、ハードディスク、又は光ディスク等の可読記憶媒体に記憶されてもよく、且つコンピュータ装置（これはパーソナルコンピュータ、サーバ、ネットワーク装置等であってもよい）に本発明の各実施例において説明される方法を実行するように指示するために使用される複数の命令を含む。
【０２９５】
前述の説明は本発明の単なる特定の複数の実施例であり、本発明の保護範囲を限定することは意図されていない。本発明において開示される技術範囲内において当業者により容易に考案される如何なる変更又は置換も、本発明の保護範囲に属さなければならない。従って、本発明の保護範囲は、複数の特許請求項の保護範囲に従わなければならない。
【国際調査報告】
2015530012.tif 000028
2015530012.tif 000029
2015530012.tif 000030
2015530012.tif 000031
2015530012.tif 000032
2015530012.tif 000033
2015530012.tif 000034
2015530012.tif 000035